(57)【要約】本願の実施形態は、ネットワーク・ハンドオーバー方法および関係した装置を提供する。方法は：ソース無線アクセス・ネットワーク・ノードによって送信された、ターゲット基地局識別子を担持するユーザー端末ハンドオーバー要求を受信するとき、ソース移動性管理機能エンティティーによって、前記ターゲット基地局識別子に基づいて、RAT間ネットワーク・ハンドオーバーをトリガーすることを決定する段階と；第一のメッセージをソース・セッション管理機能エンティティーに送信する段階と；前記ソース・セッション管理機能エンティティーによって送られた第二のメッセージを受信する段階であって、前記第二のメッセージはセッション管理コンテキストを含む、段階と；ターゲット移動性管理機能エンティティーに再配置要求を送信する段階であって、前記再配置要求は、前記ターゲット移動性管理機能エンティティーに、前記ユーザー端末に対してRAT間ネットワーク・ハンドオーバーを実行するよう命令するために使われる、段階とを含む。このようにして、RAT間ネットワーク・ハンドオーバー・プロセスにおけるデータ連続性が保証される。
2020504538.tif 000002
【特許請求の範囲】
【請求項１】
ネットワーク・ハンドオーバー方法であって、当該方法は：
ソース無線アクセス・ネットワーク・ノードによって送信された、ターゲット基地局識別子を担持するユーザー端末ハンドオーバー要求を受信するとき、ソース移動性管理機能エンティティーによって、前記ターゲット基地局識別子に基づいて、RAT間ネットワーク・ハンドオーバーをトリガーすることを決定する段階と；
前記ソース移動性管理機能エンティティーによって、第一のメッセージをソース・セッション管理機能エンティティーに送信する段階と；
前記ソース移動性管理機能エンティティーによって、前記ソース・セッション管理機能エンティティーによって送られた第二のメッセージを受信する段階であって、前記第二のメッセージはセッション管理コンテキストを含む、段階と；
前記ソース移動性管理機能エンティティーによって、ターゲット移動性管理機能エンティティーに再配置要求を送信する段階であって、前記再配置要求は、前記ターゲット移動性管理機能エンティティーに、前記ユーザー端末に対してRAT間ネットワーク・ハンドオーバーを実行するよう命令するために使われる、段階とを含む、
方法。
【請求項２】
前記再配置要求は前記ターゲット基地局識別子、前記ユーザー端末の端末識別子、前記セッション管理コンテキストおよび移動性管理コンテキストを担持する、請求項１記載の方法。
【請求項３】
前記第一のメッセージは前記ターゲット基地局識別子を含み、該ターゲット基地局識別子は、この動作が前記RAT間ネットワーク・ハンドオーバーであることを判別するために、前記ソース・セッション管理機能エンティティーによって使用される、請求項１記載の方法。
【請求項４】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、前記ソース・セッション管理機能エンティティーによって使用される、請求項１記載の方法。
【請求項５】
前記再配置要求は前記ユーザー端末の前記移動性管理コンテキストを含み、該移動性管理コンテキストは、ターゲット・システムの移動性管理コンテキストであり；
前記ソース移動性管理機能エンティティーによって、再配置要求をターゲット移動性管理機能エンティティーに送信する前に、当該方法はさらに：
前記ソース移動性管理機能エンティティーによって、前記ユーザー端末のソース・システムの移動性管理コンテキストを取得し；
前記ソース移動性管理機能エンティティーによって、前記ソース・システムの前記移動性管理コンテキストを前記ターゲット・システムの前記移動性管理コンテキストにマッピングすることを含む、
請求項１または２記載の方法。
【請求項６】
ネットワーク・ハンドオーバー方法であって、当該方法は：
ソース・セッション管理機能エンティティーによって、ソース移動性管理機能エンティティーによって送信された第一のメッセージを受信する段階であって、前記第一のメッセージは、前記ソース移動性管理機能エンティティーがソース無線アクセス・ネットワーク・ノードによって送信された、ターゲット基地局識別子を担持するユーザー端末ハンドオーバー要求を受信して、前記ターゲット基地局識別子に基づいて、RAT間ネットワーク・ハンドオーバーをトリガーすることを決定した後に、前記ソース移動性管理機能エンティティーによって送信される、段階と；
前記ソース・セッション管理機能エンティティーによって、前記第一のメッセージに基づいて、この動作が前記RAT間ネットワーク・ハンドオーバーであることを判別する段階と；
前記ソース・セッション管理機能エンティティーによって、第二のメッセージを前記ソース移動性管理機能エンティティーに送信する段階であって、前記第二のメッセージはセッション管理コンテキストを含み、前記第二のメッセージは、ターゲット移動性管理機能エンティティーに再配置要求を送信するために前記ソース移動性管理機能エンティティーによって使用され、前記再配置要求は、前記ターゲット移動性管理機能エンティティーに、前記ユーザー端末に対してRAT間ネットワーク・ハンドオーバーを実行するよう命令するために使われる、段階とを含む、
方法。
【請求項７】
前記第一のメッセージは前記ターゲット基地局識別子を担持し、前記ソース・セッション管理機能エンティティーによって、前記第一のメッセージに基づいて、この動作が前記RAT間ネットワーク・ハンドオーバーであることを判別する段階は：
前記ソース・セッション管理機能エンティティーによって、前記ターゲット基地局識別子に基づいて、この動作がRAT間ハンドオーバーであることを判別することを含む、
請求項６記載の方法。
【請求項８】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、前記ソース・セッション管理機能エンティティーによって使用される、請求項６記載の方法。
【請求項９】
前記第二のメッセージは、前記ユーザー端末の前記セッション管理コンテキストを含み、前記セッション管理コンテキストは、ターゲット・システムのセッション管理コンテキストであり；
前記ソース・セッション管理機能エンティティーによって、第二のメッセージを前記ソース移動性管理機能エンティティーに送信する前に、当該方法はさらに：
前記ソース・セッション管理機能エンティティーによって、前記ユーザー端末のソース・システムのセッション管理コンテキストを取得し；
前記ソース・セッション管理機能エンティティーによって、前記ソース・システムの前記セッション管理コンテキストを前記ターゲット・システムの前記セッション管理コンテキストにマッピングすることを含む、
請求項６記載の方法。
【請求項１０】
ネットワーク・ハンドオーバー方法であって、当該方法は：
ターゲット移動性管理機能エンティティーによって、ソース移動性管理機能エンティティーによって送信された再配置要求を受信する段階であって、前記再配置要求は、前記ソース移動性管理機能エンティティーが、ソース基地局によって送信された、ターゲット無線アクセス・ネットワーク・ノードのネットワーク識別子を担持するユーザー端末ハンドオーバー要求を受信して、前記ターゲット無線アクセス・ネットワーク・ノードの前記ネットワーク識別子に基づいて、RAT間ネットワーク・ハンドオーバーをトリガーすることを決定した後、前記ソース移動性管理機能エンティティーによって送信される、段階と；
前記ターゲット移動性管理機能エンティティーによって、セッション管理コンテキストをターゲット・セッション管理機能エンティティーに送信する段階と；
前記ターゲット移動性管理機能エンティティーによって、前記ターゲット・セッション管理機能エンティティーによって送信されたセッション接続確立要求を受信する段階と；
前記ターゲット移動性管理機能エンティティーによって、前記セッション接続確立要求を前記ターゲット無線アクセス・ネットワーク・ノードに送信する段階であって、前記接続確立要求は、前記ターゲット無線アクセス・ネットワーク・ノードに、コア・ネットワーク・ユーザー・プレーン機能エンティティーとデータ伝送チャネルを確立するよう命令するために使われる、段階とを含む、
方法。
【請求項１１】
前記ターゲット移動性管理機能エンティティーによって、前記ターゲット・セッション管理機能エンティティーによって送信されたセッション接続確立要求を受信した後、当該方法はさらに：
前記ターゲット移動性管理機能エンティティーによって、前記ターゲット無線アクセス・ネットワーク・ノードに、前記セッション接続確立要求を担持するハンドオーバー要求を送信する段階；または
前記ターゲット移動性管理機能エンティティーによって、前記ターゲット無線アクセス・ネットワーク・ノードにハンドオーバー要求を送信する段階であって、前記ハンドオーバー要求は、前記ターゲット無線アクセス・ネットワーク・ノードに、前記ユーザー端末に対してRAT間ネットワーク・ハンドオーバーを実行するよう命令するために使用される、段階を含む、
請求項１０記載の方法。
【請求項１２】
前記再配置要求は、前記ユーザー端末の端末識別子、前記ターゲット無線アクセス・ネットワーク・ノードの前記ネットワーク識別子および前記ユーザー端末のコンテキスト情報を担持し、前記ユーザー端末の前記コンテキスト情報は、移動性管理コンテキストおよび前記セッション管理コンテキストを含む、請求項１０記載の方法。
【請求項１３】
ターゲット移動性管理機能エンティティーによって、ソース移動性管理機能エンティティーによって送信された再配置要求を受信した後、当該方法はさらに：
前記ターゲット移動性管理機能エンティティーによって、前記ユーザー端末の前記端末識別子および前記ターゲット無線アクセス・ネットワーク・ノードの前記ネットワーク識別子を前記ターゲット・セッション管理機能エンティティーに送信する段階を含む、
請求項１０ないし１２のうちいずれか一項記載の方法。
【請求項１４】
ターゲット移動性管理機能エンティティーによって、ソース移動性管理機能エンティティーによって送信された再配置要求を受信した後、当該方法はさらに：
前記ターゲット移動性管理機能エンティティーによって、前記ターゲット・セッション管理機能エンティティーに、RAT間ネットワーク・ハンドオーバー指示および／またはターゲット・ネットワーク・アクセス型を送信する段階であって、前記RAT間ネットワーク・ハンドオーバー指示および／または前記ターゲット・ネットワーク・アクセス型は、この動作が前記RAT間ネットワーク・ハンドオーバーであることを判別するために、前記ターゲット・セッション管理機能エンティティーによって使用される、段階を含む、
請求項１０ないし１２のうちいずれか一項記載の方法。
【請求項１５】
前記セッション接続確立要求は、セッション識別子および／または第一のデータ・チャネル情報を担持し、前記第一のデータ・チャネル情報は、前記コア・ネットワーク・ユーザー・プレーン機能エンティティーと前記ターゲット無線アクセス・ネットワーク・ノードとの間の前記データ伝送チャネルを確立するために使用される、請求項１０記載の方法。
【請求項１６】
前記ターゲット移動性管理機能エンティティーによって、前記ターゲット無線アクセス・ネットワーク・ノードに前記セッション接続確立要求を送信した後、当該方法はさらに：
前記ターゲット移動性管理機能エンティティーによって、前記ターゲット無線アクセス・ネットワーク・ノードによって送信されたセッション接続確立応答を受信する段階であって、前記セッション接続確立応答はセッション識別子および／または第二のデータ・チャネル情報を担持し、前記第二のデータ・チャネル情報は前記コア・ネットワーク・ユーザー・プレーン機能エンティティーと前記ターゲット無線アクセス・ネットワーク・ノードとの間の前記データ伝送チャネルを確立するために使用される、段階を含む、
請求項１０記載の方法。
【請求項１７】
前記ターゲット移動性管理機能エンティティーによって、前記ターゲット無線アクセス・ネットワーク・ノードにハンドオーバー要求を送信した後、当該方法はさらに：
前記ターゲット移動性管理機能エンティティーによって、前記ターゲット無線アクセス・ネットワーク・ノードによって送信されたハンドオーバー完了通知を受信する段階であって、前記ハンドオーバー完了通知はセッション管理メッセージを含み、前記セッション管理メッセージはセッション識別子および／または第二のデータ・チャネル情報を担持し、前記第二のデータ・チャネル情報は、前記コア・ネットワーク・ユーザー・プレーン機能エンティティーと前記ターゲット無線アクセス・ネットワーク・ノードとの間の前記データ伝送チャネルを確立するために使用される、段階と；
前記ターゲット移動性管理機能エンティティーによって、前記セッション管理メッセージを前記ターゲット・セッション管理機能エンティティーに送信する段階とを含む、
請求項１１記載の方法。
【請求項１８】
前記再配置要求は、前記ユーザー端末の移動性管理コンテキストを含み、前記移動性管理コンテキストは、ソース・システムの移動性管理コンテキストであり；
ターゲット移動性管理機能エンティティーによって、ソース移動性管理機能エンティティーによって送信された再配置要求を受信した後、当該方法はさらに：
前記ターゲット移動性管理機能エンティティーによって、前記ソース・システムの前記移動性管理コンテキストをターゲット・システムの移動性管理コンテキストにマッピングする段階を含む、
請求項１０記載の方法。
【請求項１９】
ネットワーク・ハンドオーバー方法であって、当該方法は：
ターゲット・セッション管理機能エンティティーによって、ターゲット移動性管理機能エンティティーによって送信されたセッション管理コンテキストを受信する段階であって、前記セッション管理コンテキストは、前記ターゲット移動性管理機能エンティティーがソース移動性管理機能エンティティーによって送信された再配置要求を受信した後に前記ターゲット移動性管理機能エンティティーによって送信される、段階と；
前記ターゲット・セッション管理機能エンティティーによって、セッション接続確立要求を前記ターゲット移動性管理機能エンティティーに送信し、前記ターゲット移動性管理機能エンティティーによって、前記セッション接続確立要求をターゲット無線アクセス・ネットワーク・ノードに転送する段階であって、前記接続確立要求は、前記ターゲット無線アクセス・ネットワーク・ノードに、コア・ネットワーク・ユーザー・プレーン機能エンティティーとのデータ伝送チャネルを確立するよう命令するために使われる、段階とを含む、
方法。
【請求項２０】
前記ターゲット・セッション管理機能エンティティーによって、セッション接続確立要求を前記ターゲット移動性管理機能エンティティーに送信し、前記ターゲット移動性管理機能エンティティーによって、前記セッション接続確立要求を前記ターゲット無線アクセス・ネットワーク・ノードに転送する前に、当該方法はさらに：
前記ターゲット・セッション管理機能エンティティーによって、前記ターゲット移動性管理機能エンティティーによって送信される、ユーザー端末の端末識別子および前記ターゲット無線アクセス・ネットワーク・ノードのネットワーク識別子を受信する段階を含む、
請求項１９記載の方法。
【請求項２１】
前記ターゲット・セッション管理機能エンティティーによって、セッション接続確立要求を前記ターゲット移動性管理機能エンティティーに送信し、前記ターゲット移動性管理機能エンティティーによって前記セッション接続確立要求を前記ターゲット無線アクセス・ネットワーク・ノードに転送する前に、当該方法はさらに：
前記ターゲット・セッション管理機能エンティティーによって、前記ターゲット移動性管理機能エンティティーによって送信されるRAT間ネットワーク・ハンドオーバー指示および／またはターゲット・ネットワーク・アクセス型を受信する段階と：
前記ターゲット・セッション管理機能エンティティーによって、前記RAT間ネットワーク・ハンドオーバー指示および／または前記ターゲット・ネットワーク・アクセス型に基づいて、この動作がRAT間ネットワーク・ハンドオーバーであることを判別する段階とを含む、
請求項１９または２０記載の方法。
【請求項２２】
ターゲット・セッション管理機能エンティティーによって、ターゲット移動性管理機能エンティティーによって送信されたセッション管理コンテキストを受信した後、当該方法はさらに：
前記ターゲット・セッション管理機能エンティティーによって、前記ターゲット無線アクセス・ネットワーク・ノードの前記ネットワーク識別子に基づいて、この動作がRAT間ネットワーク・ハンドオーバーであることを判別する段階を含む、
請求項２０記載の方法。
【請求項２３】
前記セッション接続確立要求は、セッション識別子および／または第一のデータ・チャネル情報を担持し、前記第一のデータ・チャネル情報は、前記コア・ネットワーク・ユーザー・プレーン機能エンティティーと前記ターゲット無線アクセス・ネットワーク・ノードとの間の前記データ伝送チャネルを確立するために使用される、請求項１９記載の方法。
【請求項２４】
前記ターゲット・セッション管理機能エンティティーによって、セッション接続確立要求を前記ターゲット移動性管理機能エンティティーに送信し、前記ターゲット移動性管理機能エンティティーによって、前記セッション接続確立要求を前記ターゲット無線アクセス・ネットワーク・ノードに転送した後、当該方法はさらに：
前記ターゲット・セッション管理機能エンティティーによって、前記ターゲット移動性管理機能エンティティーによって送信されたセッション管理メッセージを受信する段階であって、前記セッション管理メッセージは、前記ターゲット移動性管理機能エンティティーが前記ターゲット無線アクセス・ネットワーク・ノードによって送信されたハンドオーバー完了通知を受信した後に前記ターゲット移動性管理機能エンティティーによって送信され、前記ハンドオーバー完了通知は前記セッション管理メッセージを含み、前記セッション管理メッセージはセッション識別子および／または第二のデータ・チャネル情報を担持し、前記第二のデータ・チャネル情報は、前記コア・ネットワーク・ユーザー・プレーン機能エンティティーと前記ターゲット無線アクセス・ネットワーク・ノードとの間の前記データ伝送チャネルを確立するために使用される、
請求項１９記載の方法。
【請求項２５】
前記ターゲット・セッション管理機能エンティティーによって、セッション接続確立要求を前記ターゲット移動性管理機能エンティティーに送信し、前記ターゲット移動性管理機能エンティティーによって、前記セッション接続確立要求を前記ターゲット無線アクセス・ネットワーク・ノードに転送した後、当該方法はさらに：
前記ターゲット・セッション管理機能エンティティーによって、前記ターゲット移動性管理機能エンティティーによって転送されたセッション接続確立応答を受信する段階であって、前記セッション接続確立応答が前記ターゲット無線アクセス・ネットワーク・ノードによって前記ターゲット移動性管理機能エンティティーに送信され、前記セッション接続確立応答がセッション識別子および／または第二のデータ・チャネル情報を担持し、前記第二のデータ・チャネル情報は前記コア・ネットワーク・ユーザー・プレーン機能エンティティーと前記ターゲット無線アクセス・ネットワーク・ノードとの間の前記データ伝送チャネルを確立するために使用される、段階を含む、
請求項１９記載の方法。
【請求項２６】
前記セッション管理コンテキストは、ソース・システムのセッション管理コンテキストであり；
ターゲット・セッション管理機能エンティティーによって、ターゲット移動性管理機能エンティティーによって送信される前記ソース・システムのセッション管理コンテキストを受信した後、当該方法はさらに：
前記ターゲット・セッション管理機能エンティティーによって、前記ソース・システムの前記移動性管理コンテキストをターゲット・システムの移動性管理コンテキストにマッピングする段階を含む、
請求項１９記載の方法。
【請求項２７】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ソース無線アクセス・ネットワーク・ノードによって送信された、ターゲット基地局識別子を担持するユーザー端末ハンドオーバー要求を受信するとき、前記ターゲット基地局識別子に基づいて、RAT間ネットワーク・ハンドオーバーをトリガーすることを決定する段階と；
第一のメッセージをソース・セッション管理機能エンティティーに送信する段階と；
前記ソース・セッション管理機能エンティティーによって送られた第二のメッセージを受信する段階であって、前記第二のメッセージはセッション管理コンテキストを含む、段階と；
ターゲット移動性管理機能エンティティーに再配置要求を送信する段階であって、前記再配置要求は、前記ターゲット移動性管理機能エンティティーに、前記ユーザー端末に対してRAT間ネットワーク・ハンドオーバーを実行するよう命令するために使われる、段階
とを実行するよう構成されている、装置。
【請求項２８】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ソース移動性管理機能エンティティーによって送信された第一のメッセージを受信する段階であって、前記第一のメッセージは、前記ソース移動性管理機能エンティティーがソース無線アクセス・ネットワーク・ノードによって送信された、ターゲット基地局識別子を担持するユーザー端末ハンドオーバー要求を受信して、前記ターゲット基地局識別子に基づいて、RAT間ネットワーク・ハンドオーバーをトリガーすることを決定した後に、前記ソース移動性管理機能エンティティーによって送信される、段階と；
前記第一のメッセージに基づいて、この動作が前記RAT間ネットワーク・ハンドオーバーであることを判別する段階と；
第二のメッセージを前記ソース移動性管理機能エンティティーに送信する段階であって、前記第二のメッセージはセッション管理コンテキストを含み、前記第二のメッセージは、ターゲット移動性管理機能エンティティーに再配置要求を送信するために前記ソース移動性管理機能エンティティーによって使用され、前記再配置要求は、前記ターゲット移動性管理機能エンティティーに、前記ユーザー端末に対してRAT間ネットワーク・ハンドオーバーを実行するよう命令するために使われる、段階
とを実行するよう構成されている、装置。
【請求項２９】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ソース移動性管理機能エンティティーによって送信された再配置要求を受信する段階であって、前記再配置要求は、前記ソース移動性管理機能エンティティーが、ソース基地局によって送信された、ターゲット無線アクセス・ネットワーク・ノードのネットワーク識別子を担持するユーザー端末ハンドオーバー要求を受信して、前記ターゲット無線アクセス・ネットワーク・ノードの前記ネットワーク識別子に基づいて、RAT間ネットワーク・ハンドオーバーをトリガーすることを決定した後、前記ソース移動性管理機能エンティティーによって送信される、段階と；
セッション管理コンテキストをターゲット・セッション管理機能エンティティーに送信する段階と；
前記ターゲット・セッション管理機能エンティティーによって送信されたセッション接続確立要求を受信する段階と；
前記セッション接続確立要求を前記ターゲット無線アクセス・ネットワーク・ノードに送信する段階であって、前記接続確立要求は、前記ターゲット無線アクセス・ネットワーク・ノードに、コア・ネットワーク・ユーザー・プレーン機能エンティティーとデータ伝送チャネルを確立するよう命令するために使われる、段階
とを実行するよう構成されている、装置。
【請求項３０】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ターゲット移動性管理機能エンティティーによって送信されたセッション管理コンテキストを受信する段階であって、前記セッション管理コンテキストは、前記ターゲット移動性管理機能エンティティーがソース移動性管理機能エンティティーによって送信された再配置要求を受信した後に前記ターゲット移動性管理機能エンティティーによって送信される、段階と；
セッション接続確立要求を前記ターゲット移動性管理機能エンティティーに送信し、前記ターゲット移動性管理機能エンティティーによって、前記セッション接続確立要求をターゲット無線アクセス・ネットワーク・ノードに転送する段階であって、前記接続確立要求は、前記ターゲット無線アクセス・ネットワーク・ノードに、コア・ネットワーク・ユーザー・プレーン機能エンティティーとのデータ伝送チャネルを確立するよう命令するために使われる、段階
とを実行するよう構成されている、装置。
【発明の詳細な説明】
【技術分野】
【０００１】
本願は、無線ネットワーク技術の分野に関し、詳細には、ネットワーク・ハンドオーバー方法および関係した装置に関する。
【背景技術】
【０００２】
無線側でロングタームエボリューション（Long  Term  Evolution、LTE）をサポートするために、第三世代パートナーシッププロジェクト（The  3rd  Generation  Partnership  Project、3GPP)は、ネットワーク側でのシステムアーキテクチャーエボリューション（System  Architecture  Evolution、SAE）の研究を2004年12月に開始する。LTEおよびSAEは合同して、進化したパケットシステム（Evolved  Packet  System、EPS)を構成する。EPSネットワーク・アーキテクチャーでは、エンドツーエンドの全IP（Internet  Protocol）のネットワーキングおよびフラット化されたネットワーク構造が使用され、既存の2G／3Gネットワークとの互換性が十分に考慮される。
【０００３】
図１に示されるように、図１は、EPSネットワーク・アーキテクチャーの概略的な構造図である。進化したユニバーサル地上無線アクセス・ネットワーク（Evolved  universal  terrestrial  radio  access  network、E-UTRAN）は、複数の進化したノードB（evolved  NodeB、eNB)を含むネットワークであり、無線物理層機能、資源スケジューリングおよび無線資源管理、無線アクセス制御、および移動性管理を主に受け持つ。eNBは、ユーザー・データを伝送するために、ユーザー・プレーン・インターフェースS1-Uを使ってサービス・ゲートウェイ（Serving  Gateway、S-GW）に接続され、制御プレーン・インターフェースS1-MMEを使って移動性管理エンティティー（Mobility  Management  Entity、MME）に接続されて、S1-APプロトコルを使って無線アクセスベアラー制御などの機能を実現する。MMEは、非アクセス層（Non-Access  stratum、NAS）信号伝達およびセキュリティー、追跡エリア管理、パケット・データ・ネットワーク・ゲートウェイ（Packet  Data  Network  Serving  Gateway、P-GW）およびS-GWの選択などを含む、ユーザー・セッション管理におけるすべての制御プレーン機能を主に受け持つ。S-GWは、ユーザー装置（User  Equipment、UE）のデータ伝送および転送、ルート切り換えなどを主に受け持ち、ユーザー装置がeNB間でハンドオーバーされるときのローカルな移動性アンカーポイントのはたらきをする（各時点では、一つのS-GWのみがユーザー装置にサービスを提供する）。P-GWは、PDN接続のためのアンカーポイントのはたらきをし、ユーザー装置のIPアドレス割り当て、UEデータ・パケット・フィルタリング、レート制御、課金情報生成などを受け持つ。
【０００４】
既存のLTEネットワークでは、移動によりUEの位置が変化すると、UEが現在位置しているセル内の無線信号は弱くなるが、隣接するセル内の無線信号が強くなる。この場合、ネットワークにおいてUEに対してネットワーク・ハンドオーバーが実行される必要がある。ネットワーク・ハンドオーバーは、RAT間ネットワーク・ハンドオーバー、たとえば2G、3Gおよび4Gの間でのRAT間ハンドオーバーを含む。RAT間ハンドオーバー・プロセスは、移動性管理コンテキスト（Mobility  Management、MM  context）マッピング（3Gおよび4GのUEコンテキストの間の切り換え）および移動性管理コンテキスト転送（ソースMME／ソースSGSNからターゲットSGSN／ターゲットMMEへの転送）を含むだけでなく、通信ベアラーの確立および取消も含む。移動性管理（Mobility  Management、MM）およびセッション管理（Session  Management、SM）を受け持つネットワーク・エンティティーは、MMEエンティティーおよびS-GWエンティティーである。SM用の制御プレーンとデータ・プレーンは分離されていない。具体的には、制御プレーンとデータ・プレーンの両方がP-GW機能エンティティーおよびS-GW機能エンティティーによって管理される必要がある。
【０００５】
しかしながら、移動通信技術の発達に伴い、さまざまな産業について多くの革新的な応用がもたらされることは確かであり、モバイルブロードバンド、マルチメディア、マシン型通信、産業制御および知的な交通システムが5G時代の主な使用事例になる。大きく変化したサービス要件を満足させるために、柔軟な仕方で5Gネットワークが構築される。ある潜在的な方向は、ネットワーク機能の分離である。具体的には、制御プレーン（Control  Plane、CP）機能とユーザー・プレーン（User  Plane、UP）機能が分離され、CP内のAMFおよびSMFが分離される。
【０００６】
5Gネットワークでは、ネットワーク・スライシングとは、物理ネットワークが複数の仮想的なエンドツーエンド・ネットワークにスライスされることを意味する。ネットワーク中のデバイス、アクセス、送信およびコア・ネットワークを含む各仮想ネットワークは、論理的に独立している。各ネットワーク・スライスは、独立したネットワーク機能または機能の組み合わせをインスタンス化することによって構成され、異なる機能および特徴を有し、別のネットワーク・スライスが直面するものとは異なる要件およびサービスに直面する。ネットワーク・スライスの分離により、異なるユーザーおよびユーザー・グループが、異なるアプリケーション・シナリオならびにユーザーおよびユーザー・グループの要件に基づいて、ネットワーク機能を柔軟かつ動的に定義およびカスタマイズすることができ、ネットワーク・スライスは互いに影響しない。ネットワーク・スライスは、制御プレーン機能（Control  Plane  Function、CPF）エンティティーおよびユーザー・プレーン機能（User  Plane  Function、UPF）エンティティーを含む。CPFエンティティーはアクセスおよび移動性管理機能（AMF、Access  and  Mobility  Management  Function）エンティティーおよびセッション管理機能（SMF、Session  Management  Function）エンティティーを含む。AMFはデバイス・アクセス認証、セキュリティー暗号化および位置登録などの移動性管理（Mobility  Management、MM）を完了させることを主に受け持つ。SMFは、ユーザー・プレーン伝送経路の確立、解放および変更などのセッション管理（Session  Management、SM）を完了させることを主に受け持つ。UPFエンティティーは、ユーザー・プレーン・データのルーティングおよび転送を完了させることを主に受け持つ。
【０００７】
図２に示されるように、図２は、ネットワーク・スライスの概略的なアーキテクチャー図である。複数のネットワーク・スライスは、（AMFエンティティーなどの）いくつかの特定のCPFエンティティーのみを共有する。さらに、各ネットワーク・スライスは、いくつかの独立したCPFエンティティー（SMFエンティティーなど）および独立したUPFエンティティーをもつ。さらに、ネットワークには複数のSMFおよびUPF機能が存在し、ユニバーサルな移動性管理エンティティーAMFが共有される。RANとAMFの間には信号伝達インターフェースがある。無線アクセス・ネットワーク（Radio  Access  Network、RAN）ノードとUPFの間にはデータ・プレーン・インターフェースがある。ユーザー・データ・データベースとAMFとの間には信号伝達インターフェースがある。ユーザー・データ・データベースとSMFの間には信号伝達インターフェースがある。さらに、各スライスには、AMFとSMFの間に信号伝達インターフェースがある。RANとSMFの間には直接的なインターフェースはなく、RANとSMFの間の信号はAMFを使って転送される必要がある。
【０００８】
しかしながら、既存の3G／4Gネットワーク・アーキテクチャーでは、MME／SGSNのような同じネットワーク機能ノードがSM機能およびMM機能を担っている。5GではAMFとSMFが分離されるので、RAT間ネットワーク・ハンドオーバーが5Gと4Gの間で実行されるときは、サービス・データの連続性を保証するために、新しいRAT間ハンドオーバー手順が設計される必要がある。
【発明の概要】
【０００９】
本願は、RAT間ネットワーク・ハンドオーバーの間に引き起こされるデータ連続性問題を解決するよう、ネットワーク・ハンドオーバー方法および関係した装置を提供する。
【００１０】
第一の側面によれば、本願は、下記を含むネットワーク・ハンドオーバー方法を提供する。
【００１１】
ソース無線アクセス・ネットワーク・ノードが、まず、ソース移動性管理機能エンティティーに、ターゲット基地局識別子を担持するユーザー端末ハンドオーバー要求を送信する。ハンドオーバー要求を受信した後、ソース移動性管理機能エンティティーは、ターゲット基地局識別子に基づいて、RAT間ネットワーク・ハンドオーバーをトリガーすることを決定し、次いで、第一のメッセージをソース・セッション管理機能エンティティーに送信する。ソース・セッション管理機能エンティティーは、第二のメッセージをソース移動性管理機能エンティティーに返す。ここで、第二のメッセージはセッション管理コンテキストを含む。第二のメッセージを受信した後、ソース移動性管理機能エンティティーは、ターゲット移動性管理機能エンティティーに再配置要求を送信する。ターゲット移動性管理機能エンティティーは、該再配置要求に基づいて、ユーザー端末に対してRAT間ネットワーク・ハンドオーバーを実行する。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００１２】
ある可能な設計では、再配置要求は、ターゲット基地局識別子、ユーザー端末の端末識別子、セッション管理コンテキストおよび移動性管理コンテキストを担持する。
【００１３】
もう一つの可能な設計では、第一のメッセージはターゲット基地局識別子を含み、該ターゲット基地局識別子は、この動作がRAT間ネットワーク・ハンドオーバーであることを判別するために、ソース・セッション管理機能エンティティーによって使用される。
【００１４】
もう一つの可能な設計では、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００１５】
もう一つの可能な設計では、再配置要求は、ユーザー端末の移動性管理コンテキストを含み、該移動性管理コンテキストは、ターゲット・システムの移動性管理コンテキストであり；再配置要求をターゲット移動性管理機能エンティティーに送信する前に、ソース移動性管理機能エンティティーは、ユーザー端末のソース・システムの移動性管理コンテキストを取得し、ソース・システムの移動性管理コンテキストをターゲット・システムの移動性管理コンテキストにマッピングする。
【００１６】
第二の側面によれば、本願は下記を含むネットワーク・ハンドオーバー方法を提供する。
【００１７】
ソース無線アクセス・ネットワーク・ノードが、まず、ソース移動性管理機能エンティティーに、ターゲット基地局識別子を担持するユーザー端末ハンドオーバー要求を送信する。ハンドオーバー要求を受信した後、ソース移動性管理機能エンティティーは、ターゲット基地局識別子に基づいて、RAT間ネットワーク・ハンドオーバーをトリガーすることを決定し、次いで、第一のメッセージをソース・セッション管理機能エンティティーに送信する。ソース・セッション管理機能エンティティーは、第二のメッセージをソース移動性管理機能エンティティーに返す。ここで、第二のメッセージはセッション管理コンテキストを含む。第二のメッセージを受信した後、ソース移動性管理機能エンティティーは、ターゲット移動性管理機能エンティティーに再配置要求を送信する。ターゲット移動性管理機能エンティティーは、該再配置要求に基づいて、ユーザー端末に対してRAT間ネットワーク・ハンドオーバーを実行する。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００１８】
ある可能な設計では、第一のメッセージは、ターゲット基地局識別子を担持する。任意的に、ソース・セッション管理機能エンティティーは、該ターゲット基地局識別子に基づいて、この動作がRAT間ハンドオーバーであることを判別する。
【００１９】
もう一つの可能な設計では、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００２０】
もう一つの可能な設計では、第二のメッセージは、ユーザー端末のセッション管理コンテキストを含み、該セッション管理コンテキストは、ターゲット・システムのセッション管理コンテキストであり；ソース・セッション管理機能エンティティーが第二のメッセージをソース移動性管理機能エンティティーに送信する前に、ソース・セッション管理機能エンティティーはまず、ユーザー端末のソース・システムのセッション管理コンテキストを取得し、次いで、ソース・システムのセッション管理コンテキストをターゲット・システムのセッション管理コンテキストにマッピングする。
【００２１】
第三の側面によれば、本願は下記を含むネットワーク・ハンドオーバー方法を提供する。
【００２２】
ソース基地局によって送られた、ターゲット無線アクセス・ネットワーク・ノードのネットワーク識別子を担持するユーザー端末ハンドオーバー要求を受信した後、ソース移動性管理機能エンティティーは、ターゲット無線アクセス・ネットワーク・ノードのネットワーク識別子に基づいて、RAT間ネットワーク・ハンドオーバーをトリガーすることを決定し、ターゲット移動性管理機能エンティティーに再配置要求を送信する。該再配置要求を受信した後、ターゲット移動性管理機能エンティティーは、セッション管理コンテキストをターゲット・セッション管理機能エンティティーに送信する。該セッション管理コンテキストを受信した後、ターゲット・セッション管理機能エンティティーはセッション接続確立要求をターゲット移動性管理機能エンティティーに送信する。セッション接続確立要求を受信した後、ターゲット移動性管理機能エンティティーは該セッション接続確立要求をターゲット無線アクセス・ネットワーク・ノードに送信する。ここで、接続確立要求は、ターゲット無線アクセス・ネットワーク・ノードに、コア・ネットワーク・ユーザー・プレーン機能エンティティーとデータ伝送チャネルを確立するよう命令するために使われる。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００２３】
ある可能な設計では、ターゲット移動性管理機能エンティティーがターゲット・セッション管理機能エンティティーによって送信されたセッション接続確立要求を受信した後、ターゲット移動性管理機能エンティティーは、ターゲット無線アクセス・ネットワーク・ノードに、セッション接続確立要求を担持するハンドオーバー要求を送信するか；または、ターゲット移動性管理機能エンティティーは、ターゲット無線アクセス・ネットワーク・ノードに、ハンドオーバー要求を送信し、ターゲット無線アクセス・ネットワーク・ノードに、セッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するように命令するために使用される。
【００２４】
もう一つの可能な設計では、再配置要求は、ユーザー端末の端末識別子、ターゲット無線アクセス・ネットワーク・ノードのネットワーク識別子およびユーザー端末のコンテキスト情報を担持し、ユーザー端末のコンテキスト情報は、移動性管理コンテキストおよびセッション管理コンテキストを含む。
【００２５】
もう一つの可能な設計では、ターゲット移動性管理機能エンティティーがソース移動性管理機能エンティティーによって送信された再配置要求を受信した後、ターゲット移動性管理機能エンティティーは、ユーザー端末の端末識別子およびターゲット無線アクセス・ネットワーク・ノードのネットワーク識別子をターゲット・セッション管理機能エンティティーに送信する。
【００２６】
もう一つの可能な設計では、ターゲット移動性管理機能エンティティーがソース移動性管理機能エンティティーによって送信された再配置要求を受信した後、ターゲット移動性管理機能エンティティーはターゲット・セッション管理機能エンティティーに、RAT間ネットワーク・ハンドオーバー指示および／またはターゲット・ネットワーク・アクセス型を送信する。ここで、RAT間ネットワーク・ハンドオーバー指示および／またはターゲット・ネットワーク・アクセス型は、この動作がRAT間ネットワーク・ハンドオーバーであることを判別するために、ターゲット・セッション管理機能エンティティーによって使用される。
【００２７】
もう一つの可能な設計では、セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【００２８】
もう一つの可能な設計では、ターゲット移動性管理機能エンティティーがターゲット無線アクセス・ネットワーク・ノードにセッション接続確立要求を送信した後、ターゲット移動性管理機能エンティティーはターゲット無線アクセス・ネットワーク・ノードによって送信されたセッション接続確立応答を受信し、セッション接続確立応答はセッション識別子および／または第二のデータ・チャネル情報を担持し、第二のデータ・チャネル情報はコア・ネットワーク・ユーザー・プレーン機能エンティティーとターゲット無線アクセス・ネットワーク・ノードとの間のデータ伝送チャネルを確立するために使用される。
【００２９】
もう一つの可能な設計では、ターゲット移動性管理機能エンティティーがターゲット無線アクセス・ネットワーク・ノードにハンドオーバー要求を送信した後、ターゲット移動性管理機能エンティティーは、ターゲット無線アクセス・ネットワーク・ノードによって送信されたハンドオーバー完了通知を受信する。ここで、ハンドオーバー完了通知はセッション管理メッセージを含み、セッション管理メッセージはセッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用され、ターゲット移動性管理機能エンティティーは、セッション管理メッセージをターゲット・セッション管理機能エンティティーに送信する。
【００３０】
もう一つの可能な設計では、再配置要求は、ユーザー端末の移動性管理コンテキストを含み、移動性管理コンテキストは、ソース・システムの移動性管理コンテキストであり；ターゲット移動性管理機能エンティティーが、ソース移動性管理機能エンティティーによって送信された再配置要求を受信した後、ターゲット移動性管理機能エンティティーは、ソース・システムの移動性管理コンテキストをターゲット・システムの移動性管理コンテキストにマッピングする。
【００３１】
第四の側面によれば、本願は、下記を含むネットワーク・ハンドオーバー方法を提供する。
【００３２】
ソース基地局によって送られた、ターゲット無線アクセス・ネットワーク・ノードのネットワーク識別子を担持するユーザー端末ハンドオーバー要求を受信した後、ソース移動性管理機能エンティティーは、ターゲット無線アクセス・ネットワーク・ノードのネットワーク識別子に基づいて、RAT間ネットワーク・ハンドオーバーをトリガーすることを決定し、ターゲット移動性管理機能エンティティーに再配置要求を送信する。該再配置要求を受信した後、ターゲット移動性管理機能エンティティーは、セッション管理コンテキストをターゲット・セッション管理機能エンティティーに送信する。該セッション管理コンテキストを受信した後、ターゲット・セッション管理機能エンティティーはセッション接続確立要求をターゲット移動性管理機能エンティティーに送信する。セッション接続確立要求を受信した後、ターゲット移動性管理機能エンティティーは該セッション接続確立要求をターゲット無線アクセス・ネットワーク・ノードに送信する。ここで、接続確立要求は、ターゲット無線アクセス・ネットワーク・ノードに、コア・ネットワーク・ユーザー・プレーン機能エンティティーとデータ伝送チャネルを確立するよう命令するために使われる。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００３３】
ある可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送する前に、ターゲット・セッション管理機能エンティティーが、ターゲット移動性管理機能エンティティーによって送信される、ユーザー端末の端末識別子およびターゲット無線アクセス・ネットワーク・ノードのネットワーク識別子を受信する。任意的に、ターゲット・セッション管理機能エンティティーは、ターゲット無線アクセス・ネットワーク・ノードのネットワーク識別子に基づいて、この動作がRAT間ネットワーク・ハンドオーバーであることを判別する。
【００３４】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送する前に、ターゲット・セッション管理機能エンティティーは、ターゲット移動性管理機能エンティティーによって送信されるRAT間ネットワーク・ハンドオーバー指示および／またはターゲット・ネットワーク・アクセス型を受信する。ここで、RAT間ネットワーク・ハンドオーバー指示および／またはターゲット・ネットワーク・アクセス型は、ターゲット・セッション管理機能エンティティーによって、この動作がRAT間ネットワーク・ハンドオーバーであることを判別するために使われる。
【００３５】
もう一つの可能な設計では、ターゲット・セッション管理機能エンティティーがターゲット移動性管理機能エンティティーによって送信されたセッション管理コンテキストを受信した後、ターゲット・セッション管理機能エンティティーは、ターゲット無線アクセス・ネットワーク・ノードのネットワーク識別子、RAT間ネットワーク・ハンドオーバー指示およびターゲット・ネットワーク・アクセス型のうちの少なくとも一つに基づいて、この動作がRAT間ネットワーク・ハンドオーバーであることを判別する。
【００３６】
もう一つの可能な設計では、セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【００３７】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送した後、ターゲット・セッション管理機能エンティティーが、ターゲット移動性管理機能エンティティーから送信されたセッション管理メッセージを受信し、ここで、セッション管理メッセージは、ターゲット移動性管理機能エンティティーがターゲット無線アクセス・ネットワーク・ノードによって送信されたハンドオーバー完了通知を受信した後に、ターゲット移動性管理機能エンティティーによって送信され、ハンドオーバー完了通知はセッション管理メッセージを含み、セッション管理メッセージはセッション識別子および／または第二のデータ・チャネル情報を担持し、第二のデータ・チャネル情報がコア・ネットワーク・ユーザー・プレーン機能エンティティーとターゲット無線アクセス・ネットワーク・ノードとの間のデータ伝送チャネルを確立するために使われる。
【００３８】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送した後、ターゲット・セッション管理機能エンティティーは、ターゲット移動性管理機能エンティティーによって転送されたセッション接続確立応答を受信する。ここで、セッション接続確立応答がターゲット無線アクセス・ネットワーク・ノードによってターゲット移動性管理機能エンティティーに送信され、セッション接続確立応答がセッション識別子および／または第二のデータ・チャネル情報を担持し、第二のデータ・チャネル情報はコア・ネットワーク・ユーザー・プレーン機能エンティティーとターゲット無線アクセス・ネットワーク・ノードとの間のデータ伝送チャネルを確立するために使用される。
【００３９】
もう一つの可能な設計では、セッション管理コンテキストは、ソース・システムのセッション管理コンテキストであり；ターゲット・セッション管理機能エンティティーが、ターゲット移動性管理機能エンティティーによって送信されるソース・システムのセッション管理コンテキストを受信した後、ターゲット・セッション管理機能エンティティーは、ソース・システムの移動性管理コンテキストをターゲット・システムの移動性管理コンテキストにマッピングする。
【００４０】
第五の側面によれば、本願は、ソース移動性管理機能エンティティーを提供する。ソース移動性管理機能エンティティーは、第一の側面における、ソース移動性管理機能エンティティーによって実行される方法および機能を実装するよう構成される。ソース移動性管理機能エンティティーは、ハードウェア／ソフトウェアによって実装され、ソース移動性管理機能エンティティーのハードウェア／ソフトウェアは、上記機能に対応するユニットを含む。
【００４１】
第六の側面によれば、本願は、ソース・セッション管理機能エンティティーを提供する。ソース・セッション管理機能エンティティーは、第二の側面における、ソース・セッション管理機能エンティティーによって実行される方法および機能を実装するよう構成される。ソース・セッション管理機能エンティティーは、ハードウェア／ソフトウェアによって実装され、ソース・セッション管理機能エンティティーのハードウェア／ソフトウェアは、上記機能に対応するユニットを含む。
【００４２】
第七の側面によれば、本願は、ターゲット移動性管理機能エンティティーを提供する。ターゲット移動性管理機能エンティティーは、第三の側面における、ターゲット移動性管理機能エンティティーによって実行される方法および機能を実装するよう構成される。ターゲット移動性管理機能エンティティーは、ハードウェア／ソフトウェアによって実装され、ターゲット移動性管理機能エンティティーのハードウェア／ソフトウェアは、上記機能に対応するユニットを含む。
【００４３】
第八の側面によれば、本願は、ターゲット・セッション管理機能エンティティーを提供する。ターゲット・セッション管理機能エンティティーは、第四の側面における、ターゲット・セッション管理機能エンティティーによって実行される方法および機能を実装するよう構成される。ターゲット・セッション管理機能エンティティーは、ハードウェア／ソフトウェアによって実装され、ターゲット・セッション管理機能エンティティーのハードウェア／ソフトウェアは、上記機能に対応するユニットを含む。
【００４４】
第九の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第一の側面で提供されるネットワーク・ハンドオーバー方法のステップを実装する。
【００４５】
第十の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第二の側面で提供されるネットワーク・ハンドオーバー方法のステップを実装する。
【００４６】
第十一の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第三の側面で提供されるネットワーク・ハンドオーバー方法のステップを実装する。
【００４７】
第十二の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第四の側面で提供されるネットワーク・ハンドオーバー方法のステップを実装する。
【図面の簡単な説明】
【００４８】
本願の実施形態における技術的解決策をより明確に説明するために、下記では、実施形態を説明するために必要とされる添付の図面を簡単に説明する。明らかに、下記の説明における添付の図面は、本願のいくつかの実施形態を示しているに過ぎず、当業者はさらに、創造的努力なしに、これら添付の図面から他の図面を導き出しうる。
【００４９】
【図１】従来技術によるEPSネットワーク・アーキテクチャーの概略的な構造図である。
【００５０】
【図２】従来技術によるネットワーク・スライスの概略的なアーキテクチャー図である。
【００５１】
【図３】図３Ａおよび図３Ｂは、本願の第一の実施形態によるネットワーク・ハンドオーバー方法の概略的なフローチャートである。
【００５２】
【図４】図４Ａおよび図４Ｂは、本願の第二の実施形態によるネットワーク・ハンドオーバー方法の概略的なフローチャートである。
【００５３】
【図５】図５Ａ、図５Ｂおよび図５Ｃは、本願の第三の実施形態によるネットワーク・ハンドオーバー方法の概略的なフローチャートである。
【００５４】
【図６】図６Ａ、図６Ｂおよび図６Ｃは、本願の第四の実施形態によるネットワーク・ハンドオーバー方法の概略的なフローチャートである。
【００５５】
【図７】図７Ａおよび図７Ｂは、本願の第五の実施形態によるネットワーク・ハンドオーバー方法の概略的なフローチャートである。
【００５６】
【図８】図８Ａおよび図８Ｂは、本願の第六の実施形態によるネットワーク・ハンドオーバー方法の概略的なフローチャートである。
【００５７】
【図９】図９Ａおよび図９Ｂは、本願の第七の実施形態によるネットワーク・ハンドオーバー方法の概略的なフローチャートである。
【００５８】
【図１０】図１０Ａおよび図１０Ｂは、本願の第八の実施形態によるネットワーク・ハンドオーバー方法の概略的なフローチャートである。
【００５９】
【図１１】本願のある実施形態によるソース移動性管理機能エンティティーの概略的な構造図である。
【００６０】
【図１２】本願のある実施形態によるソース・セッション管理機能エンティティーの概略的な構造図である。
【００６１】
【図１３】本願のある実施形態によるターゲット移動性管理機能エンティティーの概略的な構造図である。
【００６２】
【図１４】本願の実施形態によるターゲット・セッション管理機能エンティティーの概略的な構造図である。
【００６３】
【図１５】本願によるネットワーク・ハンドオーバー装置の概略的な構造図である。
【００６４】
【図１６】本願による別のネットワーク・ハンドオーバー装置の概略的な構造図である。
【００６５】
【図１７】本願による別のネットワーク・ハンドオーバー装置の概略的な構造図である。
【００６６】
【図１８】本願によるさらに別のネットワーク・ハンドオーバー装置の概略的な構造図である。
【発明を実施するための形態】
【００６７】
下記は、添付の図面を参照して、本願の実施形態を記述する。図３Ａおよび図３Ｂを参照するに、図３Ａおよび図３Ｂは、本願の第一の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNBおよびMMEは4Gネットワークにおける装置である。図に示されるように、本願のこの実施形態における方法は、以下のステップを含む。
【００６８】
S301。UEがソース無線アクセス・ネットワーク・ノードNG-RANからターゲット基地局eNBへのハンドオーバーをトリガーする。
【００６９】
S302。無線アクセス・ネットワーク・ノードNG-RANが、ソース移動性管理機能エンティティーAMFに、ターゲット基地局識別子を担持するユーザー端末ハンドオーバー要求を送信する。
【００７０】
S303。ソース移動性管理機能エンティティーAMFが、ターゲット基地局識別子に基づいて、RAT間ネットワーク・ハンドオーバーをトリガーすることを決定する。
【００７１】
S304。ソース移動性管理機能エンティティーAMFが、ソース・セッション管理機能エンティティーSMFに第一のメッセージを送信する。任意的に、第一のメッセージは、ターゲット基地局識別子を含む。任意的に、ターゲット基地局識別子は、この動作がRAT間ネットワーク・ハンドオーバーであることを判別するために、ソース・セッション管理機能エンティティーによって使用される。
【００７２】
任意的に、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００７３】
S305。ソース・セッション管理機能エンティティーSMFが、第二のメッセージをソース移動性管理機能エンティティーAMFに送信する。第二のメッセージは、セッション管理コンテキストを含む。
【００７４】
任意的に、ソース・セッション管理機能エンティティーSMFがソース移動性管理機能エンティティーAMFに第二のメッセージを送信する前に、ソース・セッション管理機能エンティティーSMFは、ターゲット基地局識別子に基づいて、この動作がRAT間ハンドオーバーであることを決定してもよく、あるいはターゲット・ネットワーク・アクセス型および／またはRAT間ネットワーク・ハンドオーバー指示に基づいて、この動作がRAT間ネットワーク・ハンドオーバーであることを判別してもよい。
【００７５】
任意的に、第二のメッセージは、ユーザー端末のセッション管理コンテキストを含み、セッション管理コンテキストは、ターゲット・システムのセッション管理コンテキストである。ソース・セッション管理機能エンティティーSMFが第二のメッセージをソース移動性管理機能エンティティーAMFに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングする。
【００７６】
S306。ソース移動性管理機能エンティティーAMFが、ターゲット移動性管理機能エンティティーMMEに、再配置要求を送信する。ここで、再配置要求は、ターゲット移動性管理機能エンティティーに、ユーザー端末に対してRAT間ネットワーク・ハンドオーバーを実行するよう命令するために使用される。
【００７７】
再配置要求は、ターゲット基地局識別子、ユーザー端末の端末識別子、セッション管理コンテキストおよび移動性管理コンテキストを担持する。
【００７８】
任意的に、再配置要求はさらに、ユーザー端末の移動性管理コンテキストを含み、該移動性管理コンテキストは、ターゲット・システムの移動性管理コンテキストである。ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングする。
【００７９】
S307。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【００８０】
S308。サービス・ゲートウェイS-GWが、ターゲット移動性管理機能エンティティーMMEに対してセッション確立応答を返す。
【００８１】
S309。ターゲット移動性管理機能エンティティーMMEが、ハンドオーバー要求をターゲット基地局eNBに送信する。
【００８２】
S310。ターゲット基地局eNBが、ハンドオーバー要求受け取り確認メッセージをターゲット移動性管理機能エンティティーMMEに返す。
【００８３】
S311。ターゲット移動性管理機能エンティティーMMEが、ソース移動性管理機能エンティティーAMFに再配置応答を送信する。
【００８４】
ステップS301〜S311においてネットワーク・ハンドオーバーのために提供されるリソース準備に基づき、ステップS312〜S323において、5Gネットワークから4Gネットワークへのハンドオーバーを実行し、ネットワーク再構成を実行するプロセスについて記述される。ステップS312〜S323は、以下のように実行される。
【００８５】
S312。ソース移動性管理機能エンティティーAMFが、ソース無線アクセス・ネットワーク・ノードNG-RANにハンドオーバー・コマンドを送信する。
【００８６】
S313。ソース無線アクセス・ネットワーク・ノードNG-RANが、ハンドオーバー・コマンドをユーザー端末UEに転送する。
【００８７】
S314。ユーザー端末UEが、ターゲット基地局eNBにハンドオーバー完了通知メッセージを送信する。
【００８８】
S315。ターゲット基地局eNBが、ハンドオーバー完了通知メッセージをターゲット移動性管理機能エンティティーMMEに送信する。
【００８９】
S316。ターゲット移動性管理機能エンティティーMMEが、ソース移動性管理機能エンティティーAMFに再配置完了通知を送信する。
【００９０】
S317。ソース移動性管理機能エンティティーAMFが、ターゲット移動性管理機能エンティティーMMEに再配置完了通知受け取り確認を送信する。
【００９１】
S318。ターゲット移動性管理機能エンティティーMMEが、サービス・ゲートウェイS-GWにベアラー修正要求を送信する。
【００９２】
S319。サービス・ゲートウェイS-GWが、ソース・セッション管理機能エンティティーSMFにベアラー修正要求を送信する。
【００９３】
S320。ソース・セッション管理機能エンティティーSMFが、サービス・ゲートウェイS-GWにベアラー修正応答を返す。
【００９４】
S321。ソース・セッション管理機能エンティティーSMFおよびユーザー・プレーン機能エンティティーUPFが構成データを更新する。
【００９５】
S322。サービス・ゲートウェイS-GWが、ターゲット移動性管理機能エンティティーMMEにベアラー修正応答を送信する。
【００９６】
S323。ソース移動性管理機能エンティティーAMFが、無線アクセス・ネットワーク・ノードNG-RANのネットワーク・リソースを解放する。
【００９７】
本願のこの実施形態におけるステップを実行する順序は、限定されなくてもよく、ステップを実行する順序は変更されてもよいことを注意しておくべきである。
【００９８】
図４Ａおよび図４Ｂを参照するに、図４Ａおよび図４Ｂは、本願の第二の実施形態によるネットワーク・ハンドオーバー方法の概略的なフローチャートである。4Gネットワーク（ソース・システム）から5Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【００９９】
S401。UEが、ソース基地局eNBからターゲット無線アクセス・ネットワーク・ノードNG-RANへのハンドオーバーをトリガーする。
【０１００】
S402。ソース基地局eNBが、ソース移動性管理機能エンティティーMMEに、ターゲット無線アクセス・ネットワーク・ノードのネットワーク識別子を担持するユーザー端末ハンドオーバー要求を送信する。
【０１０１】
S403。ソース移動性管理機能エンティティーMMEが、ターゲット無線アクセス・ネットワーク・ノードのネットワーク識別子に基づいて、RAT間ネットワーク・ハンドオーバーをトリガーすることを決定し、ターゲット移動性管理機能エンティティーAMFに再配置要求を送信する。
【０１０２】
再配置要求は、ユーザー端末の端末識別子、ターゲット無線アクセス・ネットワーク・ノードのネットワーク識別子およびユーザー端末のコンテキスト情報を担持し、ユーザー端末のコンテキスト情報は、移動性管理コンテキストおよびセッション管理コンテキストを含む。
【０１０３】
S404。ターゲット移動性管理機能エンティティーAMFが、セッション管理コンテキストをターゲット・セッション管理機能エンティティーSMFに送信する。
【０１０４】
任意的に、再配置要求は、ユーザー端末の移動性管理コンテキストを含み、移動性管理コンテキストは、ソース・システムの移動性管理コンテキストである。セッション管理コンテキストをターゲット・セッション管理機能エンティティーSMFに送信する前に、ターゲット移動性管理機能エンティティーAMFは、ソース・システムの移動性管理コンテキストをターゲット・システムの移動性管理コンテキストにマッピングしてもよい。
【０１０５】
任意的に、ターゲット移動性管理機能エンティティーAMFはさらに、ユーザー端末の端末識別子およびターゲット無線アクセス・ネットワーク・ノードのネットワーク識別子をターゲット・セッション管理機能エンティティーSMFに送信してもよい。
【０１０６】
任意的に、ターゲット移動性管理機能エンティティーAMFはさらに、RAT間ネットワーク・ハンドオーバー指示および／またはターゲット・ネットワーク・アクセス型をターゲット・セッション管理機能エンティティーSMFに送信してもよく、RAT間ネットワーク・ハンドオーバー指示および／またはターゲット・ネットワーク・アクセス型は、この動作がRAT間ネットワーク・ハンドオーバーであることを判別するために、ターゲット・セッション管理機能エンティティーによって使用される。
【０１０７】
S405。ターゲット・セッション管理機能エンティティーSMFが、セッション接続確立要求をターゲット移動性管理機能エンティティーAMFに送信する。
【０１０８】
任意的に、ターゲット移動性管理機能エンティティーAMFによって送信されるソース・システムのセッション管理コンテキストを受信した後、ターゲット・セッション管理機能エンティティーSMFは、ソース・システムのセッション管理コンテキストをターゲット・システムのセッション管理コンテキストにマッピングし、次いで、セッション接続確立要求をターゲット移動性管理機能エンティティーAMFに送信してもよい。
【０１０９】
セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【０１１０】
任意的に、ターゲット・セッション管理機能エンティティーSMFはさらに、ターゲット移動性管理機能エンティティーAMFからターゲット無線アクセス・ネットワーク・ノードのネットワーク識別子を受信する。任意的に、ターゲット移動性管理機能エンティティーAMFによって送信されたセッション管理コンテキストを受信した後、ターゲット・セッション管理機能エンティティーSMFは、ターゲット無線アクセス・ネットワーク・ノードのネットワーク識別子に基づいて、この動作がRAT間ネットワーク・ハンドオーバーであることを判別してもよい。
【０１１１】
任意的に、ターゲット・セッション管理機能エンティティーSMFはさらに、ターゲット移動性管理機能エンティティーAMFから、RAT間ネットワーク・ハンドオーバー指示および／またはターゲット・ネットワーク・アクセス型を受信する。ターゲット移動性管理機能エンティティーAMFによって送信されたセッション管理コンテキストを受信した後、ターゲット・セッション管理機能エンティティーSMFは、RAT間ネットワーク・ハンドオーバー指示および／またはターゲット・ネットワーク・アクセス型に基づいて、この動作がRAT間ネットワーク・ハンドオーバーであることを判別してもよい。
【０１１２】
任意的に、ターゲット・セッション管理機能エンティティーSMFはさらに、ターゲット移動性管理機能エンティティーAMFから、ターゲット無線アクセス・ネットワーク・ノードのネットワーク識別子、RAT間ネットワーク・ハンドオーバー指示およびターゲット・ネットワーク・アクセス型のうちの少なくとも一つを受信する。ターゲット移動性管理機能エンティティーAMFによって送信されたセッション管理コンテキストを受信した後、ターゲット・セッション管理機能エンティティーSMFは、ターゲット無線アクセス・ネットワーク・ノードのネットワーク識別子、RAT間ネットワーク・ハンドオーバー指示およびターゲット・ネットワーク・アクセス型のうちの少なくとも一つに基づいて、この動作がRAT間ネットワーク・ハンドオーバーであることを判別してもよい。
【０１１３】
S406。ターゲット移動性管理機能エンティティーAMFが、ターゲット無線アクセス・ネットワーク・ノードNG-RANに、セッション接続確立要求を担持するハンドオーバー要求を送信するか；または、ターゲット無線アクセス・ネットワーク・ノードNG-RANにハンドオーバー要求を送信し、ターゲット無線アクセス・ネットワーク・ノードNG-RANにセッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するよう命令するために使われる。
【０１１４】
S407。ターゲット無線アクセス・ネットワーク・ノードNG-RANは、ハンドオーバー要求受け取り確認をターゲット移動性管理機能エンティティーAMFに送信するか；または、セッション接続確立応答を担持するハンドオーバー要求受け取り確認をターゲット移動性管理機能エンティティーAMFに送信する。
【０１１５】
任意的に、セッション接続確立要求がターゲット無線アクセス・ネットワーク・ノードNG-RANに送信されるハンドオーバー要求に含まれず、セッション接続確立応答がターゲット無線アクセス・ネットワーク・ノードNG-RANに送信されるハンドオーバー要求受け取り確認に含まれない場合、ターゲット無線アクセス・ネットワーク・ノードNG-RANによって送信されるハンドオーバー要求受け取り確認を受信した後、ターゲット移動性管理機能エンティティーAMFは、ターゲット無線アクセス・ネットワーク・ノードNG-RANにセッション接続確立要求を送信してもよく；セッション接続確立要求を受信した後、ターゲット無線アクセス・ネットワーク・ノードNG-RANは、ターゲット移動性管理機能エンティティーAMFにセッション接続確立応答を返す。
【０１１６】
セッション接続確立応答は、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０１１７】
S408。ターゲット移動性管理機能エンティティーAMFが、セッション接続確立応答をターゲット・セッション管理機能エンティティーSMFに送信する。
【０１１８】
S409。ターゲット移動性管理機能エンティティーAMFが、ソース移動性管理機能エンティティーMMEに再配置応答を送信する。
【０１１９】
S410。ソース移動性管理機能エンティティーMMEが、ソース基地局eNBにハンドオーバー・コマンドを送信する。
【０１２０】
S411。ソース基地局eNBが、ユーザー端末UEにハンドオーバー・コマンドを送信する。
【０１２１】
S412。ユーザー端末UEが、ターゲット無線アクセス・ネットワーク・ノードNG-RANに対してハンドオーバー完了通知を送信する。
【０１２２】
S413。ターゲット無線アクセス・ネットワーク・ノードNG-RANが、ハンドオーバー完了通知をターゲット移動性管理機能エンティティーAMFに送信する。ここで、ハンドオーバー完了通知はセッション管理メッセージを含み、セッション管理メッセージは、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０１２３】
S414。ターゲット移動性管理機能エンティティーAMFが、セッション管理メッセージをターゲット・セッション管理機能エンティティーSMFに送信する。
【０１２４】
S415。ターゲット移動性管理機能エンティティーAMFが、再配置完了通知をソース移動性管理機能エンティティーMMEに送信する。
【０１２５】
S416。ソース移動性管理機能エンティティーMMEが、ターゲット移動性管理機能エンティティーAMFに再配置完了受け取り確認を送信する。
【０１２６】
S417。ユーザー・プレーン機能エンティティーUPFとターゲット・セッション管理機能エンティティーSMFがデータを構成する。
【０１２７】
S418。ユーザー端末UEとターゲット移動性管理機能エンティティーAMFが登録手順を実行する。
【０１２８】
S419。ソース移動性管理機能エンティティーMMEが、ソース基地局eNBのネットワーク・リソースを解放する。
【０１２９】
本願のこの実施形態におけるステップを実行する順序は、限定されなくてもよく、ステップを実行する順序は変更されてもよいことを注意しておくべきである。
【０１３０】
図５Ａ、図５Ｂおよび図５Ｃを参照するに、図５Ａ、図５Ｂおよび図５Ｃは、本願の第三の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。最初の二つの実施形態のものと比較して、この実施形態のシステムは、相互運用機能ネットワーク要素IWFをさらに含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０１３１】
S501。UEが、ソース無線アクセス・ネットワーク・ノードNG-RANからターゲット基地局eNBへのハンドオーバーをトリガーする。
【０１３２】
S502。無線アクセス・ネットワーク・ノードNG-RANが、ソース移動性管理機能エンティティーAMFに、ターゲット基地局識別子を担持するユーザー端末ハンドオーバー要求を送信する。
【０１３３】
S503。ソース移動性管理機能エンティティーAMFが、ターゲット基地局識別子に基づいて、RAT間ネットワーク・ハンドオーバーをトリガーすることを決定する。
【０１３４】
S504。ソース移動性管理機能エンティティーAMFが、相互運用機能ネットワーク要素IWFに再配置要求を送信する。ここで、再配置要求は、ユーザー端末の端末識別子、ターゲット基地局識別子および移動性管理コンテキストを担持する。
【０１３５】
S505。ソース移動性管理機能エンティティーAMFが、ハンドオーバー通知をソース・セッション管理機能エンティティーSMFに送信する。ここで、ハンドオーバー通知は、ユーザー端末の端末識別子およびターゲット基地局識別子を担持する。
【０１３６】
任意的に、ハンドオーバー通知は、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【０１３７】
S506。任意的に、ソース・セッション管理機能エンティティーSMFが、ターゲット基地局識別子に基づいて、この動作がRAT間ネットワーク・ハンドオーバーであることを判別するか；または、ターゲット・ネットワーク・アクセス型および／またはRAT間ネットワーク・ハンドオーバー指示に基づいて、この動作がRAT間ネットワーク・ハンドオーバーであることを判別する。
【０１３８】
S507。ソース・セッション管理機能エンティティーSMFが、相互運用機能ネットワーク要素IWFに再配置要求を送信する。ここで、再配置要求は、セッション管理コンテキストおよびユーザー端末の端末識別子を含む。
【０１３９】
S508。相互運用機能ネットワーク要素IWFが、再配置要求をターゲット移動性管理機能エンティティーMMEに送信する。ここで、再配置要求は、ユーザー端末の端末識別子、ターゲット基地局識別子、セッション管理コンテキストおよび移動性管理コンテキストを含む。
【０１４０】
任意的に、ターゲット移動性管理機能エンティティーMMEに再配置要求を送信する前に、相互運用機能ネットワーク要素IWFは、ソース・システムの移動性管理コンテキストをターゲット・システムの移動性管理コンテキストにマッピングし、ソース・システムのセッション管理コンテキストをターゲット・システムのセッション管理コンテキストにマッピングしてもよい。
【０１４１】
S509。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０１４２】
S510。サービス・ゲートウェイS-GWが、ターゲット移動性管理機能エンティティーMMEにセッション確立応答を返す。
【０１４３】
S511。ターゲット移動性管理機能エンティティーMMEが、ハンドオーバー要求をターゲット基地局eNBに送信する。
【０１４４】
S512。ターゲット基地局eNBが、ハンドオーバー要求受け取り確認をターゲット移動性管理機能エンティティーMMEに送信する。
【０１４５】
S513。ターゲット移動性管理機能エンティティーMMEが、相互運用機能ネットワーク要素IWFに再配置応答を送信する。
【０１４６】
S514。相互運用機能ネットワーク要素IWFが、ソース・セッション管理機能エンティティーSMFに再配置応答を送信する。
【０１４７】
S515。相互運用機能ネットワーク要素IWFが、ソース移動性管理機能エンティティーAMFに再配置応答を送信する。
【０１４８】
ステップS501〜S515においてネットワーク・ハンドオーバーのために提供されるリソース準備に基づき、ステップS516〜S531において、5Gネットワークから4Gネットワークへのハンドオーバーを実行し、ネットワーク再構成を実行するプロセスについて記述される。ステップS516〜S531は、本願の第一の実施形態におけるステップと同様であり、本願のこの実施形態では詳細は説明されない。
【０１４９】
本願のこの実施形態におけるステップを実行する順序は、限定されなくてもよく、ステップを実行する順序は変更されてもよいことを注意しておくべきである。
【０１５０】
図６Ａ、図６Ｂおよび図６Ｃを参照するに、図６Ａ、図６Ｂおよび図６Ｃは、本願の第四の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。最初の二つの実施形態のものと比較して、この実施形態のシステムはさらに、相互運用機能ネットワーク要素IWFを含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０１５１】
S601。UEが、ソース無線アクセス・ネットワーク・ノードNG-RANからターゲット基地局eNBへのハンドオーバーをトリガーする。
【０１５２】
S602。無線アクセス・ネットワーク・ノードNG-RANが、ソース移動性管理機能エンティティーAMFに、ターゲット基地局識別子を担持するユーザー端末ハンドオーバー要求を送信する。
【０１５３】
S603。ソース移動性管理機能エンティティーAMFが、ターゲット基地局識別子に基づいて、RAT間ネットワーク・ハンドオーバーをトリガーすることを決定する。
【０１５４】
S604。ソース移動性管理機能エンティティーAMFが、相互運用機能ネットワーク要素IWFに再配置要求を送信する。ここで、再配置要求は、ユーザー端末の端末識別子、ターゲット基地局識別子および移動性管理コンテキストを担持する。
【０１５５】
S605。相互運用機能ネットワーク要素IWFが、ソース・セッション管理機能エンティティーSMFに再配置要求を送信する。ここで、再配置要求はユーザー端末の端末識別子を含む。
【０１５６】
S606。ソース・セッション管理機能エンティティーSMFが、相互運用機能ネットワーク要素IWFに再配置応答を送信する。ここで、再配置応答は、セッション管理コンテキストを含む。
【０１５７】
S607。相互運用機能ネットワーク要素IWFが、再配置要求をターゲット移動性管理機能エンティティーMMEに送信する。ここで、再配置要求は、ユーザー端末の端末識別子、ターゲット基地局識別子、セッション管理コンテキストおよび移動性管理コンテキストを含む。
【０１５８】
任意的に、ターゲット移動性管理機能エンティティーMMEに再配置要求を送信する前に、相互運用機能ネットワーク要素IWFは、ソース・システムの移動性管理コンテキストをターゲット・システムの移動性管理コンテキストにマッピングし、ソース・システムのセッション管理コンテキストをターゲット・システムのセッション管理コンテキストにマッピングしてもよい。
【０１５９】
S608。ターゲット移動性管理機能エンティティーMMEが、セッション確立要求をサービス・ゲートウェイS-GWに送信する。セッション確立要求は、セッション管理コンテキストおよびユーザー端末の端末識別子を含む。
【０１６０】
S609。サービス・ゲートウェイS-GWが、ターゲット移動性管理機能エンティティーMMEにセッション確立応答を返す。
【０１６１】
S610。ターゲット移動性管理機能エンティティーMMEが、ハンドオーバー要求をターゲット基地局eNBに送信する。
【０１６２】
S611。ターゲット基地局eNBが、ハンドオーバー要求受け取り確認をターゲット移動性管理機能エンティティーMMEに送信する。
【０１６３】
S612。ターゲット移動性管理機能エンティティーMMEが、相互運用機能ネットワーク要素IWFに再配置応答を送信する。
【０１６４】
S613。相互運用機能ネットワーク要素IWFが、ソース・セッション管理機能エンティティーSMFに再配置応答を送信する。
【０１６５】
S614。相互運用機能ネットワーク要素IWFが、ソース移動性管理機能エンティティーAMFに再配置応答を送信する。
【０１６６】
ステップS601〜S614においてネットワーク・ハンドオーバーのために提供されるリソース準備に基づき、ステップS615〜S630において、5Gネットワークから4Gネットワークへのハンドオーバーを実行し、ネットワーク再構成を実行するプロセスについて記述される。ステップS615〜S630は、本願の第一実施形態におけるステップと同様であり、本願のこの実施形態では、詳細は説明されない。
【０１６７】
本願のこの実施形態におけるステップを実行する順序は、限定されなくてもよく、ステップを実行する順序は変更されてもよいことを注意しておくべきである。
【０１６８】
図７Ａおよび図７Ｂを参照するに、図７Ａおよび図７Ｂは、本願の第五の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に示されている。NG-RAN、AMF、SMFは5Gネットワークにおける装置であり、eNB、MMEは4Gネットワークにおける装置である。図に示されるように、本願のこの実施形態における方法は、以下のステップを含む。
【０１６９】
S701。UEが、ソース無線アクセス・ネットワーク・ノードNG-RANからターゲット基地局eNBへのハンドオーバーをトリガーする。
【０１７０】
S702。無線アクセス・ネットワーク・ノードNG-RANが、ソース移動性管理機能エンティティーAMFに、ターゲット基地局識別子を担持するユーザー端末ハンドオーバー要求を送信する。
【０１７１】
S703。ソース移動性管理機能エンティティーAMFが、ターゲット基地局識別子に基づいて、RAT間ネットワーク・ハンドオーバーをトリガーすることを決定し、移動性管理コンテキストをソース・セッション管理機能エンティティーSMFに送信する。
【０１７２】
移動性管理コンテキストは、ターゲット基地局識別子およびユーザー端末の端末識別子を担持し、ターゲット基地局識別子は、この動作がRAT間ネットワーク・ハンドオーバーであることを判別するために、ソース・セッション管理機能エンティティーによって使用される。
【０１７３】
任意的に、ソース移動性管理機能エンティティーAMFが移動性管理コンテキストをソース・セッション管理機能エンティティーSMFに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０１７４】
S704。ソース・セッション管理機能エンティティーSMFが、ターゲット移動性管理機能エンティティーMMEに再配置要求を送信する。ここで、再配置要求は、ターゲット移動性管理機能エンティティーに、ユーザー端末に対してRAT間ネットワーク・ハンドオーバーを実行するように命令するために使用される。
【０１７５】
再配置要求は、ターゲット基地局識別子、ユーザー端末の端末識別子、セッション管理コンテキストおよび移動性管理コンテキストを担持する。
【０１７６】
任意的に、ソース・セッション管理機能エンティティーSMFが再配置要求をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングする。
【０１７７】
S705。ターゲット移動性管理機能エンティティーMMEが、セッション確立要求をサービス・ゲートウェイS-GWに送信する。ここで、セッション確立要求は、セッション管理コンテキストおよびユーザー端末の端末識別子を含む。
【０１７８】
S706。サービス・ゲートウェイS-GWが、ターゲット移動性管理機能エンティティーMMEにセッション確立応答を返す。
【０１７９】
S707。ターゲット移動性管理機能エンティティーMMEが、ハンドオーバー要求をターゲット基地局eNBに送信する。
【０１８０】
S708。ターゲット基地局eNBが、ハンドオーバー要求受け取り確認メッセージをターゲット移動性管理機能エンティティーMMEに返す。
【０１８１】
S709。ターゲット移動性管理機能エンティティーMMEが、ソース移動性管理機能エンティティーAMFに再配置応答を送信する。
【０１８２】
ステップS701〜S709においてネットワーク・ハンドオーバーのために提供されるリソース準備に基づき、ステップS710〜S721において、5Gネットワークから4Gネットワークへのハンドオーバーを実行し、ネットワーク再構成を実行するプロセスについて記述される。ステップS710〜S721は、本願の第一実施形態におけるステップと同様であり、本願のこの実施形態では詳細は説明されない。
【０１８３】
本願のこの実施形態におけるステップを実行する順序は、限定されなくてもよく、ステップを実行する順序は変更されてもよいことを注意しておくべきである。
【０１８４】
図８Ａおよび図８Ｂを参照するに、図８Ａおよび図８Ｂは、本願の第六の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【０１８５】
S801。UEが、ソース無線アクセス・ネットワーク・ノードNG-RANからターゲット基地局eNBへのハンドオーバーをトリガーする。
【０１８６】
S802。無線アクセス・ネットワーク・ノードNG-RANが、ソース移動性管理機能エンティティーAMFに、ターゲット基地局識別子を担持するユーザー端末ハンドオーバー要求を送信する。
【０１８７】
S803。ソース移動性管理機能エンティティーAMFが、ターゲット基地局識別子に基づいて、RAT間ネットワーク・ハンドオーバーをトリガーすることを決定し、再配置要求をターゲット移動性管理機能エンティティーMMEに送信する。ここで、再配置要求は、ユーザー端末の端末識別子、ターゲット基地局識別子および移動性管理コンテキストを含む。
【０１８８】
任意的に、ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０１８９】
S804。ソース移動性管理機能エンティティーAMFが、位置通知をソース・セッション管理機能エンティティーSMFに送信する。ここで、位置通知は、ユーザー端末の端末識別子と、ターゲット移動性管理機能エンティティーMMEのネットワーク・アドレスとを含む。
【０１９０】
S805。ソース・セッション管理機能エンティティーSMFが、ターゲット移動性管理機能エンティティーMMEのネットワーク・アドレスに基づいて、ターゲット移動性管理機能エンティティーMMEに再配置要求を送信する。ここで、再配置要求は、セッション管理コンテキストおよびユーザー端末の端末識別子を含む。
【０１９１】
任意的に、再配置要求をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングしてもよい。
【０１９２】
S806。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０１９３】
S807。サービス・ゲートウェイS-GWが、ターゲット移動性管理機能エンティティーMMEにセッション確立応答を返す。
【０１９４】
S808。ターゲット移動性管理機能エンティティーMMEが、ソース・セッション管理機能エンティティーSMFに再配置応答を送信する。
【０１９５】
S809。ターゲット移動性管理機能エンティティーMMEが、ハンドオーバー要求をターゲット基地局eNBに送信する。
【０１９６】
S810。ターゲット基地局eNBが、ハンドオーバー要求受け取り確認メッセージをターゲット移動性管理機能エンティティーMMEに返す。
【０１９７】
S811。ターゲット移動性管理機能エンティティーMMEが、ソース移動性管理機能エンティティーAMFに再配置応答を送信する。
【０１９８】
ステップS801〜S811においてネットワーク・ハンドオーバーのために提供されるリソース準備に基づいて、ステップS812〜S823において、5Gネットワークから4Gネットワークへのハンドオーバーを実行し、ネットワーク再構成を実行するプロセスが記述される。ステップS812〜S823は、本願の第一の実施形態におけるステップと同様であり、詳細は、本願のこの実施形態では説明されない。
【０１９９】
本願のこの実施形態におけるステップを実行する順序は、限定されなくてもよく、ステップを実行する順序は変更されてもよいことを注意しておくべきである。
【０２００】
図９Ａおよび図９Ｂを参照するに、図９Ａおよび図９Ｂは、本願の第七の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【０２０１】
S901。UEが、ソース無線アクセス・ネットワーク・ノードNG-RANからターゲット基地局eNBへのハンドオーバーをトリガーする。
【０２０２】
S902。無線アクセス・ネットワーク・ノードNG-RANが、ソース移動性管理機能エンティティーAMFに、ターゲット基地局識別子を担持するユーザー端末ハンドオーバー要求を送信する。
【０２０３】
S903。ソース移動性管理機能エンティティーAMFが、ターゲット基地局識別子に基づいて、RAT間ネットワーク・ハンドオーバーをトリガーすることを決定し、再配置要求をターゲット移動性管理機能エンティティーMMEに送信する。ここで、再配置要求は、ユーザー端末の端末識別子、ターゲット基地局識別子、移動性管理コンテキストおよびソース・セッション管理機能エンティティーSMFのネットワーク・アドレスを含む。
【０２０４】
任意的に、ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０２０５】
S904。ターゲット移動性管理機能エンティティーMMEが、ソース・セッション管理機能エンティティーSMFのネットワーク・アドレスに基づいて、ソース・セッション管理機能エンティティーSMFに再配置要求を送信する。ここで、再配置要求は、ユーザー端末の端末識別子を含む。
【０２０６】
S905。ソース・セッション管理機能エンティティーSMFが、再配置応答をターゲット移動性管理機能エンティティーMMEに送信する。ここで、再配置応答は、セッション管理コンテキスト、サービス品質情報およびデータ伝送チャネルを含む。
【０２０７】
任意的に、ソース・セッション管理機能エンティティーSMFが再配置応答をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングしてもよい。
【０２０８】
S906。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０２０９】
S907。サービス・ゲートウェイS-GWが、ターゲット移動性管理機能エンティティーMMEにセッション確立応答を返す。
【０２１０】
S908。ターゲット移動性管理機能エンティティーMMEが、ソース・セッション管理機能エンティティーSMFに再配置応答を送信する。
【０２１１】
S909。ターゲット移動性管理機能エンティティーMMEが、ハンドオーバー要求をターゲット基地局eNBに送信する。
【０２１２】
S910。ターゲット基地局eNBが、ハンドオーバー要求受け取り確認メッセージをターゲット移動性管理機能エンティティーMMEに返す。
【０２１３】
S911。ターゲット移動性管理機能エンティティーMMEが、ソース移動性管理機能エンティティーAMFに再配置応答を送信する。
【０２１４】
ステップS901〜S911においてネットワーク・ハンドオーバーのために提供されるリソース準備に基づいて、ステップS912〜S923において、5Gネットワークから4Gネットワークへのハンドオーバーを実行し、ネットワーク再構成を実行するプロセスが記述される。ステップS912〜S923は、本願の第一の実施形態におけるステップと同様であり、本願のこの実施形態では詳細は説明されない。
【０２１５】
本願のこの実施形態におけるステップを実行する順序は、限定されなくてもよく、ステップを実行する順序は変更されてもよいことを注意しておくべきである。
【０２１６】
図１０Ａおよび図１０Ｂを参照すると、図１０Ａおよび図１０Ｂは、本願の第八の実施形態によるネットワーク・ハンドオーバー方法の概略的なフローチャートである。4Gネットワーク（ソース・システム）から5Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。第二実施形態のものと比較して、本実施形態のシステムはさらに、相互運用機能ネットワーク要素IWFを含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０２１７】
S1001。UEが、ソース基地局eNBからターゲット無線アクセス・ネットワーク・ノードNG-RANへのハンドオーバーをトリガーする。
【０２１８】
S1002。ソース基地局eNBが、ソース移動性管理機能エンティティーMMEに、ターゲット無線アクセス・ネットワーク・ノードのネットワーク識別子を担持するユーザー端末ハンドオーバー要求を送信する。
【０２１９】
S1003。ソース移動性管理機能エンティティーMMEが、ターゲット無線アクセス・ネットワーク・ノードのネットワーク識別子に基づいて、RAT間ネットワーク・ハンドオーバーをトリガーすることを決定する。
【０２２０】
S1004。ソース移動性管理機能エンティティーMMEが、相互運用機能ネットワーク要素IWFに再配置要求を送信する。
【０２２１】
再配置要求は、ユーザー端末の端末識別子、ターゲット無線アクセス・ネットワーク・ノードのネットワーク識別子、およびユーザー端末のコンテキスト情報を担持し、ユーザー端末のコンテキスト情報は、移動性管理コンテキストおよびセッション管理コンテキストを含む。
【０２２２】
S1005。相互運用機能ネットワーク要素IWFが、再配置要求をターゲット移動性管理機能エンティティーAMFに送信する。ここで、再配置要求は、ユーザー端末の端末識別子、ターゲット無線アクセス・ネットワーク・ノードのネットワーク識別子、および移動性管理コンテキストを含む。
【０２２３】
任意的に、再配置要求をターゲット移動性管理機能エンティティーAMFに送信する前に、相互運用機能ネットワーク要素IWFは、ソース・システムの移動性管理コンテキストをターゲット・システムの移動性管理コンテキストにマッピングしてもよい。
【０２２４】
S1006。相互運用機能ネットワーク要素IWFが、再配置要求をターゲット・セッション管理機能エンティティーSMFに送信する。ここで、再配置要求は、ユーザー端末の端末識別子、ターゲット無線アクセス・ネットワーク・ノードのネットワーク識別子およびセッション管理コンテキストを含む。
【０２２５】
任意的に、再配置要求をターゲット・セッション管理機能エンティティーSMFに送信する前に、相互運用機能ネットワーク要素IWFは、ソース・システムのセッション管理コンテキストをターゲット・システムのセッション管理コンテキストにマッピングしてもよい。
【０２２６】
S1007。ターゲット・セッション管理機能エンティティーSMFが、セッション接続確立要求をターゲット移動性管理機能エンティティーAMFに送信する。
【０２２７】
セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【０２２８】
任意的に、ターゲット・セッション管理機能エンティティーSMFはさらに、ターゲット無線アクセス・ネットワーク・ノードのネットワーク識別子を、相互運用機能ネットワーク要素IWFから受信する。任意的に、ターゲット・セッション管理機能エンティティーSMFは、ターゲット無線アクセス・ネットワーク・ノードのネットワーク識別子に基づいて、この動作がRAT間ネットワーク・ハンドオーバーであることを判別してもよい。
【０２２９】
任意的に、ターゲット・セッション管理機能エンティティーSMFはさらに、相互運用機能ネットワーク要素IWFから、RAT間ネットワーク・ハンドオーバー指示および／またはターゲット・ネットワーク・アクセス型を受信する。ターゲット・セッション管理機能エンティティーSMFは、RAT間ネットワーク・ハンドオーバー指示および／またはターゲット・ネットワーク・アクセス型に基づいて、この操作がRAT間ネットワーク・ハンドオーバーであると判別してもよい。
【０２３０】
任意的に、ターゲット・セッション管理機能エンティティーSMFはさらに、ターゲット無線アクセス・ネットワーク・ノードのネットワーク識別子、RAT間ネットワーク・ハンドオーバー指示、およびターゲット・ネットワーク・アクセス型のうちの少なくとも一つを、相互運用機能ネットワーク要素IWFから受信する。ターゲット・セッション管理機能エンティティーSMFは、ターゲット無線アクセス・ネットワーク・ノードのネットワーク識別子、RAT間ネットワーク・ハンドオーバー指示、およびターゲット・ネットワーク・アクセス型のうちの少なくとも一つに基づいて、この動作がRAT間ネットワーク・ハンドオーバーであることを判別してもよい。
【０２３１】
S1008。ターゲット移動性管理機能エンティティーAMFが、ターゲット無線アクセス・ネットワーク・ノードNG-RANに、セッション接続確立要求を担持するハンドオーバー要求を送信するか；または、ターゲット無線アクセス・ネットワーク・ノードNG-RANにハンドオーバー要求を送信し、ターゲット無線アクセス・ネットワーク・ノードNG-RANにセッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するように命令するために使用される。
【０２３２】
S1009。ターゲット無線アクセス・ネットワーク・ノードNG-RANが、ハンドオーバー要求受け取り確認をターゲット移動性管理機能エンティティーAMFに送信するか；または、セッション接続確立応答を担持するハンドオーバー要求受け取り確認をターゲット移動性管理機能エンティティーAMFに送信する。
【０２３３】
セッション接続確立要求がターゲット無線アクセス・ネットワーク・ノードNG-RANに送られるハンドオーバー要求に含まれず、セッション接続確立応答がターゲット無線アクセス・ネットワーク・ノードNG-RANに送られるハンドオーバー要求受け取り確認に含まれない場合には、ターゲット無線アクセス・ネットワーク・ノードNG-RANによって送られるハンドオーバー要求受け取り確認を受信した後、ターゲット移動性管理機能エンティティーAMFはターゲット無線アクセス・ネットワーク・ノードNG-RANにセッション接続確立要求を送信してもよく；セッション接続確立要求を受信した後、ターゲット無線アクセス・ネットワーク・ノードNG-RANは、セッション接続確立応答をターゲット移動性管理機能エンティティーAMFに返す。
【０２３４】
任意的に、セッション接続確立応答は、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０２３５】
S1010。ターゲット移動性管理機能エンティティーAMFが、セッション接続確立応答をターゲット・セッション管理機能エンティティーSMFに送信する。
【０２３６】
S1011。ターゲット・セッション管理機能エンティティーSMFが、相互運用機能ネットワーク要素IWFに再配置応答を送信する。
【０２３７】
S1012。ターゲット移動性管理機能エンティティーAMFが、相互運用機能ネットワーク要素IWFに再配置応答を送信する。
【０２３８】
S1013。相互運用機能のネットワーク要素IWFが、ソース移動性管理機能エンティティーMMEに再配置応答を送信する。
【０２３９】
S1014。ソース移動性管理機能エンティティーMMEが、ソース基地局eNBにハンドオーバー・コマンドを送信する。
【０２４０】
S1015。ソース基地局eNBが、ユーザー端末UEにハンドオーバー・コマンドを送信する。
【０２４１】
S1016。ユーザー端末UEが、ターゲット無線アクセス・ネットワーク・ノードNG-RANにハンドオーバー完了通知を送信する。
【０２４２】
S1017。ターゲット無線アクセス・ネットワーク・ノードNG-RANが、ターゲット移動性管理機能エンティティーAMFにハンドオーバー完了通知を送信する。任意的に、ハンドオーバー完了通知は、セッション管理メッセージを含み、セッション管理メッセージは、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０２４３】
S1018。ターゲット移動性管理機能エンティティーAMFが、セッション管理メッセージをターゲット・セッション管理機能エンティティーSMFに送信する。
【０２４４】
S1019。ターゲット移動性管理機能エンティティーAMFが、相互運用機能ネットワーク要素IWFにハンドオーバー完了通知を送信する。
【０２４５】
S1020。相互運用機能のネットワーク要素IWFが、ソース移動性管理機能エンティティーMMEに再配置完了通知を送信する。
【０２４６】
S1021。ソース移動性管理機能エンティティーMMEが、相互運用機能ネットワーク要素IWFに再配置完了受け取り確認を送信する。
【０２４７】
S1022。ユーザー・プレーン機能エンティティーUPFおよびターゲット・セッション管理機能エンティティーSMFがデータを構成する。
【０２４８】
S1023。ユーザー端末UEおよびターゲット移動性管理機能エンティティーAMFが、登録手順を実行する。
【０２４９】
S1024。ソース移動性管理機能エンティティーMMEが、ソース基地局eNBのネットワーク・リソースを解放する。
【０２５０】
セッション識別子および／または第二のデータ・チャネル情報は、ステップS1009またはステップS1017のみで搬送されることを注意しておくべきである。
【０２５１】
本願のこの実施形態におけるステップを実行する順序は、限定されなくてもよく、ステップを実行する順序は変更されてもよいことを注意しておくべきである。
【０２５２】
上記の実施形態では、PGW-C（制御プレーンPDNゲートウェイ）およびPGW-U（ユーザー・プレーンPDNゲートウェイ）を含むCU分離アーキテクチャーが4Gにおいて使用される。配備の際、PGW-C  (4G)とSMF  (5G)が一緒に統合され、PGW-U  (4G)とUPF  (5G)が一緒に配置される。よって、データ・アンカー・ポイント（IPアンカー・ポイント）は、4Gと5Gの間のハンドオーバーの間、変化しないままである。
【０２５３】
任意的に、配備の際、PGW-C  (4G)およびSMF  (5G)が別個に配置されてもよく、PGW-U  (4G)およびUPF  (5G)が別個に配置されてもよい。よって、上記のネットワーク・ハンドオーバー・システムには、PGW-CおよびPGW-Uの二つのネットワーク要素が追加される必要がある。この場合、5Gから4Gへのハンドオーバーを実行するプロセスにおいて、サービス・ゲートウェイS-GWは、SMFの代わりにPGW-Cにベアラー修正要求を送信し；SMFの代わりにPGW-Cがサービス・ゲートウェイS-GWにベアラー修正応答を送信し；SMFおよびUPFの代わりにPGW-CおよびPGW-Uが構成データを更新する。たとえば、本願の第一の実施形態において、PGW-CおよびPGW-Uの二つのネットワーク要素が追加される。ステップS319において、サービス・ゲートウェイS-GWはベアラー修正要求をPGW-Cに送信する。ステップS320において、PGW-Cが、ベアラー修正応答をサービス・ゲートウェイS-GWに送信する。ステップS321において、PGW-Cが、更新された構成データをPGW-Uに送信する。
【０２５４】
図１１を参照するに、図１１は、本願のある実施形態によるソース移動性管理機能エンティティーの概略的な構造図である。図に示されるように、ソース移動性管理機能エンティティーは、処理モジュール１１０１、送信モジュール１１０２および受信モジュール１１０３を含む。処理モジュール１１０１、送信モジュール１１０２および受信モジュール１１０３は、第一の実施形態ないし第八の実施形態においてソース移動性管理機能エンティティーによって実行される方法および機能を別個に実行する。本願のこの実施形態においては、詳細は再度説明されない。
【０２５５】
図１２を参照するに、図１２は、本願のある実施形態によるソース・セッション管理機能エンティティーの概略的な構造図である。図に示されるように、ソース移動性管理機能エンティティーは、処理モジュール１２０１、送信モジュール１２０２および受信モジュール１２０３を含む。処理モジュール１２０１、送信モジュール１２０２および受信モジュール１２０３は、第一の実施形態ないし第八の実施形態においてソース・セッション管理機能エンティティーによって実行される方法および機能を別個に実行する。本願のこの実施形態においては、詳細は再度説明されない。
【０２５６】
図１３を参照するに、図１３は、本願のある実施形態によるターゲット移動性管理機能エンティティーの概略的な構造図である。図に示されるように、ターゲット移動性管理機能エンティティーは、処理モジュール１３０１、送信モジュール１３０２および受信モジュール１３０３を含む。処理モジュール１３０１、送信モジュール１３０２および受信モジュール１３０３は、第一の実施形態ないし第八の実施形態においてターゲット移動性管理機能エンティティーによって実行される方法および機能を別個に実行する。本願のこの実施形態においては、詳細は再度説明されない。
【０２５７】
図１４を参照するに、図１４は、本願のある実施形態によるターゲット・セッション管理機能エンティティーの概略的な構造図である。図に示されるように、ターゲット移動性管理機能エンティティーは、処理モジュール１４０１、送信モジュール１４０２および受信モジュール１４０３を含む。処理モジュール１４０１、送信モジュール１４０２および受信モジュール１４０３は、第一の実施形態ないし第八の実施形態においてターゲット・セッション管理機能エンティティーによって実行される方法および機能を別個に実行する。本願のこの実施形態においては、詳細は再度説明されない。
【０２５８】
さらに図１５を参照するに、図１５は、本願によるネットワーク・ハンドオーバー装置の概略的な構造図である。図に示されるように、本装置は、CPUなどの少なくとも一つのプロセッサ１５０１、少なくとも一つのネットワーク・インターフェース１５０２、少なくとも一つのメモリ１５０３および少なくとも一つの通信バス１５０４を含んでいてもよい。通信バス１５０４は、これらの構成要素間の接続通信を実装するように構成される。本願のこの実施形態における装置内のネットワーク・インターフェース１５０２は、他のノード装置との信号伝達またはデータ通信を実行するよう構成される。メモリ１５０３は、高速RAMメモリであってもよく、または少なくとも一つの磁気ディスク・メモリのような不揮発性メモリ（non-volatile  memory）であってもよい。任意的に、メモリ１５０３は、プロセッサ１５０１から遠く離れた少なくとも一つの記憶装置であってもよい。メモリ１５０３はプログラム・コードのグループを記憶し、プロセッサ１５０１は、上記のソース移動性管理機能エンティティーによって実行されるメモリ１５０３内のプログラムを実行する。
【０２５９】
具体的には、プロセッサは、以下の動作を実行するために前記プログラム・コードを呼び出すよう構成される：
ソース無線アクセス・ネットワーク・ノードによって送信され、ターゲット基地局識別子を担持するユーザー端末ハンドオーバー要求を受信したとき、ターゲット基地局識別子に基づいて、RAT間ネットワーク・ハンドオーバーをトリガーすることを決定する；
ネットワーク・インターフェース１５０２を使って、ソース・セッション管理機能エンティティーに第一のメッセージを送信する；
ネットワーク・インターフェース１５０２を使って、ソース・セッション管理機能エンティティーによって送信された第二のメッセージを受信する。ここで、第二のメッセージは、セッション管理コンテキストを含む；
ネットワーク・インターフェース１５０２を使って、ターゲット・移動性管理機能エンティティーに再配置要求を送信する。ここで、再配置要求は、ターゲット移動性管理機能エンティティーに、ユーザー端末に対してRAT間ネットワーク・ハンドオーバーを実行するよう命令するために使用される。
【０２６０】
さらに、プロセッサは、メモリおよびネットワーク・インターフェースと協働して、本願の第一の実施形態ないし第八の実施形態において無線アクセス・ネットワーク・ノードによって実行される動作を実行してもよい。
【０２６１】
さらに図１６を参照するに、図１６は、本願によるネットワーク・ハンドオーバー装置の概略的な構造図である。図に示されるように、本装置は、CPUなどの少なくとも一つのプロセッサ１６０１、少なくとも一つのネットワーク・インターフェース１６０２、少なくとも一つのメモリ１６０３および少なくとも一つの通信バス１６０４を含んでいてもよい。通信バス１６０４は、これらの構成要素間の接続通信を実装するように構成される。本願のこの実施形態の装置内のネットワーク・インターフェース１６０２は、他のノード装置との信号伝達またはデータ通信を実行するよう構成される。メモリ１６０３は、高速RAMメモリであってもよく、または少なくとも一つの磁気ディスク・メモリのような不揮発性メモリ（non-volatile  memory）であってもよい。任意的に、メモリ１６０３は、プロセッサ１６０１から遠く離れた少なくとも一つの記憶装置であってもよい。メモリ１６０３はプログラム・コードのグループを記憶し、プロセッサ１６０１は、上記のソース・セッション管理機能エンティティーによって実行されるメモリ１６０３内のプログラムを実行する。
【０２６２】
具体的には、プロセッサは、以下の動作を実行するために前記プログラム・コードを呼び出すよう構成される：
ネットワーク・インターフェース１６０２を使って、ソース移動性管理機能エンティティーによって送信された第一のメッセージを受信する。この第一のメッセージは、ソース移動性管理機能エンティティーがソース無線アクセス・ネットワーク・ノードによって送信され、ターゲット基地局識別子を担持するユーザー端末ハンドオーバー要求を受信して、ターゲット基地局識別子に基づいて、RAT間ネットワーク・ハンドオーバーをトリガーすることを決定した後に、ソース移動性管理機能エンティティーによって送信される；
第一のメッセージに基づいて、この動作がRAT間ネットワーク・ハンドオーバーであることを判別する；
ネットワーク・インターフェース１６０２を使って第二のメッセージをソース移動性管理機能エンティティーに送信する。第二のメッセージはセッション管理コンテキストを含み、第二のメッセージは、ターゲット移動性管理機能エンティティーに再配置要求を送信するためにソース移動性管理機能エンティティーによって使用され、再配置要求は、ターゲット移動性管理機能エンティティーに、ユーザー端末に対してRAT間ネットワーク・ハンドオーバーを実行するように命令するために使用される。
【０２６３】
さらに、プロセッサは、メモリおよびネットワーク・インターフェースと協働して、本願の第一の実施形態ないし第八の実施形態において無線アクセス・ネットワーク・ノードによって実行される動作を実行してもよい。
【０２６４】
さらに図１７を参照するに、図１７は、本願によるネットワーク・ハンドオーバー装置の概略的な構造図である。図に示されるように、装置は、CPUのような少なくとも一つのプロセッサ１７０１、少なくとも一つのネットワーク・インターフェース１７０２、少なくとも一つのメモリ１７０３および少なくとも一つの通信バス１７０４を含んでいてもよい。通信バス１７０４は、これらの構成要素間の接続通信を実装するように構成される。本願のこの実施形態における装置内のネットワーク・インターフェース１７０２は、他のノード装置との信号伝達またはデータ通信を実行するよう構成される。メモリ１７０３は、高速RAMメモリであってもよく、または少なくとも一つの磁気ディスク・メモリのような不揮発性メモリ（non-volatile  memory）であってもよい。任意的に、メモリ１７０３は、プロセッサ１７０１から遠く離れた少なくとも一つの記憶装置であってもよい。メモリ１７０３はプログラム・コードのグループを記憶し、プロセッサ１７０１は、上記のターゲット移動性管理機能エンティティーによって実行されるメモリ１７０３内のプログラムを実行する。
【０２６５】
具体的には、プロセッサは、以下の操作を実行するために前記プログラム・コードを呼び出すよう構成される：
ネットワーク・インターフェース１７０２を使って、ソース移動性管理機能エンティティーによって送られた再配置要求を受信する。この再配置要求は、ソース移動性管理機能エンティティーがソース基地局によって送られ、ターゲット無線アクセス・ネットワーク・ノードのネットワーク識別子を担持するユーザー端末ハンドオーバー要求を受信し、ターゲット無線アクセス・ネットワーク・ノードのネットワーク識別子に基づいて、RAT間ネットワーク・ハンドオーバーをトリガーすることを決定した後に、ソース移動性管理機能エンティティーによって送られる；
ネットワーク・インターフェース１７０２を使って、セッション管理コンテキストをターゲット・セッション管理機能エンティティーに送信する；
ネットワーク・インターフェース１７０２を使って、ターゲット・セッション管理機能エンティティーによって送信されたセッション接続確立要求を受信し；
ネットワーク・インターフェース１７０２を使ってターゲット無線アクセス・ネットワーク・ノードにセッション接続確立要求を送信する。ここで、接続確立要求は、コア・ネットワーク・ユーザー・プレーン機能エンティティーとのデータ伝送チャネルを確立するようターゲット無線アクセス・ネットワーク・ノードに命令するために使用される。
【０２６６】
さらに、プロセッサは、メモリおよびネットワーク・インターフェースと協働して、本願の第一の実施形態ないし第八の実施形態においてターゲット移動性管理機能エンティティーによって実行される動作を実行してもよい。
【０２６７】
さらに図１８を参照するに、図１８は、本願によるネットワーク・ハンドオーバー装置の概略的な構造図である。図に示されるように、本装置は、CPUなどの少なくとも一つのプロセッサ１８０１、少なくとも一つのネットワーク・インターフェース１８０２、少なくとも一つのメモリ１８０３および少なくとも一つの通信バス１８０４を含んでいてもよい。通信バス１８０４は、これらの構成要素間の接続通信を実装するように構成される。本願のこの実施形態における装置内のネットワーク・インターフェース１８０２は、他のノード装置との信号伝達またはデータ通信を実行するよう構成される。メモリ１８０３は、高速RAMメモリであってもよく、または少なくとも一つの磁気ディスク・メモリのような不揮発性メモリ（non-volatile  memory）であってもよい。任意的に、メモリ１８０３は、プロセッサ１８０１から遠く離れた少なくとも一つの記憶装置であってもよい。メモリ１８０３はプログラム・コードのグループを記憶し、プロセッサ１８０１は、上記のターゲット・セッション管理機能エンティティーによって実行されるメモリ１８０３内のプログラムを実行する。
【０２６８】
具体的には、プロセッサは、以下の動作を実行するために前記プログラム・コードを呼び出すよう構成される：
ネットワーク・インターフェース１８０２を使って、ターゲット移動性管理機能エンティティーによって送信されるセッション管理コンテキストを受信する。ここで、セッション管理コンテキストは、ターゲット移動性管理機能エンティティーがソース移動性管理機能エンティティーによって送信された再配置要求を受信した後に、ターゲット移動性管理機能エンティティーによって送られる；
ネットワーク・インターフェース１８０２を使って、ターゲット移動性管理機能エンティティーにセッション接続確立要求を送信し、ターゲット移動性管理機能エンティティーによって、ターゲット無線アクセス・ネットワーク・ノードにセッション接続確立要求を転送する。ここで、接続確立要求は、ターゲット無線アクセス・ネットワーク・ノードに、コア・ネットワーク・ユーザー・プレーン機能エンティティーとのデータ伝送チャネルを確立するよう命令するために使用される。
【０２６９】
さらに、プロセッサは、本願の第一の実施形態ないし第八の実施形態におけるターゲット移動性管理機能エンティティーによって実行される動作を実行するために、メモリおよびネットワーク・インターフェースと協働してもよい。
【０２７０】
手短かな説明のために、上記の方法実施形態は、一連のアクションとして表わされていることを注意しておくべきである。しかしながら、本願によればいくつかのステップは他の順序で、または同時に実行されてもよいので、当業者は、本願が、アクションの記載された順序に限定されないことを理解するはずである。当業者はさらに、本明細書に記載される実施形態はみな例示的な実施形態に属し、関連するアクションおよびモジュールは必ずしも本願によって必要とされないことを理解するはずである。
【０２７１】
上記の実施形態では、実施形態の説明はそれぞれの焦点を有する。ある実施形態において詳細に説明されていない部分については、他の実施形態における関係した説明を参照されたい。
【０２７２】
当業者は、実施形態における方法のステップの全部または一部が、関連するハードウェアに命令するプログラムによって実装されてもよいことを理解しうる。プログラムは、コンピュータ読取可能な記憶媒体に記憶されてもよい。記憶媒体は、フラッシュメモリ、読み出し専用メモリ（Read-Only  Memory、ROM）、ランダムアクセスメモリ（Random  Access  Memory、RAM）、磁気ディスク、光ディスク等を含んでいてもよい。
【０２７３】
上記は本願の実施形態において提供されるネットワーク・ハンドオーバー方法、関係した装置およびシステムについて詳細に説明している。本明細書において、具体例は本願の原理および実装を説明するために使用されており、実施形態の説明は、本願の方法および核となる概念を理解することを助けることのみを意図している。さらに、当業者は、本願の概念に基づいて、個別的な実装および適用範囲に関して修正をなしてもよい。したがって、本明細書の内容は、本願を限定するものと解釈してはならない。
【図１】
2020504538.tif 000003
【図２】
2020504538.tif 000004
【図３Ａ】
2020504538.tif 000005
【図３Ｂ】
2020504538.tif 000006
【図４Ａ】
2020504538.tif 000007
【図４Ｂ】
2020504538.tif 000008
【図５Ａ】
2020504538.tif 000009
【図５Ｂ】
2020504538.tif 000010
【図５Ｃ】
2020504538.tif 000011
【図６Ａ】
2020504538.tif 000012
【図６Ｂ】
2020504538.tif 000013
【図６Ｃ】
2020504538.tif 000014
【図７Ａ】
2020504538.tif 000015
【図７Ｂ】
2020504538.tif 000016
【図８Ａ】
2020504538.tif 000017
【図８Ｂ】
2020504538.tif 000018
【図９Ａ】
2020504538.tif 000019
【図９Ｂ】
2020504538.tif 000020
【図１０Ａ】
2020504538.tif 000021
【図１０Ｂ】
2020504538.tif 000022
【図１１】
2020504538.tif 000023
【図１２】
2020504538.tif 000024
【図１３】
2020504538.tif 000025
【図１４】
2020504538.tif 000026
【図１５】
2020504538.tif 000027
【図１６】
2020504538.tif 000028
【図１７】
2020504538.tif 000029
【図１８】
2020504538.tif 000030
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ネットワーク・ハンドオーバー方法であって、当該方法は：
ソース無線アクセス・ネットワーク・ノードから、ターゲット基地局識別子を担持するユーザー端末ハンドオーバー必要メッセージを受信するとき、ソース移動性管理機能エンティティーによって、前記ターゲット基地局識別子に基づいて、RAT間ネットワーク・ハンドオーバーをトリガーすることを決定する段階と；
前記ソース移動性管理機能エンティティーによって、第一のメッセージをソース・セッション管理機能エンティティーに送信する段階と；
前記ソース移動性管理機能エンティティーによって、前記ソース・セッション管理機能エンティティーから第二のメッセージを受信する段階であって、前記第二のメッセージはセッション管理コンテキストを含む、段階と；
前記ソース移動性管理機能エンティティーによって、ターゲット移動性管理機能エンティティーに再配置要求を送信する段階であって、前記再配置要求は、ユーザー端末に対してRAT間ネットワーク・ハンドオーバーを実行するよう命令するために使われる、段階とを含む、
方法。
【請求項２】
前記再配置要求は前記ターゲット基地局識別子、前記ユーザー端末の端末識別子、前記セッション管理コンテキストおよび移動性管理コンテキストを担持する、請求項１記載の方法。
【請求項３】
前記第一のメッセージは前記ターゲット基地局識別子を含み、該ターゲット基地局識別子は、この動作が前記RAT間ネットワーク・ハンドオーバーであることを判別するために、前記ソース・セッション管理機能エンティティーによって使用される、請求項１記載の方法。
【請求項４】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、前記ソース・セッション管理機能エンティティーによって使用される、請求項１記載の方法。
【請求項５】
前記再配置要求は前記ユーザー端末の前記移動性管理コンテキストを含み、該移動性管理コンテキストは、ターゲット・システムの移動性管理コンテキストであり；
前記ソース移動性管理機能エンティティーによって、再配置要求をターゲット移動性管理機能エンティティーに送信する前に、当該方法はさらに：
前記ソース移動性管理機能エンティティーによって、前記ユーザー端末のソース・システムの移動性管理コンテキストを取得し；
前記ソース移動性管理機能エンティティーによって、前記ソース・システムの前記移動性管理コンテキストを前記ターゲット・システムの前記移動性管理コンテキストにマッピングすることを含む、
請求項１または２記載の方法。
【請求項６】
ネットワーク・ハンドオーバー方法であって、当該方法は：
ソース・セッション管理機能エンティティーによって、ソース移動性管理機能エンティティーから第一のメッセージを受信する段階と；
前記ソース・セッション管理機能エンティティーによって、前記第一のメッセージに基づいて、この動作がRAT間ネットワーク・ハンドオーバーであることを判別する段階と；
前記ソース・セッション管理機能エンティティーによって、第二のメッセージを前記ソース移動性管理機能エンティティーに送信する段階であって、前記第二のメッセージはセッション管理コンテキストを含む、段階とを含む、
方法。
【請求項７】
前記第一のメッセージはターゲット基地局識別子を担持し、前記ソース・セッション管理機能エンティティーによって、前記第一のメッセージに基づいて、この動作が前記RAT間ネットワーク・ハンドオーバーであることを判別する段階は：
前記ソース・セッション管理機能エンティティーによって、前記ターゲット基地局識別子に基づいて、この動作がRAT間ネットワーク・ハンドオーバーであることを判別することを含む、
請求項６記載の方法。
【請求項８】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、前記ソース・セッション管理機能エンティティーによって使用される、請求項６記載の方法。
【請求項９】
前記第二のメッセージは、前記ユーザー端末の前記セッション管理コンテキストを含み、前記セッション管理コンテキストは、ターゲット・システムのセッション管理コンテキストであり；
前記ソース・セッション管理機能エンティティーによって、第二のメッセージを前記ソース移動性管理機能エンティティーに送信する前に、当該方法はさらに：
前記ソース・セッション管理機能エンティティーによって、前記ユーザー端末のソース・システムのセッション管理コンテキストを取得し；
前記ソース・セッション管理機能エンティティーによって、前記ソース・システムの前記セッション管理コンテキストを前記ターゲット・システムの前記セッション管理コンテキストにマッピングすることを含む、
請求項６記載の方法。
【請求項１０】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ソース無線アクセス・ネットワーク・ノードからターゲット基地局識別子を担持するユーザー端末ハンドオーバー必要メッセージを受信するとき、前記ターゲット基地局識別子に基づいて、RAT間ネットワーク・ハンドオーバーをトリガーすることを決定する段階と；
第一のメッセージをソース・セッション管理機能エンティティーに送信する段階と；
前記ソース・セッション管理機能エンティティーから第二のメッセージを受信する段階であって、前記第二のメッセージはセッション管理コンテキストを含む、段階と；
ターゲット移動性管理機能エンティティーに再配置要求を送信する段階であって、前記再配置要求は、ユーザー端末に対してRAT間ネットワーク・ハンドオーバーを実行するよう命令するために使われる、段階
とを実行するよう構成されている、装置。
【請求項１１】
前記再配置要求は前記ターゲット基地局識別子、前記ユーザー端末の端末識別子、前記セッション管理コンテキストおよび移動性管理コンテキストを担持する、請求項１０記載の装置。
【請求項１２】
前記第一のメッセージは前記ターゲット基地局識別子を含み、該ターゲット基地局識別子は、この動作が前記RAT間ネットワーク・ハンドオーバーであることを判別するために、前記ソース・セッション管理機能エンティティーによって使用される、請求項１０記載の装置。
【請求項１３】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、前記ソース・セッション管理機能エンティティーによって使用される、請求項１０記載の装置。
【請求項１４】
前記再配置要求は前記ユーザー端末の前記移動性管理コンテキストを含み、該移動性管理コンテキストは、ターゲット・システムの移動性管理コンテキストであり；
再配置要求をターゲット移動性管理機能エンティティーに送信する前に、下記の動作：
前記ユーザー端末のソース・システムの移動性管理コンテキストを取得し；
前記ソース・システムの前記移動性管理コンテキストを前記ターゲット・システムの前記移動性管理コンテキストにマッピングすることがさらに含まれる、
請求項１０または１１記載の装置。
【請求項１５】
メモリ、通信バスおよびプロセッサを有するネットワーク・ハンドオーバー装置であって、前記メモリはプログラム・コードを記憶するよう構成されており、前記プロセッサは前記プログラム・コードを呼び出して下記の動作：
ソース移動性管理機能エンティティーから第一のメッセージを受信する段階と；
前記第一のメッセージに基づいて、この動作がRAT間ネットワーク・ハンドオーバーであることを判別する段階と；
第二のメッセージを前記ソース移動性管理機能エンティティーに送信する段階であって、前記第二のメッセージはセッション管理コンテキストを含む、段階
とを実行するよう構成されている、装置。
【請求項１６】
前記第一のメッセージはターゲット基地局識別子を担持し、前記第一のメッセージに基づいて、この動作が前記RAT間ネットワーク・ハンドオーバーであることを判別する段階は：
前記ターゲット基地局識別子に基づいて、この動作がRAT間ハンドオーバーであることを判別することを含む、
請求項１５記載の装置。
【請求項１７】
前記第一のメッセージはさらに、ターゲット・ネットワーク・アクセス型および／またはRAT間ネットワーク・ハンドオーバー指示を含み、前記ターゲット・ネットワーク・アクセス型および／または前記RAT間ネットワーク・ハンドオーバー指示は、この動作が前記RAT間ネットワーク・ハンドオーバーであることを判別するために、当該ネットワーク・ハンドオーバー装置によって使用される、請求項１５記載の装置。
【請求項１８】
前記第二のメッセージは、前記ユーザー端末の前記セッション管理コンテキストを含み、前記セッション管理コンテキストは、ターゲット・システムのセッション管理コンテキストであり；
第二のメッセージを前記ソース移動性管理機能エンティティーに送信する前に、下記の動作：
前記ユーザー端末のソース・システムのセッション管理コンテキストを取得し；
前記ソース・システムの前記セッション管理コンテキストを前記ターゲット・システムの前記セッション管理コンテキストにマッピングすることがさらに含まれる、
請求項１５記載の装置。
【請求項１９】
ネットワーク・ハンドオーバー方法であって、当該方法は：
ソース無線アクセス・ネットワーク・ノードから、ターゲット基地局識別子を担持するユーザー端末ハンドオーバー必要メッセージを受信するとき、ソース移動性管理機能エンティティーが、前記ターゲット基地局識別子に基づいて、RAT間ネットワーク・ハンドオーバーをトリガーすることを決定する段階と；
前記ソース移動性管理機能エンティティーが、第一のメッセージをソース・セッション管理機能エンティティーに送信する段階と；
前記ソース・セッション管理機能エンティティーが、前記第一のメッセージに基づいて、この動作がRAT間ネットワーク・ハンドオーバーであることを判別する段階と；
前記ソース・セッション管理機能エンティティーが第二のメッセージを前記ソース移動性管理機能エンティティーに送信する段階であって、前記第二のメッセージはセッション管理コンテキストを含む、段階と；
前記ソース移動性管理機能エンティティーが、ターゲット移動性管理機能エンティティーに再配置要求を送信する段階であって、前記再配置要求は、ユーザー端末に対してRAT間ネットワーク・ハンドオーバーを実行するよう命令するために使われる、段階とを含む、
方法。
【請求項２０】
前記再配置要求が、前記ターゲット基地局識別子、前記ユーザー端末の端末識別子、前記セッション管理コンテキストおよび移動性管理コンテキストを担持する、請求項１９記載の方法。
【請求項２１】
前記第一のメッセージが前記ターゲット基地局識別子を含み；
前記ソース・セッション管理機能エンティティーは、前記ターゲット基地局識別子に基づいて、この動作が前記RAT間ネットワーク・ハンドオーバーであることを判別する、
請求項１９記載の方法。
【請求項２２】
前記第一のメッセージがさらに、ターゲット・ネットワーク・アクセス型および／またはRAT間ネットワーク・ハンドオーバー指示を含み；
前記ソース・セッション管理機能エンティティーは、前記ターゲット・ネットワーク・アクセス型および／または前記RAT間ネットワーク・ハンドオーバー指示に基づいて、この動作が前記RAT間ネットワーク・ハンドオーバーであることを判別する、
請求項１９記載の方法。
【請求項２３】
前記再配置要求は、前記ユーザー端末の前記移動性管理コンテキストを含み、該移動性管理コンテキストは、ターゲット・システムの移動性管理コンテキストであり；
前記ソース移動性管理機能エンティティーが再配置要求をターゲット移動性管理機能エンティティーに送信する前に、当該方法はさらに：
前記ソース移動性管理機能エンティティーが、前記ユーザー端末のソース・システムの移動性管理コンテキストを取得し：
前記ソース移動性管理機能エンティティーが、前記ソース・システムの前記移動性管理コンテキストを前記ターゲット・システムの前記移動性管理コンテキストにマッピングすることを含む、
請求項１９または２０記載の方法。
【請求項２４】
前記第二のメッセージは、前記ユーザー端末の前記セッション管理コンテキストを含み、該セッション管理コンテキストは、ターゲット・システムのセッション管理コンテキストであり；
前記ソース・セッション管理機能エンティティーが第二のメッセージを前記ソース移動性管理機能エンティティーに送信する前に、当該方法はさらに：
前記ソース・セッション管理機能エンティティーが、前記ユーザー端末のソース・システムのセッション・管理コンテキストを取得し：
前記ソース・セッション管理機能エンティティーが、前記ソース・システムの前記セッション管理コンテキストを前記ターゲット・システムの前記セッション管理コンテキストにマッピングする、
請求項１９記載の方法。
【請求項２５】
システムであって、当該システムは、ソース移動性管理機能エンティティーおよびソース・セッション管理機能エンティティーを有し：
前記ソース移動性管理機能エンティティーは、前記ソース無線アクセス・ネットワーク・ノードから、ターゲット基地局識別子を担持するユーザー端末ハンドオーバー必要メッセージを受信するとき、前記ターゲット基地局識別子に基づいて、RAT間ネットワーク・ハンドオーバーをトリガーすることを決定するよう構成されており；
前記ソース移動性管理機能エンティティーは、第一のメッセージをソース・セッション管理機能エンティティーに送信するよう構成されており；
前記ソース・セッション管理機能エンティティーは、前記第一のメッセージに基づいて、この動作がRAT間ネットワーク・ハンドオーバーであることを判別するよう構成されており；
前記ソース・セッション管理機能エンティティーは、第二のメッセージを前記ソース移動性管理機能エンティティーに送信するよう構成されており、前記第二のメッセージはセッション管理コンテキストを含み；
前記ソース移動性管理機能エンティティーは、ターゲット移動性管理機能エンティティーに再配置要求を送信するよう構成されており、前記再配置要求は、ユーザー端末に対してRAT間ネットワーク・ハンドオーバーを実行するよう命令するために使われる、
システム。
【請求項２６】
前記再配置要求が、前記ターゲット基地局識別子、前記ユーザー端末の端末識別子、前記セッション管理コンテキストおよび移動性管理コンテキストを担持する、請求項２５記載のシステム。
【請求項２７】
前記第一のメッセージが前記ターゲット基地局識別子を含み；
前記ソース・セッション管理機能エンティティーは、前記ターゲット基地局識別子に基づいて、この動作が前記RAT間ネットワーク・ハンドオーバーであることを判別するよう構成されている、
請求項２５記載のシステム。
【請求項２８】
前記第一のメッセージがさらに、ターゲット・ネットワーク・アクセス型および／またはRAT間ネットワーク・ハンドオーバー指示を含み；
前記ソース・セッション管理機能エンティティーは、前記ターゲット・ネットワーク・アクセス型および／または前記RAT間ネットワーク・ハンドオーバー指示に基づいて、この動作が前記RAT間ネットワーク・ハンドオーバーであることを判別するよう構成されている、
請求項２５記載のシステム。
【請求項２９】
前記再配置要求は、前記ユーザー端末の前記移動性管理コンテキストを含み、該移動性管理コンテキストは、ターゲット・システムの移動性管理コンテキストであり；
前記ソース移動性管理機能エンティティーが、前記ユーザー端末のソース・システムの移動性管理コンテキストを取得するよう構成されており：
前記ソース移動性管理機能エンティティーが、前記ソース・システムの前記移動性管理コンテキストを前記ターゲット・システムの前記移動性管理コンテキストにマッピングするよう構成されている、
請求項２５または２６記載のシステム。
【請求項３０】
前記第二のメッセージは、前記ユーザー端末の前記セッション管理コンテキストを含み、該セッション管理コンテキストは、ターゲット・システムのセッション管理コンテキストであり；
前記ソース・セッション管理機能エンティティーが、前記ユーザー端末のソース・システムのセッション管理コンテキストを取得するよう構成されており：
前記ソース・セッション管理機能エンティティーが、前記ソース・システムの前記セッション管理コンテキストを前記ターゲット・システムの前記セッション管理コンテキストにマッピングするよう構成されている、
請求項２５記載の方法。
【請求項３１】
命令を有するコンピュータ可読記憶媒体であって、前記命令がコンピュータ上で走るとき、前記コンピュータが請求項１ないし９のうちいずれか一項記載の方法を実行する、コンピュータ可読記憶媒体。
【請求項３２】
命令を有するコンピュータ・プログラム・プロダクトであって、前記命令がコンピュータ上で走るとき、前記コンピュータが請求項１ないし９のうちいずれか一項記載の方法を実行する、コンピュータ・プログラム・プロダクト。
【手続補正２】
【補正対象書類名】明細書
【補正対象項目名】全文
【補正方法】変更
【補正の内容】
【発明の詳細な説明】
【技術分野】
【０００１】
本願は、無線ネットワーク技術の分野に関し、詳細には、ネットワーク・ハンドオーバー方法および関係した装置に関する。
【背景技術】
【０００２】
無線側でロングタームエボリューション（LTE）をサポートするために、第三世代パートナーシッププロジェクト（3GPP)は、ネットワーク側でのシステムアーキテクチャーエボリューション（SAE）の研究を2004年12月に開始する。LTEおよびSAEは合同して、進化したパケットシステム（EPS)を構成する。EPSネットワーク・アーキテクチャーでは、エンドツーエンドの全インターネットプロトコル（IP）のネットワーキングおよびフラット化されたネットワーク構造が使用され、既存の2G／3Gネットワークとの互換性が十分に考慮される。
【０００３】
図１に示されるように、図１は、EPSネットワーク・アーキテクチャーの概略的な構造図である。進化したユニバーサル地上無線アクセス・ネットワーク（E-UTRAN）は、複数の進化したノードB（eNB)を含むネットワークであり、無線物理層機能、資源スケジューリングおよび無線資源管理、無線アクセス制御、および移動性管理を主に受け持つ。eNBは、ユーザー・データを伝送するために、ユーザー・プレーン・インターフェースS1-Uを使ってサービスゲートウェイ（S-GW）に接続され、制御プレーン・インターフェースS1-MMEを使って移動性管理エンティティー（MME）に接続されて、S1-APプロトコルを使って無線アクセスベアラー制御などの機能を実現する。MMEは、非アクセス層（NAS）信号伝達およびセキュリティー、追跡エリア管理、パケット・データ・ネットワーク・ゲートウェイ（P-GW）およびS-GWの選択などを含む、ユーザー・セッション管理におけるすべての制御プレーン機能を主に受け持つ。S-GWは、ユーザー装置（UE）のデータ伝送および転送、ルート切り換えなどを主に受け持ち、ユーザー装置がeNB間でハンドオーバーされるときのローカルな移動性アンカーポイントのはたらきをする（各時点では、一つのS-GWのみがユーザー装置にサービスを提供する）。P-GWは、PDN接続のためのアンカーポイントのはたらきをし、ユーザー装置のIPアドレス割り当て、UEデータ・パケット・フィルタリング、レート制御、課金情報生成などを受け持つ。
【０００４】
既存のLTEネットワークでは、移動によりUEの位置が変化すると、UEが現在位置しているセル内の無線信号は弱くなるが、隣接するセル内の無線信号が強くなる。この場合、ネットワークにおいてUEに対してネットワーク・ハンドオーバーが実行される必要がある。ネットワーク・ハンドオーバーは、RAT間ネットワーク・ハンドオーバー、たとえば2G、3Gおよび4Gの間でのRAT間ハンドオーバーを含む。RAT間ハンドオーバー・プロセスは、移動性管理コンテキスト（MM  context）マッピング（3Gおよび4GのUEコンテキストの間の切り換え）および移動性管理コンテキスト転送（ソースMME／ソースSGSNからターゲットSGSN／ターゲットMMEへの転送）を含むだけでなく、通信ベアラーの確立および取消も含む。移動性管理（MM）およびセッション管理（SM）を受け持つネットワーク・エンティティーは、MMEエンティティーおよびS-GWエンティティーである。SM用の制御プレーンとデータ・プレーンは分離されていない。具体的には、制御プレーンとデータ・プレーンの両方がP-GW機能エンティティーおよびS-GW機能エンティティーによって管理される必要がある。
【０００５】
しかしながら、移動通信技術の発達に伴い、さまざまな産業について多くの革新的な応用がもたらされることは確かであり、モバイルブロードバンド、マルチメディア、マシン型通信、産業制御および知的な交通システムが5G時代の主な使用事例になる。大きく変化したサービス要件を満足させるために、柔軟な仕方で5Gネットワークが構築される。ある潜在的な方向は、ネットワーク機能の分離である。具体的には、制御プレーン（CP）機能とユーザー・プレーン（UP）機能が分離され、CP内のAMFおよびSMFが分離される。
【０００６】
5Gネットワークでは、ネットワーク・スライシングとは、物理ネットワークが複数の仮想的なエンドツーエンド・ネットワークにスライスされることを意味する。ネットワーク中のデバイス、アクセス、送信およびコア・ネットワークを含む各仮想ネットワークは、論理的に独立している。各ネットワーク・スライスは、独立したネットワーク機能または機能の組み合わせをインスタンス化することによって構成され、異なる機能および特徴を有し、別のネットワーク・スライスが直面するものとは異なる要件およびサービスに直面する。ネットワーク・スライスの分離により、異なるユーザーおよびユーザー・グループが、異なるアプリケーション・シナリオならびにユーザーおよびユーザー・グループの要件に基づいて、ネットワーク機能を柔軟かつ動的に定義およびカスタマイズすることができ、ネットワーク・スライスは互いに影響しない。ネットワーク・スライスは、制御プレーン機能（CPF）エンティティーおよびユーザー・プレーン機能（UPF）エンティティーを含む。CPFエンティティーはアクセスおよび移動性管理機能（AMF）エンティティーおよびセッション管理機能（SMF）エンティティーを含む。AMFはデバイス・アクセス認証、セキュリティー暗号化および位置登録などの移動性管理（MM）を完了させることを主に受け持つ。SMFは、ユーザー・プレーン伝送経路の確立、解放および変更などのセッション管理（SM）を完了させることを主に受け持つ。UPFエンティティーは、ユーザー・プレーン・データのルーティングおよび転送を完了させることを主に受け持つ。
【０００７】
図２に示されるように、図２は、ネットワーク・スライスの概略的なアーキテクチャー図である。複数のネットワーク・スライスは、（AMFエンティティーなどの）いくつかの特定のCPFエンティティーのみを共有する。さらに、各ネットワーク・スライスは、いくつかの独立したCPFエンティティー（SMFエンティティーなど）および独立したUPFエンティティーをもつ。さらに、ネットワークには複数のSMFおよびUPF機能が存在し、ユニバーサルな移動性管理エンティティーAMFが共有される。RANとAMFの間には信号伝達インターフェースがある。無線アクセス・ネットワーク（RAN）ノードとUPFの間にはデータ・プレーン・インターフェースがある。ユーザー・データ・データベースとAMFとの間には信号伝達インターフェースがある。ユーザー・データ・データベースとSMFの間には信号伝達インターフェースがある。さらに、各スライスには、AMFとSMFの間に信号伝達インターフェースがある。RANとSMFの間には直接的なインターフェースはなく、RANとSMFの間の信号はAMFを使って転送される必要がある。
【０００８】
しかしながら、既存の3G／4Gネットワーク・アーキテクチャーでは、MME／SGSNのような同じネットワーク機能ノードがSM機能およびMM機能を担っている。5GではAMFとSMFが分離されるので、RAT間ネットワーク・ハンドオーバーが5Gと4Gの間で実行されるときは、サービス・データの連続性を保証するために、新しいRAT間ハンドオーバー手順が設計される必要がある。
【発明の概要】
【０００９】
本願は、RAT間ネットワーク・ハンドオーバーの間に引き起こされるデータ連続性問題を解決するよう、ネットワーク・ハンドオーバー方法および関係した装置を提供する。
【００１０】
第一の側面によれば、本願は、下記を含むネットワーク・ハンドオーバー方法を提供する。
【００１１】
ソース無線アクセス・ネットワーク・ノードが、まず、ソース移動性管理機能エンティティーに、ターゲット基地局識別子を担持するユーザー端末ハンドオーバー要求を送信する。ハンドオーバー要求を受信した後、ソース移動性管理機能エンティティーは、ターゲット基地局識別子に基づいて、RAT間ネットワーク・ハンドオーバーをトリガーすることを決定し、次いで、第一のメッセージをソース・セッション管理機能エンティティーに送信する。ソース・セッション管理機能エンティティーは、第二のメッセージをソース移動性管理機能エンティティーに返す。ここで、第二のメッセージはセッション管理コンテキストを含む。第二のメッセージを受信した後、ソース移動性管理機能エンティティーは、ターゲット移動性管理機能エンティティーに再配置要求を送信する。ターゲット移動性管理機能エンティティーは、該再配置要求に基づいて、ユーザー端末に対してRAT間ネットワーク・ハンドオーバーを実行する。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００１２】
ある可能な設計では、再配置要求は、ターゲット基地局識別子、ユーザー端末の端末識別子、セッション管理コンテキストおよび移動性管理コンテキストを担持する。
【００１３】
もう一つの可能な設計では、第一のメッセージはターゲット基地局識別子を含み、該ターゲット基地局識別子は、この動作がRAT間ネットワーク・ハンドオーバーであることを判別するために、ソース・セッション管理機能エンティティーによって使用される。
【００１４】
もう一つの可能な設計では、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００１５】
もう一つの可能な設計では、再配置要求は、ユーザー端末の移動性管理コンテキストを含み、該移動性管理コンテキストは、ターゲット・システムの移動性管理コンテキストであり；再配置要求をターゲット移動性管理機能エンティティーに送信する前に、ソース移動性管理機能エンティティーは、ユーザー端末のソース・システムの移動性管理コンテキストを取得し、ソース・システムの移動性管理コンテキストをターゲット・システムの移動性管理コンテキストにマッピングする。
【００１６】
第二の側面によれば、本願は下記を含むネットワーク・ハンドオーバー方法を提供する。
【００１７】
ソース無線アクセス・ネットワーク・ノードが、まず、ソース移動性管理機能エンティティーに、ターゲット基地局識別子を担持するユーザー端末ハンドオーバー要求を送信する。ハンドオーバー要求を受信した後、ソース移動性管理機能エンティティーは、ターゲット基地局識別子に基づいて、RAT間ネットワーク・ハンドオーバーをトリガーすることを決定し、次いで、第一のメッセージをソース・セッション管理機能エンティティーに送信する。ソース・セッション管理機能エンティティーは、第二のメッセージをソース移動性管理機能エンティティーに返す。ここで、第二のメッセージはセッション管理コンテキストを含む。第二のメッセージを受信した後、ソース移動性管理機能エンティティーは、ターゲット移動性管理機能エンティティーに再配置要求を送信する。ターゲット移動性管理機能エンティティーは、該再配置要求に基づいて、ユーザー端末に対してRAT間ネットワーク・ハンドオーバーを実行する。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００１８】
ある可能な設計では、第一のメッセージは、ターゲット基地局識別子を担持する。任意的に、ソース・セッション管理機能エンティティーは、該ターゲット基地局識別子に基づいて、この動作がRAT間ハンドオーバーであることを判別する。
【００１９】
もう一つの可能な設計では、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００２０】
もう一つの可能な設計では、第二のメッセージは、ユーザー端末のセッション管理コンテキストを含み、該セッション管理コンテキストは、ターゲット・システムのセッション管理コンテキストであり；ソース・セッション管理機能エンティティーが第二のメッセージをソース移動性管理機能エンティティーに送信する前に、ソース・セッション管理機能エンティティーはまず、ユーザー端末のソース・システムのセッション管理コンテキストを取得し、次いで、ソース・システムのセッション管理コンテキストをターゲット・システムのセッション管理コンテキストにマッピングする。
【００２１】
第三の側面によれば、本願は下記を含むネットワーク・ハンドオーバー方法を提供する。
【００２２】
ソース基地局によって送られた、ターゲット無線アクセス・ネットワーク・ノードのネットワーク識別子を担持するユーザー端末ハンドオーバー要求を受信した後、ソース移動性管理機能エンティティーは、ターゲット無線アクセス・ネットワーク・ノードのネットワーク識別子に基づいて、RAT間ネットワーク・ハンドオーバーをトリガーすることを決定し、ターゲット移動性管理機能エンティティーに再配置要求を送信する。該再配置要求を受信した後、ターゲット移動性管理機能エンティティーは、セッション管理コンテキストをターゲット・セッション管理機能エンティティーに送信する。該セッション管理コンテキストを受信した後、ターゲット・セッション管理機能エンティティーはセッション接続確立要求をターゲット移動性管理機能エンティティーに送信する。セッション接続確立要求を受信した後、ターゲット移動性管理機能エンティティーは該セッション接続確立要求をターゲット無線アクセス・ネットワーク・ノードに送信する。ここで、接続確立要求は、ターゲット無線アクセス・ネットワーク・ノードに、コア・ネットワーク・ユーザー・プレーン機能エンティティーとデータ伝送チャネルを確立するよう命令するために使われる。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００２３】
ある可能な設計では、ターゲット移動性管理機能エンティティーがターゲット・セッション管理機能エンティティーによって送信されたセッション接続確立要求を受信した後、ターゲット移動性管理機能エンティティーは、ターゲット無線アクセス・ネットワーク・ノードに、セッション接続確立要求を担持するハンドオーバー要求を送信するか；または、ターゲット移動性管理機能エンティティーは、ターゲット無線アクセス・ネットワーク・ノードに、ハンドオーバー要求を送信し、ターゲット無線アクセス・ネットワーク・ノードに、セッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するように命令するために使用される。
【００２４】
もう一つの可能な設計では、再配置要求は、ユーザー端末の端末識別子、ターゲット無線アクセス・ネットワーク・ノードのネットワーク識別子およびユーザー端末のコンテキスト情報を担持し、ユーザー端末のコンテキスト情報は、移動性管理コンテキストおよびセッション管理コンテキストを含む。
【００２５】
もう一つの可能な設計では、ターゲット移動性管理機能エンティティーがソース移動性管理機能エンティティーによって送信された再配置要求を受信した後、ターゲット移動性管理機能エンティティーは、ユーザー端末の端末識別子およびターゲット無線アクセス・ネットワーク・ノードのネットワーク識別子をターゲット・セッション管理機能エンティティーに送信する。
【００２６】
もう一つの可能な設計では、ターゲット移動性管理機能エンティティーがソース移動性管理機能エンティティーによって送信された再配置要求を受信した後、ターゲット移動性管理機能エンティティーはターゲット・セッション管理機能エンティティーに、RAT間ネットワーク・ハンドオーバー指示および／またはターゲット・ネットワーク・アクセス型を送信する。ここで、RAT間ネットワーク・ハンドオーバー指示および／またはターゲット・ネットワーク・アクセス型は、この動作がRAT間ネットワーク・ハンドオーバーであることを判別するために、ターゲット・セッション管理機能エンティティーによって使用される。
【００２７】
もう一つの可能な設計では、セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【００２８】
もう一つの可能な設計では、ターゲット移動性管理機能エンティティーがターゲット無線アクセス・ネットワーク・ノードにセッション接続確立要求を送信した後、ターゲット移動性管理機能エンティティーはターゲット無線アクセス・ネットワーク・ノードによって送信されたセッション接続確立応答を受信し、セッション接続確立応答はセッション識別子および／または第二のデータ・チャネル情報を担持し、第二のデータ・チャネル情報はコア・ネットワーク・ユーザー・プレーン機能エンティティーとターゲット無線アクセス・ネットワーク・ノードとの間のデータ伝送チャネルを確立するために使用される。
【００２９】
もう一つの可能な設計では、ターゲット移動性管理機能エンティティーがターゲット無線アクセス・ネットワーク・ノードにハンドオーバー要求を送信した後、ターゲット移動性管理機能エンティティーは、ターゲット無線アクセス・ネットワーク・ノードによって送信されたハンドオーバー完了通知を受信する。ここで、ハンドオーバー完了通知はセッション管理メッセージを含み、セッション管理メッセージはセッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用され、ターゲット移動性管理機能エンティティーは、セッション管理メッセージをターゲット・セッション管理機能エンティティーに送信する。
【００３０】
もう一つの可能な設計では、再配置要求は、ユーザー端末の移動性管理コンテキストを含み、移動性管理コンテキストは、ソース・システムの移動性管理コンテキストであり；ターゲット移動性管理機能エンティティーが、ソース移動性管理機能エンティティーによって送信された再配置要求を受信した後、ターゲット移動性管理機能エンティティーは、ソース・システムの移動性管理コンテキストをターゲット・システムの移動性管理コンテキストにマッピングする。
【００３１】
第四の側面によれば、本願は、下記を含むネットワーク・ハンドオーバー方法を提供する。
【００３２】
ソース基地局によって送られた、ターゲット無線アクセス・ネットワーク・ノードのネットワーク識別子を担持するユーザー端末ハンドオーバー要求を受信した後、ソース移動性管理機能エンティティーは、ターゲット無線アクセス・ネットワーク・ノードのネットワーク識別子に基づいて、RAT間ネットワーク・ハンドオーバーをトリガーすることを決定し、ターゲット移動性管理機能エンティティーに再配置要求を送信する。該再配置要求を受信した後、ターゲット移動性管理機能エンティティーは、セッション管理コンテキストをターゲット・セッション管理機能エンティティーに送信する。該セッション管理コンテキストを受信した後、ターゲット・セッション管理機能エンティティーはセッション接続確立要求をターゲット移動性管理機能エンティティーに送信する。セッション接続確立要求を受信した後、ターゲット移動性管理機能エンティティーは該セッション接続確立要求をターゲット無線アクセス・ネットワーク・ノードに送信する。ここで、接続確立要求は、ターゲット無線アクセス・ネットワーク・ノードに、コア・ネットワーク・ユーザー・プレーン機能エンティティーとデータ伝送チャネルを確立するよう命令するために使われる。このように、CP機能とUP機能が分離され、CP中のAMFとSMFが分離されたシナリオにおいては、RAT間ネットワーク・ハンドオーバーの成功裏の実行が保証され、データ・サービスの連続性が保証される。
【００３３】
ある可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送する前に、ターゲット・セッション管理機能エンティティーが、ターゲット移動性管理機能エンティティーによって送信される、ユーザー端末の端末識別子およびターゲット無線アクセス・ネットワーク・ノードのネットワーク識別子を受信する。任意的に、ターゲット・セッション管理機能エンティティーは、ターゲット無線アクセス・ネットワーク・ノードのネットワーク識別子に基づいて、この動作がRAT間ネットワーク・ハンドオーバーであることを判別する。
【００３４】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送する前に、ターゲット・セッション管理機能エンティティーは、ターゲット移動性管理機能エンティティーによって送信されるRAT間ネットワーク・ハンドオーバー指示および／またはターゲット・ネットワーク・アクセス型を受信する。ここで、RAT間ネットワーク・ハンドオーバー指示および／またはターゲット・ネットワーク・アクセス型は、ターゲット・セッション管理機能エンティティーによって、この動作がRAT間ネットワーク・ハンドオーバーであることを判別するために使われる。
【００３５】
もう一つの可能な設計では、ターゲット・セッション管理機能エンティティーがターゲット移動性管理機能エンティティーによって送信されたセッション管理コンテキストを受信した後、ターゲット・セッション管理機能エンティティーは、ターゲット無線アクセス・ネットワーク・ノードのネットワーク識別子、RAT間ネットワーク・ハンドオーバー指示およびターゲット・ネットワーク・アクセス型のうちの少なくとも一つに基づいて、この動作がRAT間ネットワーク・ハンドオーバーであることを判別する。
【００３６】
もう一つの可能な設計では、セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【００３７】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送した後、ターゲット・セッション管理機能エンティティーが、ターゲット移動性管理機能エンティティーから送信されたセッション管理メッセージを受信し、ここで、セッション管理メッセージは、ターゲット移動性管理機能エンティティーがターゲット無線アクセス・ネットワーク・ノードによって送信されたハンドオーバー完了通知を受信した後に、ターゲット移動性管理機能エンティティーによって送信され、ハンドオーバー完了通知はセッション管理メッセージを含み、セッション管理メッセージはセッション識別子および／または第二のデータ・チャネル情報を担持し、第二のデータ・チャネル情報がコア・ネットワーク・ユーザー・プレーン機能エンティティーとターゲット無線アクセス・ネットワーク・ノードとの間のデータ伝送チャネルを確立するために使われる。
【００３８】
もう一つの可能な設計では、ターゲット・セッション管理機能エンティティーがセッション接続確立要求をターゲット移動性管理機能エンティティーに送信し、ターゲット移動性管理機能エンティティーがセッション接続確立要求をターゲット無線アクセス・ネットワーク・ノードに転送した後、ターゲット・セッション管理機能エンティティーは、ターゲット移動性管理機能エンティティーによって転送されたセッション接続確立応答を受信する。ここで、セッション接続確立応答がターゲット無線アクセス・ネットワーク・ノードによってターゲット移動性管理機能エンティティーに送信され、セッション接続確立応答がセッション識別子および／または第二のデータ・チャネル情報を担持し、第二のデータ・チャネル情報はコア・ネットワーク・ユーザー・プレーン機能エンティティーとターゲット無線アクセス・ネットワーク・ノードとの間のデータ伝送チャネルを確立するために使用される。
【００３９】
もう一つの可能な設計では、セッション管理コンテキストは、ソース・システムのセッション管理コンテキストであり；ターゲット・セッション管理機能エンティティーが、ターゲット移動性管理機能エンティティーによって送信されるソース・システムのセッション管理コンテキストを受信した後、ターゲット・セッション管理機能エンティティーは、ソース・システムの移動性管理コンテキストをターゲット・システムの移動性管理コンテキストにマッピングする。
【００４０】
第五の側面によれば、本願は、ソース移動性管理機能エンティティーを提供する。ソース移動性管理機能エンティティーは、第一の側面における、ソース移動性管理機能エンティティーによって実行される方法および機能を実装するよう構成される。ソース移動性管理機能エンティティーは、ハードウェア／ソフトウェアによって実装され、ソース移動性管理機能エンティティーのハードウェア／ソフトウェアは、上記機能に対応するユニットを含む。
【００４１】
第六の側面によれば、本願は、ソース・セッション管理機能エンティティーを提供する。ソース・セッション管理機能エンティティーは、第二の側面における、ソース・セッション管理機能エンティティーによって実行される方法および機能を実装するよう構成される。ソース・セッション管理機能エンティティーは、ハードウェア／ソフトウェアによって実装され、ソース・セッション管理機能エンティティーのハードウェア／ソフトウェアは、上記機能に対応するユニットを含む。
【００４２】
第七の側面によれば、本願は、ターゲット移動性管理機能エンティティーを提供する。ターゲット移動性管理機能エンティティーは、第三の側面における、ターゲット移動性管理機能エンティティーによって実行される方法および機能を実装するよう構成される。ターゲット移動性管理機能エンティティーは、ハードウェア／ソフトウェアによって実装され、ターゲット移動性管理機能エンティティーのハードウェア／ソフトウェアは、上記機能に対応するユニットを含む。
【００４３】
第八の側面によれば、本願は、ターゲット・セッション管理機能エンティティーを提供する。ターゲット・セッション管理機能エンティティーは、第四の側面における、ターゲット・セッション管理機能エンティティーによって実行される方法および機能を実装するよう構成される。ターゲット・セッション管理機能エンティティーは、ハードウェア／ソフトウェアによって実装され、ターゲット・セッション管理機能エンティティーのハードウェア／ソフトウェアは、上記機能に対応するユニットを含む。
【００４４】
第九の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第一の側面で提供されるネットワーク・ハンドオーバー方法のステップを実装する。
【００４５】
第十の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第二の側面で提供されるネットワーク・ハンドオーバー方法のステップを実装する。
【００４６】
第十一の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第三の側面で提供されるネットワーク・ハンドオーバー方法のステップを実装する。
【００４７】
第十二の側面によれば、本願は、プロセッサ、メモリおよび通信バスを含むネットワーク・ハンドオーバー装置を提供する。通信バスは、プロセッサとメモリとの間の接続通信を実装するように構成され、プロセッサは、メモリに記憶されたプログラムを実行し、第四の側面で提供されるネットワーク・ハンドオーバー方法のステップを実装する。
【図面の簡単な説明】
【００４８】
本願の実施形態における技術的解決策をより明確に説明するために、下記では、実施形態を説明するために必要とされる添付の図面を簡単に説明する。明らかに、下記の説明における添付の図面は、本願のいくつかの実施形態を示しているに過ぎず、当業者はさらに、創造的努力なしに、これら添付の図面から他の図面を導き出しうる。
【００４９】
【図１】従来技術によるEPSネットワーク・アーキテクチャーの概略的な構造図である。
【００５０】
【図２】従来技術によるネットワーク・スライスの概略的なアーキテクチャー図である。
【００５１】
【図３】図３Ａおよび図３Ｂは、本願の第一の実施形態によるネットワーク・ハンドオーバー方法の概略的なフローチャートである。
【００５２】
【図４】図４Ａおよび図４Ｂは、本願の第二の実施形態によるネットワーク・ハンドオーバー方法の概略的なフローチャートである。
【００５３】
【図５】図５Ａ、図５Ｂおよび図５Ｃは、本願の第三の実施形態によるネットワーク・ハンドオーバー方法の概略的なフローチャートである。
【００５４】
【図６】図６Ａ、図６Ｂおよび図６Ｃは、本願の第四の実施形態によるネットワーク・ハンドオーバー方法の概略的なフローチャートである。
【００５５】
【図７】図７Ａおよび図７Ｂは、本願の第五の実施形態によるネットワーク・ハンドオーバー方法の概略的なフローチャートである。
【００５６】
【図８】図８Ａおよび図８Ｂは、本願の第六の実施形態によるネットワーク・ハンドオーバー方法の概略的なフローチャートである。
【００５７】
【図９】図９Ａおよび図９Ｂは、本願の第七の実施形態によるネットワーク・ハンドオーバー方法の概略的なフローチャートである。
【００５８】
【図１０】図１０Ａおよび図１０Ｂは、本願の第八の実施形態によるネットワーク・ハンドオーバー方法の概略的なフローチャートである。
【００５９】
【図１１】本願のある実施形態によるソース移動性管理機能エンティティーの概略的な構造図である。
【００６０】
【図１２】本願のある実施形態によるソース・セッション管理機能エンティティーの概略的な構造図である。
【００６１】
【図１３】本願のある実施形態によるターゲット移動性管理機能エンティティーの概略的な構造図である。
【００６２】
【図１４】本願の実施形態によるターゲット・セッション管理機能エンティティーの概略的な構造図である。
【００６３】
【図１５】本願によるネットワーク・ハンドオーバー装置の概略的な構造図である。
【００６４】
【図１６】本願による別のネットワーク・ハンドオーバー装置の概略的な構造図である。
【００６５】
【図１７】本願による別のネットワーク・ハンドオーバー装置の概略的な構造図である。
【００６６】
【図１８】本願によるさらに別のネットワーク・ハンドオーバー装置の概略的な構造図である。
【発明を実施するための形態】
【００６７】
下記は、添付の図面を参照して、本願の実施形態を記述する。図３Ａおよび図３Ｂを参照するに、図３Ａおよび図３Ｂは、本願の第一の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNBおよびMMEは4Gネットワークにおける装置である。図に示されるように、本願のこの実施形態における方法は、以下のステップを含む。
【００６８】
S301。UEがソース無線アクセス・ネットワーク・ノードNG-RANからターゲット基地局eNBへのハンドオーバーをトリガーする。
【００６９】
S302。無線アクセス・ネットワーク・ノードNG-RANが、ソース移動性管理機能エンティティーAMFに、ターゲット基地局識別子を担持するユーザー端末ハンドオーバー要求を送信する。
【００７０】
S303。ソース移動性管理機能エンティティーAMFが、ターゲット基地局識別子に基づいて、RAT間ネットワーク・ハンドオーバーをトリガーすることを決定する。
【００７１】
S304。ソース移動性管理機能エンティティーAMFが、ソース・セッション管理機能エンティティーSMFに第一のメッセージを送信する。任意的に、第一のメッセージは、ターゲット基地局識別子を含む。任意的に、ターゲット基地局識別子は、この動作がRAT間ネットワーク・ハンドオーバーであることを判別するために、ソース・セッション管理機能エンティティーによって使用される。
【００７２】
任意的に、第一のメッセージはさらに、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【００７３】
S305。ソース・セッション管理機能エンティティーSMFが、第二のメッセージをソース移動性管理機能エンティティーAMFに送信する。第二のメッセージは、セッション管理コンテキストを含む。
【００７４】
任意的に、ソース・セッション管理機能エンティティーSMFがソース移動性管理機能エンティティーAMFに第二のメッセージを送信する前に、ソース・セッション管理機能エンティティーSMFは、ターゲット基地局識別子に基づいて、この動作がRAT間ハンドオーバーであることを決定してもよく、あるいはターゲット・ネットワーク・アクセス型および／またはRAT間ネットワーク・ハンドオーバー指示に基づいて、この動作がRAT間ネットワーク・ハンドオーバーであることを判別してもよい。
【００７５】
任意的に、第二のメッセージは、ユーザー端末のセッション管理コンテキストを含み、セッション管理コンテキストは、ターゲット・システムのセッション管理コンテキストである。ソース・セッション管理機能エンティティーSMFが第二のメッセージをソース移動性管理機能エンティティーAMFに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングする。
【００７６】
S306。ソース移動性管理機能エンティティーAMFが、ターゲット移動性管理機能エンティティーMMEに、再配置要求を送信する。ここで、再配置要求は、ターゲット移動性管理機能エンティティーに、ユーザー端末に対してRAT間ネットワーク・ハンドオーバーを実行するよう命令するために使用される。
【００７７】
再配置要求は、ターゲット基地局識別子、ユーザー端末の端末識別子、セッション管理コンテキストおよび移動性管理コンテキストを担持する。
【００７８】
任意的に、再配置要求はさらに、ユーザー端末の移動性管理コンテキストを含み、該移動性管理コンテキストは、ターゲット・システムの移動性管理コンテキストである。ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングする。
【００７９】
S307。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【００８０】
S308。サービス・ゲートウェイS-GWが、ターゲット移動性管理機能エンティティーMMEに対してセッション確立応答を返す。
【００８１】
S309。ターゲット移動性管理機能エンティティーMMEが、ハンドオーバー要求をターゲット基地局eNBに送信する。
【００８２】
S310。ターゲット基地局eNBが、ハンドオーバー要求受け取り確認メッセージをターゲット移動性管理機能エンティティーMMEに返す。
【００８３】
S311。ターゲット移動性管理機能エンティティーMMEが、ソース移動性管理機能エンティティーAMFに再配置応答を送信する。
【００８４】
ステップS301〜S311においてネットワーク・ハンドオーバーのために提供されるリソース準備に基づき、ステップS312〜S323において、5Gネットワークから4Gネットワークへのハンドオーバーを実行し、ネットワーク再構成を実行するプロセスについて記述される。ステップS312〜S323は、以下のように実行される。
【００８５】
S312。ソース移動性管理機能エンティティーAMFが、ソース無線アクセス・ネットワーク・ノードNG-RANにハンドオーバー・コマンドを送信する。
【００８６】
S313。ソース無線アクセス・ネットワーク・ノードNG-RANが、ハンドオーバー・コマンドをユーザー端末UEに転送する。
【００８７】
S314。ユーザー端末UEが、ターゲット基地局eNBにハンドオーバー完了通知メッセージを送信する。
【００８８】
S315。ターゲット基地局eNBが、ハンドオーバー完了通知メッセージをターゲット移動性管理機能エンティティーMMEに送信する。
【００８９】
S316。ターゲット移動性管理機能エンティティーMMEが、ソース移動性管理機能エンティティーAMFに再配置完了通知を送信する。
【００９０】
S317。ソース移動性管理機能エンティティーAMFが、ターゲット移動性管理機能エンティティーMMEに再配置完了通知受け取り確認を送信する。
【００９１】
S318。ターゲット移動性管理機能エンティティーMMEが、サービス・ゲートウェイS-GWにベアラー修正要求を送信する。
【００９２】
S319。サービス・ゲートウェイS-GWが、ソース・セッション管理機能エンティティーSMFにベアラー修正要求を送信する。
【００９３】
S320。ソース・セッション管理機能エンティティーSMFが、サービス・ゲートウェイS-GWにベアラー修正応答を返す。
【００９４】
S321。ソース・セッション管理機能エンティティーSMFおよびユーザー・プレーン機能エンティティーUPFが構成データを更新する。
【００９５】
S322。サービス・ゲートウェイS-GWが、ターゲット移動性管理機能エンティティーMMEにベアラー修正応答を送信する。
【００９６】
S323。ソース移動性管理機能エンティティーAMFが、無線アクセス・ネットワーク・ノードNG-RANのネットワーク・リソースを解放する。
【００９７】
本願のこの実施形態におけるステップを実行する順序は、限定されなくてもよく、ステップを実行する順序は変更されてもよいことを注意しておくべきである。
【００９８】
図４Ａおよび図４Ｂを参照するに、図４Ａおよび図４Ｂは、本願の第二の実施形態によるネットワーク・ハンドオーバー方法の概略的なフローチャートである。4Gネットワーク（ソース・システム）から5Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【００９９】
S401。UEが、ソース基地局eNBからターゲット無線アクセス・ネットワーク・ノードNG-RANへのハンドオーバーをトリガーする。
【０１００】
S402。ソース基地局eNBが、ソース移動性管理機能エンティティーMMEに、ターゲット無線アクセス・ネットワーク・ノードのネットワーク識別子を担持するユーザー端末ハンドオーバー要求を送信する。
【０１０１】
S403。ソース移動性管理機能エンティティーMMEが、ターゲット無線アクセス・ネットワーク・ノードのネットワーク識別子に基づいて、RAT間ネットワーク・ハンドオーバーをトリガーすることを決定し、ターゲット移動性管理機能エンティティーAMFに再配置要求を送信する。
【０１０２】
再配置要求は、ユーザー端末の端末識別子、ターゲット無線アクセス・ネットワーク・ノードのネットワーク識別子およびユーザー端末のコンテキスト情報を担持し、ユーザー端末のコンテキスト情報は、移動性管理コンテキストおよびセッション管理コンテキストを含む。
【０１０３】
S404。ターゲット移動性管理機能エンティティーAMFが、セッション管理コンテキストをターゲット・セッション管理機能エンティティーSMFに送信する。
【０１０４】
任意的に、再配置要求は、ユーザー端末の移動性管理コンテキストを含み、移動性管理コンテキストは、ソース・システムの移動性管理コンテキストである。セッション管理コンテキストをターゲット・セッション管理機能エンティティーSMFに送信する前に、ターゲット移動性管理機能エンティティーAMFは、ソース・システムの移動性管理コンテキストをターゲット・システムの移動性管理コンテキストにマッピングしてもよい。
【０１０５】
任意的に、ターゲット移動性管理機能エンティティーAMFはさらに、ユーザー端末の端末識別子およびターゲット無線アクセス・ネットワーク・ノードのネットワーク識別子をターゲット・セッション管理機能エンティティーSMFに送信してもよい。
【０１０６】
任意的に、ターゲット移動性管理機能エンティティーAMFはさらに、RAT間ネットワーク・ハンドオーバー指示および／またはターゲット・ネットワーク・アクセス型をターゲット・セッション管理機能エンティティーSMFに送信してもよく、RAT間ネットワーク・ハンドオーバー指示および／またはターゲット・ネットワーク・アクセス型は、この動作がRAT間ネットワーク・ハンドオーバーであることを判別するために、ターゲット・セッション管理機能エンティティーによって使用される。
【０１０７】
S405。ターゲット・セッション管理機能エンティティーSMFが、セッション接続確立要求をターゲット移動性管理機能エンティティーAMFに送信する。
【０１０８】
任意的に、ターゲット移動性管理機能エンティティーAMFによって送信されるソース・システムのセッション管理コンテキストを受信した後、ターゲット・セッション管理機能エンティティーSMFは、ソース・システムのセッション管理コンテキストをターゲット・システムのセッション管理コンテキストにマッピングし、次いで、セッション接続確立要求をターゲット移動性管理機能エンティティーAMFに送信してもよい。
【０１０９】
セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【０１１０】
任意的に、ターゲット・セッション管理機能エンティティーSMFはさらに、ターゲット移動性管理機能エンティティーAMFからターゲット無線アクセス・ネットワーク・ノードのネットワーク識別子を受信する。任意的に、ターゲット移動性管理機能エンティティーAMFによって送信されたセッション管理コンテキストを受信した後、ターゲット・セッション管理機能エンティティーSMFは、ターゲット無線アクセス・ネットワーク・ノードのネットワーク識別子に基づいて、この動作がRAT間ネットワーク・ハンドオーバーであることを判別してもよい。
【０１１１】
任意的に、ターゲット・セッション管理機能エンティティーSMFはさらに、ターゲット移動性管理機能エンティティーAMFから、RAT間ネットワーク・ハンドオーバー指示および／またはターゲット・ネットワーク・アクセス型を受信する。ターゲット移動性管理機能エンティティーAMFによって送信されたセッション管理コンテキストを受信した後、ターゲット・セッション管理機能エンティティーSMFは、RAT間ネットワーク・ハンドオーバー指示および／またはターゲット・ネットワーク・アクセス型に基づいて、この動作がRAT間ネットワーク・ハンドオーバーであることを判別してもよい。
【０１１２】
任意的に、ターゲット・セッション管理機能エンティティーSMFはさらに、ターゲット移動性管理機能エンティティーAMFから、ターゲット無線アクセス・ネットワーク・ノードのネットワーク識別子、RAT間ネットワーク・ハンドオーバー指示およびターゲット・ネットワーク・アクセス型のうちの少なくとも一つを受信する。ターゲット移動性管理機能エンティティーAMFによって送信されたセッション管理コンテキストを受信した後、ターゲット・セッション管理機能エンティティーSMFは、ターゲット無線アクセス・ネットワーク・ノードのネットワーク識別子、RAT間ネットワーク・ハンドオーバー指示およびターゲット・ネットワーク・アクセス型のうちの少なくとも一つに基づいて、この動作がRAT間ネットワーク・ハンドオーバーであることを判別してもよい。
【０１１３】
S406。ターゲット移動性管理機能エンティティーAMFが、ターゲット無線アクセス・ネットワーク・ノードNG-RANに、セッション接続確立要求を担持するハンドオーバー要求を送信するか；または、ターゲット無線アクセス・ネットワーク・ノードNG-RANにハンドオーバー要求を送信し、ターゲット無線アクセス・ネットワーク・ノードNG-RANにセッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するよう命令するために使われる。
【０１１４】
S407。ターゲット無線アクセス・ネットワーク・ノードNG-RANは、ハンドオーバー要求受け取り確認をターゲット移動性管理機能エンティティーAMFに送信するか；または、セッション接続確立応答を担持するハンドオーバー要求受け取り確認をターゲット移動性管理機能エンティティーAMFに送信する。
【０１１５】
任意的に、セッション接続確立要求がターゲット無線アクセス・ネットワーク・ノードNG-RANに送信されるハンドオーバー要求に含まれず、セッション接続確立応答がターゲット無線アクセス・ネットワーク・ノードNG-RANに送信されるハンドオーバー要求受け取り確認に含まれない場合、ターゲット無線アクセス・ネットワーク・ノードNG-RANによって送信されるハンドオーバー要求受け取り確認を受信した後、ターゲット移動性管理機能エンティティーAMFは、ターゲット無線アクセス・ネットワーク・ノードNG-RANにセッション接続確立要求を送信してもよく；セッション接続確立要求を受信した後、ターゲット無線アクセス・ネットワーク・ノードNG-RANは、ターゲット移動性管理機能エンティティーAMFにセッション接続確立応答を返す。
【０１１６】
セッション接続確立応答は、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０１１７】
S408。ターゲット移動性管理機能エンティティーAMFが、セッション接続確立応答をターゲット・セッション管理機能エンティティーSMFに送信する。
【０１１８】
S409。ターゲット移動性管理機能エンティティーAMFが、ソース移動性管理機能エンティティーMMEに再配置応答を送信する。
【０１１９】
S410。ソース移動性管理機能エンティティーMMEが、ソース基地局eNBにハンドオーバー・コマンドを送信する。
【０１２０】
S411。ソース基地局eNBが、ユーザー端末UEにハンドオーバー・コマンドを送信する。
【０１２１】
S412。ユーザー端末UEが、ターゲット無線アクセス・ネットワーク・ノードNG-RANに対してハンドオーバー完了通知を送信する。
【０１２２】
S413。ターゲット無線アクセス・ネットワーク・ノードNG-RANが、ハンドオーバー完了通知をターゲット移動性管理機能エンティティーAMFに送信する。ここで、ハンドオーバー完了通知はセッション管理メッセージを含み、セッション管理メッセージは、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０１２３】
S414。ターゲット移動性管理機能エンティティーAMFが、セッション管理メッセージをターゲット・セッション管理機能エンティティーSMFに送信する。
【０１２４】
S415。ターゲット移動性管理機能エンティティーAMFが、再配置完了通知をソース移動性管理機能エンティティーMMEに送信する。
【０１２５】
S416。ソース移動性管理機能エンティティーMMEが、ターゲット移動性管理機能エンティティーAMFに再配置完了受け取り確認を送信する。
【０１２６】
S417。ユーザー・プレーン機能エンティティーUPFとターゲット・セッション管理機能エンティティーSMFがデータを構成する。
【０１２７】
S418。ユーザー端末UEとターゲット移動性管理機能エンティティーAMFが登録手順を実行する。
【０１２８】
S419。ソース移動性管理機能エンティティーMMEが、ソース基地局eNBのネットワーク・リソースを解放する。
【０１２９】
本願のこの実施形態におけるステップを実行する順序は、限定されなくてもよく、ステップを実行する順序は変更されてもよいことを注意しておくべきである。
【０１３０】
図５Ａ、図５Ｂおよび図５Ｃを参照するに、図５Ａ、図５Ｂおよび図５Ｃは、本願の第三の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。最初の二つの実施形態のものと比較して、この実施形態のシステムは、相互運用機能ネットワーク要素IWFをさらに含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０１３１】
S501。UEが、ソース無線アクセス・ネットワーク・ノードNG-RANからターゲット基地局eNBへのハンドオーバーをトリガーする。
【０１３２】
S502。無線アクセス・ネットワーク・ノードNG-RANが、ソース移動性管理機能エンティティーAMFに、ターゲット基地局識別子を担持するユーザー端末ハンドオーバー要求を送信する。
【０１３３】
S503。ソース移動性管理機能エンティティーAMFが、ターゲット基地局識別子に基づいて、RAT間ネットワーク・ハンドオーバーをトリガーすることを決定する。
【０１３４】
S504。ソース移動性管理機能エンティティーAMFが、相互運用機能ネットワーク要素IWFに再配置要求を送信する。ここで、再配置要求は、ユーザー端末の端末識別子、ターゲット基地局識別子および移動性管理コンテキストを担持する。
【０１３５】
S505。ソース移動性管理機能エンティティーAMFが、ハンドオーバー通知をソース・セッション管理機能エンティティーSMFに送信する。ここで、ハンドオーバー通知は、ユーザー端末の端末識別子およびターゲット基地局識別子を担持する。
【０１３６】
任意的に、ハンドオーバー通知は、ターゲット・ネットワーク・アクセス型および／またはRAT間ネットワーク・ハンドオーバー指示を含み、ターゲット・ネットワーク・アクセス型および／またはRAT間ネットワーク・ハンドオーバー指示は、この動作がRAT間ネットワーク・ハンドオーバーであることを判別するために、ソース・セッション管理機能エンティティーによって使用される。
【０１３７】
S506。任意的に、ソース・セッション管理機能エンティティーSMFが、ターゲット基地局識別子に基づいて、この動作がRAT間ネットワーク・ハンドオーバーであることを判別するか；または、ターゲット・ネットワーク・アクセス型および／またはRAT間ネットワーク・ハンドオーバー指示に基づいて、この動作がRAT間ネットワーク・ハンドオーバーであることを判別する。
【０１３８】
S507。ソース・セッション管理機能エンティティーSMFが、相互運用機能ネットワーク要素IWFに再配置要求を送信する。ここで、再配置要求は、セッション管理コンテキストおよびユーザー端末の端末識別子を含む。
【０１３９】
S508。相互運用機能ネットワーク要素IWFが、再配置要求をターゲット移動性管理機能エンティティーMMEに送信する。ここで、再配置要求は、ユーザー端末の端末識別子、ターゲット基地局識別子、セッション管理コンテキストおよび移動性管理コンテキストを含む。
【０１４０】
任意的に、ターゲット移動性管理機能エンティティーMMEに再配置要求を送信する前に、相互運用機能ネットワーク要素IWFは、ソース・システムの移動性管理コンテキストをターゲット・システムの移動性管理コンテキストにマッピングし、ソース・システムのセッション管理コンテキストをターゲット・システムのセッション管理コンテキストにマッピングしてもよい。
【０１４１】
S509。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０１４２】
S510。サービス・ゲートウェイS-GWが、ターゲット移動性管理機能エンティティーMMEにセッション確立応答を返す。
【０１４３】
S511。ターゲット移動性管理機能エンティティーMMEが、ハンドオーバー要求をターゲット基地局eNBに送信する。
【０１４４】
S512。ターゲット基地局eNBが、ハンドオーバー要求受け取り確認をターゲット移動性管理機能エンティティーMMEに送信する。
【０１４５】
S513。ターゲット移動性管理機能エンティティーMMEが、相互運用機能ネットワーク要素IWFに再配置応答を送信する。
【０１４６】
S514。相互運用機能ネットワーク要素IWFが、ソース・セッション管理機能エンティティーSMFに再配置応答を送信する。
【０１４７】
S515。相互運用機能ネットワーク要素IWFが、ソース移動性管理機能エンティティーAMFに再配置応答を送信する。
【０１４８】
ステップS501〜S515においてネットワーク・ハンドオーバーのために提供されるリソース準備に基づき、ステップS516〜S531において、5Gネットワークから4Gネットワークへのハンドオーバーを実行し、ネットワーク再構成を実行するプロセスについて記述される。ステップS516〜S531は、本願の第一の実施形態におけるステップと同様であり、本願のこの実施形態では詳細は説明されない。
【０１４９】
本願のこの実施形態におけるステップを実行する順序は、限定されなくてもよく、ステップを実行する順序は変更されてもよいことを注意しておくべきである。
【０１５０】
図６Ａ、図６Ｂおよび図６Ｃを参照するに、図６Ａ、図６Ｂおよび図６Ｃは、本願の第四の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。最初の二つの実施形態のものと比較して、この実施形態のシステムはさらに、相互運用機能ネットワーク要素IWFを含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０１５１】
S601。UEが、ソース無線アクセス・ネットワーク・ノードNG-RANからターゲット基地局eNBへのハンドオーバーをトリガーする。
【０１５２】
S602。無線アクセス・ネットワーク・ノードNG-RANが、ソース移動性管理機能エンティティーAMFに、ターゲット基地局識別子を担持するユーザー端末ハンドオーバー要求を送信する。
【０１５３】
S603。ソース移動性管理機能エンティティーAMFが、ターゲット基地局識別子に基づいて、RAT間ネットワーク・ハンドオーバーをトリガーすることを決定する。
【０１５４】
S604。ソース移動性管理機能エンティティーAMFが、相互運用機能ネットワーク要素IWFに再配置要求を送信する。ここで、再配置要求は、ユーザー端末の端末識別子、ターゲット基地局識別子および移動性管理コンテキストを担持する。
【０１５５】
S605。相互運用機能ネットワーク要素IWFが、ソース・セッション管理機能エンティティーSMFに再配置要求を送信する。ここで、再配置要求はユーザー端末の端末識別子を含む。
【０１５６】
S606。ソース・セッション管理機能エンティティーSMFが、相互運用機能ネットワーク要素IWFに再配置応答を送信する。ここで、再配置応答は、セッション管理コンテキストを含む。
【０１５７】
S607。相互運用機能ネットワーク要素IWFが、再配置要求をターゲット移動性管理機能エンティティーMMEに送信する。ここで、再配置要求は、ユーザー端末の端末識別子、ターゲット基地局識別子、セッション管理コンテキストおよび移動性管理コンテキストを含む。
【０１５８】
任意的に、ターゲット移動性管理機能エンティティーMMEに再配置要求を送信する前に、相互運用機能ネットワーク要素IWFは、ソース・システムの移動性管理コンテキストをターゲット・システムの移動性管理コンテキストにマッピングし、ソース・システムのセッション管理コンテキストをターゲット・システムのセッション管理コンテキストにマッピングしてもよい。
【０１５９】
S608。ターゲット移動性管理機能エンティティーMMEが、セッション確立要求をサービス・ゲートウェイS-GWに送信する。セッション確立要求は、セッション管理コンテキストおよびユーザー端末の端末識別子を含む。
【０１６０】
S609。サービス・ゲートウェイS-GWが、ターゲット移動性管理機能エンティティーMMEにセッション確立応答を返す。
【０１６１】
S610。ターゲット移動性管理機能エンティティーMMEが、ハンドオーバー要求をターゲット基地局eNBに送信する。
【０１６２】
S611。ターゲット基地局eNBが、ハンドオーバー要求受け取り確認をターゲット移動性管理機能エンティティーMMEに送信する。
【０１６３】
S612。ターゲット移動性管理機能エンティティーMMEが、相互運用機能ネットワーク要素IWFに再配置応答を送信する。
【０１６４】
S613。相互運用機能ネットワーク要素IWFが、ソース・セッション管理機能エンティティーSMFに再配置応答を送信する。
【０１６５】
S614。相互運用機能ネットワーク要素IWFが、ソース移動性管理機能エンティティーAMFに再配置応答を送信する。
【０１６６】
ステップS601〜S614においてネットワーク・ハンドオーバーのために提供されるリソース準備に基づき、ステップS615〜S630において、5Gネットワークから4Gネットワークへのハンドオーバーを実行し、ネットワーク再構成を実行するプロセスについて記述される。ステップS615〜S630は、本願の第一実施形態におけるステップと同様であり、本願のこの実施形態では、詳細は説明されない。
【０１６７】
本願のこの実施形態におけるステップを実行する順序は、限定されなくてもよく、ステップを実行する順序は変更されてもよいことを注意しておくべきである。
【０１６８】
図７Ａおよび図７Ｂを参照するに、図７Ａおよび図７Ｂは、本願の第五の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に示されている。NG-RAN、AMF、SMFは5Gネットワークにおける装置であり、eNB、MMEは4Gネットワークにおける装置である。図に示されるように、本願のこの実施形態における方法は、以下のステップを含む。
【０１６９】
S701。UEが、ソース無線アクセス・ネットワーク・ノードNG-RANからターゲット基地局eNBへのハンドオーバーをトリガーする。
【０１７０】
S702。無線アクセス・ネットワーク・ノードNG-RANが、ソース移動性管理機能エンティティーAMFに、ターゲット基地局識別子を担持するユーザー端末ハンドオーバー要求を送信する。
【０１７１】
S703。ソース移動性管理機能エンティティーAMFが、ターゲット基地局識別子に基づいて、RAT間ネットワーク・ハンドオーバーをトリガーすることを決定し、移動性管理コンテキストをソース・セッション管理機能エンティティーSMFに送信する。
【０１７２】
移動性管理コンテキストは、ターゲット基地局識別子およびユーザー端末の端末識別子を担持し、ターゲット基地局識別子は、この動作がRAT間ネットワーク・ハンドオーバーであることを判別するために、ソース・セッション管理機能エンティティーによって使用される。
【０１７３】
任意的に、ソース移動性管理機能エンティティーAMFが移動性管理コンテキストをソース・セッション管理機能エンティティーSMFに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０１７４】
S704。ソース・セッション管理機能エンティティーSMFが、ターゲット移動性管理機能エンティティーMMEに再配置要求を送信する。ここで、再配置要求は、ターゲット移動性管理機能エンティティーに、ユーザー端末に対してRAT間ネットワーク・ハンドオーバーを実行するように命令するために使用される。
【０１７５】
再配置要求は、ターゲット基地局識別子、ユーザー端末の端末識別子、セッション管理コンテキストおよび移動性管理コンテキストを担持する。
【０１７６】
任意的に、ソース・セッション管理機能エンティティーSMFが再配置要求をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングする。
【０１７７】
S705。ターゲット移動性管理機能エンティティーMMEが、セッション確立要求をサービス・ゲートウェイS-GWに送信する。ここで、セッション確立要求は、セッション管理コンテキストおよびユーザー端末の端末識別子を含む。
【０１７８】
S706。サービス・ゲートウェイS-GWが、ターゲット移動性管理機能エンティティーMMEにセッション確立応答を返す。
【０１７９】
S707。ターゲット移動性管理機能エンティティーMMEが、ハンドオーバー要求をターゲット基地局eNBに送信する。
【０１８０】
S708。ターゲット基地局eNBが、ハンドオーバー要求受け取り確認メッセージをターゲット移動性管理機能エンティティーMMEに返す。
【０１８１】
S709。ターゲット移動性管理機能エンティティーMMEが、ソース移動性管理機能エンティティーAMFに再配置応答を送信する。
【０１８２】
ステップS701〜S709においてネットワーク・ハンドオーバーのために提供されるリソース準備に基づき、ステップS710〜S721において、5Gネットワークから4Gネットワークへのハンドオーバーを実行し、ネットワーク再構成を実行するプロセスについて記述される。ステップS710〜S721は、本願の第一実施形態におけるステップと同様であり、本願のこの実施形態では詳細は説明されない。
【０１８３】
本願のこの実施形態におけるステップを実行する順序は、限定されなくてもよく、ステップを実行する順序は変更されてもよいことを注意しておくべきである。
【０１８４】
図８Ａおよび図８Ｂを参照するに、図８Ａおよび図８Ｂは、本願の第六の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【０１８５】
S801。UEが、ソース無線アクセス・ネットワーク・ノードNG-RANからターゲット基地局eNBへのハンドオーバーをトリガーする。
【０１８６】
S802。無線アクセス・ネットワーク・ノードNG-RANが、ソース移動性管理機能エンティティーAMFに、ターゲット基地局識別子を担持するユーザー端末ハンドオーバー要求を送信する。
【０１８７】
S803。ソース移動性管理機能エンティティーAMFが、ターゲット基地局識別子に基づいて、RAT間ネットワーク・ハンドオーバーをトリガーすることを決定し、再配置要求をターゲット移動性管理機能エンティティーMMEに送信する。ここで、再配置要求は、ユーザー端末の端末識別子、ターゲット基地局識別子および移動性管理コンテキストを含む。
【０１８８】
任意的に、ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０１８９】
S804。ソース移動性管理機能エンティティーAMFが、位置通知をソース・セッション管理機能エンティティーSMFに送信する。ここで、位置通知は、ユーザー端末の端末識別子と、ターゲット移動性管理機能エンティティーMMEのネットワーク・アドレスとを含む。
【０１９０】
S805。ソース・セッション管理機能エンティティーSMFが、ターゲット移動性管理機能エンティティーMMEのネットワーク・アドレスに基づいて、ターゲット移動性管理機能エンティティーMMEに再配置要求を送信する。ここで、再配置要求は、セッション管理コンテキストおよびユーザー端末の端末識別子を含む。
【０１９１】
任意的に、再配置要求をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングしてもよい。
【０１９２】
S806。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０１９３】
S807。サービス・ゲートウェイS-GWが、ターゲット移動性管理機能エンティティーMMEにセッション確立応答を返す。
【０１９４】
S808。ターゲット移動性管理機能エンティティーMMEが、ソース・セッション管理機能エンティティーSMFに再配置応答を送信する。
【０１９５】
S809。ターゲット移動性管理機能エンティティーMMEが、ハンドオーバー要求をターゲット基地局eNBに送信する。
【０１９６】
S810。ターゲット基地局eNBが、ハンドオーバー要求受け取り確認メッセージをターゲット移動性管理機能エンティティーMMEに返す。
【０１９７】
S811。ターゲット移動性管理機能エンティティーMMEが、ソース移動性管理機能エンティティーAMFに再配置応答を送信する。
【０１９８】
ステップS801〜S811においてネットワーク・ハンドオーバーのために提供されるリソース準備に基づいて、ステップS812〜S823において、5Gネットワークから4Gネットワークへのハンドオーバーを実行し、ネットワーク再構成を実行するプロセスが記述される。ステップS812〜S823は、本願の第一の実施形態におけるステップと同様であり、詳細は、本願のこの実施形態では説明されない。
【０１９９】
本願のこの実施形態におけるステップを実行する順序は、限定されなくてもよく、ステップを実行する順序は変更されてもよいことを注意しておくべきである。
【０２００】
図９Ａおよび図９Ｂを参照するに、図９Ａおよび図９Ｂは、本願の第七の実施形態によるネットワーク・ハンドオーバー方法の概略的なフローチャートである。5Gネットワーク（ソース・システム）から4Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。図に示されるように、本願のこの実施形態における方法は、以下のステップを含む。
【０２０１】
S901。UEが、ソース無線アクセス・ネットワーク・ノードNG-RANからターゲット基地局eNBへのハンドオーバーをトリガーする。
【０２０２】
S902。無線アクセス・ネットワーク・ノードNG-RANが、ソース移動性管理機能エンティティーAMFに、ターゲット基地局識別子を担持するユーザー端末ハンドオーバー要求を送信する。
【０２０３】
S903。ソース移動性管理機能エンティティーAMFが、ターゲット基地局識別子に基づいて、RAT間ネットワーク・ハンドオーバーをトリガーすることを決定し、再配置要求をターゲット移動性管理機能エンティティーMMEに送信する。ここで、再配置要求は、ユーザー端末の端末識別子、ターゲット基地局識別子、移動性管理コンテキストおよびソース・セッション管理機能エンティティーSMFのネットワーク・アドレスを含む。
【０２０４】
任意的に、ソース移動性管理機能エンティティーAMFが再配置要求をターゲット移動性管理機能エンティティーMMEに送信する前に、ソース移動性管理機能エンティティーAMFは、ユーザー端末のソース・システムの移動性管理コンテキストを取得し、ソース・システムの移動性管理コンテキストをターゲット・システムの移動性管理コンテキストにマッピングしてもよい。
【０２０５】
S904。ターゲット移動性管理機能エンティティーMMEが、ソース・セッション管理機能エンティティーSMFのネットワーク・アドレスに基づいて、ソース・セッション管理機能エンティティーSMFに再配置要求を送信する。ここで、再配置要求は、ユーザー端末の端末識別子を含む。
【０２０６】
S905。ソース・セッション管理機能エンティティーSMFが、再配置応答をターゲット移動性管理機能エンティティーMMEに送信する。ここで、再配置応答は、セッション管理コンテキスト、サービス品質情報およびデータ伝送チャネルを含む。
【０２０７】
任意的に、ソース・セッション管理機能エンティティーSMFが再配置応答をターゲット移動性管理機能エンティティーMMEに送信する前に、ソース・セッション管理機能エンティティーSMFは、ユーザー端末のソース・システムのセッション管理コンテキストを取得し、ソース・システムのセッション管理コンテキストをターゲット・システムのセッション管理コンテキストにマッピングしてもよい。
【０２０８】
S906。ターゲット移動性管理機能エンティティーMMEが、サービス・ゲートウェイS-GWにセッション確立要求を送信する。セッション確立要求は、セッション管理コンテキストおよびユーザー端末の端末識別子を含む。
【０２０９】
S907。サービス・ゲートウェイS-GWが、ターゲット移動性管理機能エンティティーMMEにセッション確立応答を返す。
【０２１０】
S908。ターゲット移動性管理機能エンティティーMMEが、ソース・セッション管理機能エンティティーSMFに再配置応答を送信する。
【０２１１】
S909。ターゲット移動性管理機能エンティティーMMEが、ハンドオーバー要求をターゲット基地局eNBに送信する。
【０２１２】
S910。ターゲット基地局eNBが、ハンドオーバー要求受け取り確認メッセージをターゲット移動性管理機能エンティティーMMEに返す。
【０２１３】
S911。ターゲット移動性管理機能エンティティーMMEが、ソース移動性管理機能エンティティーAMFに再配置応答を送信する。
【０２１４】
ステップS901〜S911においてネットワーク・ハンドオーバーのために提供されるリソース準備に基づいて、ステップS912〜S923において、5Gネットワークから4Gネットワークへのハンドオーバーを実行し、ネットワーク再構成を実行するプロセスが記述される。ステップS912〜S923は、本願の第一の実施形態におけるステップと同様であり、本願のこの実施形態では詳細は説明されない。
【０２１５】
本願のこの実施形態におけるステップを実行する順序は、限定されなくてもよく、ステップを実行する順序は変更されてもよいことを注意しておくべきである。
【０２１６】
図１０Ａおよび図１０Ｂを参照すると、図１０Ａおよび図１０Ｂは、本願の第八の実施形態によるネットワーク・ハンドオーバー方法の概略的なフローチャートである。4Gネットワーク（ソース・システム）から5Gネットワーク（ターゲット・システム）へのハンドオーバーを実行するプロセスが図に記載されている。NG-RAN、AMF、SMFは5Gネットワークにおける装置であり、eNB、MMEは4Gネットワークにおける装置である。第二実施形態のものと比較して、本実施形態のシステムはさらに、相互運用機能ネットワーク要素IWFを含む。相互運用機能ネットワーク要素IWFは、5Gと4Gの相互運用を実装するための相互運用機能ノードとして使用され、信号の互換性処理、信号の送受信およびコンテキスト・マッピングを受け持つ。図に示されるように、本願のこの実施形態における方法は、以下のステップを含む。
【０２１７】
S1001。UEが、ソース基地局eNBからターゲット無線アクセス・ネットワーク・ノードNG-RANへのハンドオーバーをトリガーする。
【０２１８】
S1002。ソース基地局eNBが、ソース移動性管理機能エンティティーMMEに、ターゲット無線アクセス・ネットワーク・ノードのネットワーク識別子を担持するユーザー端末ハンドオーバー要求を送信する。
【０２１９】
S1003。ソース移動性管理機能エンティティーMMEが、ターゲット無線アクセス・ネットワーク・ノードのネットワーク識別子に基づいて、RAT間ネットワーク・ハンドオーバーをトリガーすることを決定する。
【０２２０】
S1004。ソース移動性管理機能エンティティーMMEが、相互運用機能ネットワーク要素IWFに再配置要求を送信する。
【０２２１】
再配置要求は、ユーザー端末の端末識別子、ターゲット無線アクセス・ネットワーク・ノードのネットワーク識別子、およびユーザー端末のコンテキスト情報を担持し、ユーザー端末のコンテキスト情報は、移動性管理コンテキストおよびセッション管理コンテキストを含む。
【０２２２】
S1005。相互運用機能ネットワーク要素IWFが、再配置要求をターゲット移動性管理機能エンティティーAMFに送信する。ここで、再配置要求は、ユーザー端末の端末識別子、ターゲット無線アクセス・ネットワーク・ノードのネットワーク識別子、および移動性管理コンテキストを含む。
【０２２３】
任意的に、再配置要求をターゲット移動性管理機能エンティティーAMFに送信する前に、相互運用機能ネットワーク要素IWFは、ソース・システムの移動性管理コンテキストをターゲット・システムの移動性管理コンテキストにマッピングしてもよい。
【０２２４】
S1006。相互運用機能ネットワーク要素IWFが、再配置要求をターゲット・セッション管理機能エンティティーSMFに送信する。ここで、再配置要求は、ユーザー端末の端末識別子、ターゲット無線アクセス・ネットワーク・ノードのネットワーク識別子およびセッション管理コンテキストを含む。
【０２２５】
任意的に、再配置要求をターゲット・セッション管理機能エンティティーSMFに送信する前に、相互運用機能ネットワーク要素IWFは、ソース・システムのセッション管理コンテキストをターゲット・システムのセッション管理コンテキストにマッピングしてもよい。
【０２２６】
S1007。ターゲット・セッション管理機能エンティティーSMFが、セッション接続確立要求をターゲット移動性管理機能エンティティーAMFに送信する。
【０２２７】
セッション接続確立要求は、セッション識別子および／または第一のデータ・チャネル情報を担持し、第一のデータ・チャネル情報は、コア・ネットワーク・ユーザー・プレーン機能エンティティーとターゲット無線アクセス・ネットワーク・ノードとの間のデータ伝送チャネルを確立するために使用される。
【０２２８】
任意的に、ターゲット・セッション管理機能エンティティーSMFはさらに、ターゲット無線アクセス・ネットワーク・ノードのネットワーク識別子を、相互運用機能ネットワーク要素IWFから受信する。任意的に、ターゲット・セッション管理機能エンティティーSMFは、ターゲット無線アクセス・ネットワーク・ノードのネットワーク識別子に基づいて、この動作がRAT間ネットワーク・ハンドオーバーであることを判別してもよい。
【０２２９】
任意的に、ターゲット・セッション管理機能エンティティーSMFはさらに、相互運用機能ネットワーク要素IWFから、RAT間ネットワーク・ハンドオーバー指示および／またはターゲット・ネットワーク・アクセス型を受信する。ターゲット・セッション管理機能エンティティーSMFは、RAT間ネットワーク・ハンドオーバー指示および／またはターゲット・ネットワーク・アクセス型に基づいて、この操作がRAT間ネットワーク・ハンドオーバーであると判別してもよい。
【０２３０】
任意的に、ターゲット・セッション管理機能エンティティーSMFはさらに、ターゲット無線アクセス・ネットワーク・ノードのネットワーク識別子、RAT間ネットワーク・ハンドオーバー指示、およびターゲット・ネットワーク・アクセス型のうちの少なくとも一つを、相互運用機能ネットワーク要素IWFから受信する。ターゲット・セッション管理機能エンティティーSMFは、ターゲット無線アクセス・ネットワーク・ノードのネットワーク識別子、RAT間ネットワーク・ハンドオーバー指示、およびターゲット・ネットワーク・アクセス型のうちの少なくとも一つに基づいて、この動作がRAT間ネットワーク・ハンドオーバーであることを判別してもよい。
【０２３１】
S1008。ターゲット移動性管理機能エンティティーAMFが、ターゲット無線アクセス・ネットワーク・ノードNG-RANに、セッション接続確立要求を担持するハンドオーバー要求を送信するか；または、ターゲット無線アクセス・ネットワーク・ノードNG-RANにハンドオーバー要求を送信し、ターゲット無線アクセス・ネットワーク・ノードNG-RANにセッション接続確立要求を送信し、これら二つの要求は二つの異なるメッセージである。このハンドオーバー要求は、ターゲット無線アクセス・ネットワーク・ノードに、ユーザー端末に対してRAT間ネットワーク・ハンドオーバーを実行するように命令するために使用される。
【０２３２】
S1009。ターゲット無線アクセス・ネットワーク・ノードNG-RANが、ハンドオーバー要求受け取り確認をターゲット移動性管理機能エンティティーAMFに送信するか；または、セッション接続確立応答を担持するハンドオーバー要求受け取り確認をターゲット移動性管理機能エンティティーAMFに送信する。
【０２３３】
セッション接続確立要求がターゲット無線アクセス・ネットワーク・ノードNG-RANに送られるハンドオーバー要求に含まれず、セッション接続確立応答がターゲット無線アクセス・ネットワーク・ノードNG-RANに送られるハンドオーバー要求受け取り確認に含まれない場合には、ターゲット無線アクセス・ネットワーク・ノードNG-RANによって送られるハンドオーバー要求受け取り確認を受信した後、ターゲット移動性管理機能エンティティーAMFはターゲット無線アクセス・ネットワーク・ノードNG-RANにセッション接続確立要求を送信してもよく；セッション接続確立要求を受信した後、ターゲット無線アクセス・ネットワーク・ノードNG-RANは、セッション接続確立応答をターゲット移動性管理機能エンティティーAMFに返す。
【０２３４】
任意的に、セッション接続確立応答は、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０２３５】
S1010。ターゲット移動性管理機能エンティティーAMFが、セッション接続確立応答をターゲット・セッション管理機能エンティティーSMFに送信する。
【０２３６】
S1011。ターゲット・セッション管理機能エンティティーSMFが、相互運用機能ネットワーク要素IWFに再配置応答を送信する。
【０２３７】
S1012。ターゲット移動性管理機能エンティティーAMFが、相互運用機能ネットワーク要素IWFに再配置応答を送信する。
【０２３８】
S1013。相互運用機能のネットワーク要素IWFが、ソース移動性管理機能エンティティーMMEに再配置応答を送信する。
【０２３９】
S1014。ソース移動性管理機能エンティティーMMEが、ソース基地局eNBにハンドオーバー・コマンドを送信する。
【０２４０】
S1015。ソース基地局eNBが、ユーザー端末UEにハンドオーバー・コマンドを送信する。
【０２４１】
S1016。ユーザー端末UEが、ターゲット無線アクセス・ネットワーク・ノードNG-RANにハンドオーバー完了通知を送信する。
【０２４２】
S1017。ターゲット無線アクセス・ネットワーク・ノードNG-RANが、ターゲット移動性管理機能エンティティーAMFにハンドオーバー完了通知を送信する。任意的に、ハンドオーバー完了通知は、セッション管理メッセージを含み、セッション管理メッセージは、セッション識別子および／または第二のデータ・チャネル情報を担持し、第二のデータ・チャネル情報は、コア・ネットワーク・ユーザー・プレーン機能エンティティーとターゲット無線アクセス・ネットワーク・ノードとの間のデータ伝送チャネルを確立するために使用される。
【０２４３】
S1018。ターゲット移動性管理機能エンティティーAMFが、セッション管理メッセージをターゲット・セッション管理機能エンティティーSMFに送信する。
【０２４４】
S1019。ターゲット移動性管理機能エンティティーAMFが、相互運用機能ネットワーク要素IWFにハンドオーバー完了通知を送信する。
【０２４５】
S1020。相互運用機能のネットワーク要素IWFが、ソース移動性管理機能エンティティーMMEに再配置完了通知を送信する。
【０２４６】
S1021。ソース移動性管理機能エンティティーMMEが、相互運用機能ネットワーク要素IWFに再配置完了受け取り確認を送信する。
【０２４７】
S1022。ユーザー・プレーン機能エンティティーUPFおよびターゲット・セッション管理機能エンティティーSMFがデータを構成する。
【０２４８】
S1023。ユーザー端末UEおよびターゲット移動性管理機能エンティティーAMFが、登録手順を実行する。
【０２４９】
S1024。ソース移動性管理機能エンティティーMMEが、ソース基地局eNBのネットワーク・リソースを解放する。
【０２５０】
セッション識別子および／または第二のデータ・チャネル情報は、ステップS1009またはステップS1017のみで搬送されることを注意しておくべきである。
【０２５１】
本願のこの実施形態におけるステップを実行する順序は、限定されなくてもよく、ステップを実行する順序は変更されてもよいことを注意しておくべきである。
【０２５２】
上記の実施形態では、PGW-C（制御プレーンPDNゲートウェイ）およびPGW-U（ユーザー・プレーンPDNゲートウェイ）を含むCU分離アーキテクチャーが4Gにおいて使用される。配備の際、PGW-C  (4G)とSMF  (5G)が一緒に統合され、PGW-U  (4G)とUPF  (5G)が一緒に配置される。よって、データ・アンカー・ポイント（IPアンカー・ポイント）は、4Gと5Gの間のハンドオーバーの間、変化しないままである。
【０２５３】
任意的に、配備の際、PGW-C  (4G)およびSMF  (5G)が別個に配置されてもよく、PGW-U  (4G)およびUPF  (5G)が別個に配置されてもよい。よって、上記のネットワーク・ハンドオーバー・システムには、PGW-CおよびPGW-Uの二つのネットワーク要素が追加される必要がある。この場合、5Gから4Gへのハンドオーバーを実行するプロセスにおいて、サービス・ゲートウェイS-GWは、SMFの代わりにPGW-Cにベアラー修正要求を送信し；SMFの代わりにPGW-Cがサービス・ゲートウェイS-GWにベアラー修正応答を送信し；SMFおよびUPFの代わりにPGW-CおよびPGW-Uが構成データを更新する。たとえば、本願の第一の実施形態において、PGW-CおよびPGW-Uの二つのネットワーク要素が追加される。ステップS319において、サービス・ゲートウェイS-GWはベアラー修正要求をPGW-Cに送信する。ステップS320において、PGW-Cが、ベアラー修正応答をサービス・ゲートウェイS-GWに送信する。ステップS321において、PGW-Cが、更新された構成データをPGW-Uに送信する。
【０２５４】
図１１を参照するに、図１１は、本願のある実施形態によるソース移動性管理機能エンティティーの概略的な構造図である。図に示されるように、ソース移動性管理機能エンティティーは、処理モジュール１１０１、送信モジュール１１０２および受信モジュール１１０３を含む。処理モジュール１１０１、送信モジュール１１０２および受信モジュール１１０３は、第一の実施形態ないし第八の実施形態においてソース移動性管理機能エンティティーによって実行される方法および機能を別個に実行する。本願のこの実施形態においては、詳細は再度説明されない。
【０２５５】
図１２を参照するに、図１２は、本願のある実施形態によるソース・セッション管理機能エンティティーの概略的な構造図である。図に示されるように、ソース移動性管理機能エンティティーは、処理モジュール１２０１、送信モジュール１２０２および受信モジュール１２０３を含む。処理モジュール１２０１、送信モジュール１２０２および受信モジュール１２０３は、第一の実施形態ないし第八の実施形態においてソース・セッション管理機能エンティティーによって実行される方法および機能を別個に実行する。本願のこの実施形態においては、詳細は再度説明されない。
【０２５６】
図１３を参照するに、図１３は、本願のある実施形態によるターゲット移動性管理機能エンティティーの概略的な構造図である。図に示されるように、ターゲット移動性管理機能エンティティーは、処理モジュール１３０１、送信モジュール１３０２および受信モジュール１３０３を含む。処理モジュール１３０１、送信モジュール１３０２および受信モジュール１３０３は、第一の実施形態ないし第八の実施形態においてターゲット移動性管理機能エンティティーによって実行される方法および機能を別個に実行する。本願のこの実施形態においては、詳細は再度説明されない。
【０２５７】
図１４を参照するに、図１４は、本願のある実施形態によるターゲット・セッション管理機能エンティティーの概略的な構造図である。図に示されるように、ターゲット移動性管理機能エンティティーは、処理モジュール１４０１、送信モジュール１４０２および受信モジュール１４０３を含む。処理モジュール１４０１、送信モジュール１４０２および受信モジュール１４０３は、第一の実施形態ないし第八の実施形態においてターゲット・セッション管理機能エンティティーによって実行される方法および機能を別個に実行する。本願のこの実施形態においては、詳細は再度説明されない。
【０２５８】
さらに図１５を参照するに、図１５は、本願によるネットワーク・ハンドオーバー装置の概略的な構造図である。図に示されるように、本装置は、CPUなどの少なくとも一つのプロセッサ１５０１、少なくとも一つのネットワーク・インターフェース１５０２、少なくとも一つのメモリ１５０３および少なくとも一つの通信バス１５０４を含んでいてもよい。通信バス１５０４は、これらの構成要素間の接続通信を実装するように構成される。本願のこの実施形態における装置内のネットワーク・インターフェース１５０２は、他のノード装置との信号伝達またはデータ通信を実行するよう構成される。メモリ１５０３は、高速RAMメモリであってもよく、または少なくとも一つの磁気ディスク・メモリのような不揮発性メモリであってもよい。任意的に、メモリ１５０３は、プロセッサ１５０１から遠く離れた少なくとも一つの記憶装置であってもよい。メモリ１５０３はプログラム・コードのグループを記憶し、プロセッサ１５０１は、上記のソース移動性管理機能エンティティーによって実行されるメモリ１５０３内のプログラムを実行する。
【０２５９】
具体的には、プロセッサは、以下の動作を実行するために前記プログラム・コードを呼び出すよう構成される：
ソース無線アクセス・ネットワーク・ノードによって送信され、ターゲット基地局識別子を担持するユーザー端末ハンドオーバー要求を受信したとき、ターゲット基地局識別子に基づいて、RAT間ネットワーク・ハンドオーバーをトリガーすることを決定する；
ネットワーク・インターフェース１５０２を使って、ソース・セッション管理機能エンティティーに第一のメッセージを送信する；
ネットワーク・インターフェース１５０２を使って、ソース・セッション管理機能エンティティーによって送信された第二のメッセージを受信する。ここで、第二のメッセージは、セッション管理コンテキストを含む；
ネットワーク・インターフェース１５０２を使って、ターゲット・移動性管理機能エンティティーに再配置要求を送信する。ここで、再配置要求は、ターゲット移動性管理機能エンティティーに、ユーザー端末に対してRAT間ネットワーク・ハンドオーバーを実行するよう命令するために使用される。
【０２６０】
さらに、プロセッサは、メモリおよびネットワーク・インターフェースと協働して、本願の第一の実施形態ないし第八の実施形態において無線アクセス・ネットワーク・ノードによって実行される動作を実行してもよい。
【０２６１】
さらに図１６を参照するに、図１６は、本願によるネットワーク・ハンドオーバー装置の概略的な構造図である。図に示されるように、本装置は、CPUなどの少なくとも一つのプロセッサ１６０１、少なくとも一つのネットワーク・インターフェース１６０２、少なくとも一つのメモリ１６０３および少なくとも一つの通信バス１６０４を含んでいてもよい。通信バス１６０４は、これらの構成要素間の接続通信を実装するように構成される。本願のこの実施形態の装置内のネットワーク・インターフェース１６０２は、他のノード装置との信号伝達またはデータ通信を実行するよう構成される。メモリ１６０３は、高速RAMメモリであってもよく、または少なくとも一つの磁気ディスク・メモリのような不揮発性メモリであってもよい。任意的に、メモリ１６０３は、プロセッサ１６０１から遠く離れた少なくとも一つの記憶装置であってもよい。メモリ１６０３はプログラム・コードのグループを記憶し、プロセッサ１６０１は、上記のソース・セッション管理機能エンティティーによって実行されるメモリ１６０３内のプログラムを実行する。
【０２６２】
具体的には、プロセッサは、以下の動作を実行するために前記プログラム・コードを呼び出すよう構成される：
ネットワーク・インターフェース１６０２を使って、ソース移動性管理機能エンティティーによって送信された第一のメッセージを受信する。この第一のメッセージは、ソース移動性管理機能エンティティーがソース無線アクセス・ネットワーク・ノードによって送信され、ターゲット基地局識別子を担持するユーザー端末ハンドオーバー要求を受信して、ターゲット基地局識別子に基づいて、RAT間ネットワーク・ハンドオーバーをトリガーすることを決定した後に、ソース移動性管理機能エンティティーによって送信される；
第一のメッセージに基づいて、この動作がRAT間ネットワーク・ハンドオーバーであることを判別する；
ネットワーク・インターフェース１６０２を使って第二のメッセージをソース移動性管理機能エンティティーに送信する。第二のメッセージはセッション管理コンテキストを含み、第二のメッセージは、ターゲット移動性管理機能エンティティーに再配置要求を送信するためにソース移動性管理機能エンティティーによって使用され、再配置要求は、ターゲット移動性管理機能エンティティーに、ユーザー端末に対してRAT間ネットワーク・ハンドオーバーを実行するように命令するために使用される。
【０２６３】
さらに、プロセッサは、メモリおよびネットワーク・インターフェースと協働して、本願の第一の実施形態ないし第八の実施形態において無線アクセス・ネットワーク・ノードによって実行される動作を実行してもよい。
【０２６４】
さらに図１７を参照するに、図１７は、本願によるネットワーク・ハンドオーバー装置の概略的な構造図である。図に示されるように、装置は、CPUのような少なくとも一つのプロセッサ１７０１、少なくとも一つのネットワーク・インターフェース１７０２、少なくとも一つのメモリ１７０３および少なくとも一つの通信バス１７０４を含んでいてもよい。通信バス１７０４は、これらの構成要素間の接続通信を実装するように構成される。本願のこの実施形態における装置内のネットワーク・インターフェース１７０２は、他のノード装置との信号伝達またはデータ通信を実行するよう構成される。メモリ１７０３は、高速RAMメモリであってもよく、または少なくとも一つの磁気ディスク・メモリのような不揮発性メモリであってもよい。任意的に、メモリ１７０３は、プロセッサ１７０１から遠く離れた少なくとも一つの記憶装置であってもよい。メモリ１７０３はプログラム・コードのグループを記憶し、プロセッサ１７０１は、上記のターゲット移動性管理機能エンティティーによって実行されるメモリ１７０３内のプログラムを実行する。
【０２６５】
具体的には、プロセッサは、以下の操作を実行するために前記プログラム・コードを呼び出すよう構成される：
ネットワーク・インターフェース１７０２を使って、ソース移動性管理機能エンティティーによって送られた再配置要求を受信する。この再配置要求は、ソース移動性管理機能エンティティーがソース基地局によって送られ、ターゲット無線アクセス・ネットワーク・ノードのネットワーク識別子を担持するユーザー端末ハンドオーバー要求を受信し、ターゲット無線アクセス・ネットワーク・ノードのネットワーク識別子に基づいて、RAT間ネットワーク・ハンドオーバーをトリガーすることを決定した後に、ソース移動性管理機能エンティティーによって送られる；
ネットワーク・インターフェース１７０２を使って、セッション管理コンテキストをターゲット・セッション管理機能エンティティーに送信する；
ネットワーク・インターフェース１７０２を使って、ターゲット・セッション管理機能エンティティーによって送信されたセッション接続確立要求を受信し；
ネットワーク・インターフェース１７０２を使ってターゲット無線アクセス・ネットワーク・ノードにセッション接続確立要求を送信する。ここで、接続確立要求は、コア・ネットワーク・ユーザー・プレーン機能エンティティーとのデータ伝送チャネルを確立するようターゲット無線アクセス・ネットワーク・ノードに命令するために使用される。
【０２６６】
さらに、プロセッサは、メモリおよびネットワーク・インターフェースと協働して、本願の第一の実施形態ないし第八の実施形態においてターゲット移動性管理機能エンティティーによって実行される動作を実行してもよい。
【０２６７】
さらに図１８を参照するに、図１８は、本願によるネットワーク・ハンドオーバー装置の概略的な構造図である。図に示されるように、本装置は、CPUなどの少なくとも一つのプロセッサ１８０１、少なくとも一つのネットワーク・インターフェース１８０２、少なくとも一つのメモリ１８０３および少なくとも一つの通信バス１８０４を含んでいてもよい。通信バス１８０４は、これらの構成要素間の接続通信を実装するように構成される。本願のこの実施形態における装置内のネットワーク・インターフェース１８０２は、他のノード装置との信号伝達またはデータ通信を実行するよう構成される。メモリ１８０３は、高速RAMメモリであってもよく、または少なくとも一つの磁気ディスク・メモリのような不揮発性メモリであってもよい。任意的に、メモリ１８０３は、プロセッサ１８０１から遠く離れた少なくとも一つの記憶装置であってもよい。メモリ１８０３はプログラム・コードのグループを記憶し、プロセッサ１８０１は、上記のターゲット・セッション管理機能エンティティーによって実行されるメモリ１８０３内のプログラムを実行する。
【０２６８】
具体的には、プロセッサは、以下の動作を実行するために前記プログラム・コードを呼び出すよう構成される：
ネットワーク・インターフェース１８０２を使って、ターゲット移動性管理機能エンティティーによって送信されるセッション管理コンテキストを受信する。ここで、セッション管理コンテキストは、ターゲット移動性管理機能エンティティーがソース移動性管理機能エンティティーによって送信された再配置要求を受信した後に、ターゲット移動性管理機能エンティティーによって送られる；
ネットワーク・インターフェース１８０２を使って、ターゲット移動性管理機能エンティティーにセッション接続確立要求を送信し、ターゲット移動性管理機能エンティティーによって、ターゲット無線アクセス・ネットワーク・ノードにセッション接続確立要求を転送する。ここで、接続確立要求は、ターゲット無線アクセス・ネットワーク・ノードに、コア・ネットワーク・ユーザー・プレーン機能エンティティーとのデータ伝送チャネルを確立するよう命令するために使用される。
【０２６９】
さらに、プロセッサは、本願の第一の実施形態ないし第八の実施形態におけるターゲット移動性管理機能エンティティーによって実行される動作を実行するために、メモリおよびネットワーク・インターフェースと協働してもよい。
【０２７０】
手短かな説明のために、上記の方法実施形態は、一連のアクションとして表わされていることを注意しておくべきである。しかしながら、本願によればいくつかのステップは他の順序で、または同時に実行されてもよいので、当業者は、本願が、アクションの記載された順序に限定されないことを理解するはずである。当業者はさらに、本明細書に記載される実施形態はみな例示的な実施形態に属し、関連するアクションおよびモジュールは必ずしも本願によって必要とされないことを理解するはずである。
【０２７１】
上記の実施形態では、実施形態の説明はそれぞれの焦点を有する。ある実施形態において詳細に説明されていない部分については、他の実施形態における関係した説明を参照されたい。
【０２７２】
当業者は、実施形態における方法のステップの全部または一部が、関連するハードウェアに命令するプログラムによって実装されてもよいことを理解しうる。プログラムは、コンピュータ読取可能な記憶媒体に記憶されてもよい。記憶媒体は、フラッシュメモリ、読み出し専用メモリ（ROM）、ランダムアクセスメモリ（RAM）、磁気ディスク、光ディスク等を含んでいてもよい。
【０２７３】
上記は本願の実施形態において提供されるネットワーク・ハンドオーバー方法、関係した装置およびシステムについて詳細に説明している。本明細書において、具体例は本願の原理および実装を説明するために使用されており、実施形態の説明は、本願の方法および核となる概念を理解することを助けることのみを意図している。さらに、当業者は、本願の概念に基づいて、個別的な実装および適用範囲に関して修正をなしてもよい。したがって、本明細書の内容は、本願を限定するものと解釈してはならない。
【国際調査報告】
2020504538.tif 000031
2020504538.tif 000032
2020504538.tif 000033
2020504538.tif 000034